(57)【特許請求の範囲】
【請求項１】
無線通信システムにおいて端末が上りリンク送信を実行する方法であって、
非免許帯域でＣＡＰ（Channel Access Procedure）を用いて時間単位ｎ（ｎは整数）の前に開始するＡＵＬ（Autonomous Uplink）送信を実行し、
前記非免許帯域で前記時間単位ｎから開始するＳＵＬ（Scheduled Uplink）送信を実行することを含み、
前記ＡＵＬ送信の期間と前記ＳＵＬ送信の期間との合計は、前記ＡＵＬ送信のためのＭＣＯＴ（Maximum Channel Occupancy Time）を超過せず、
前記ＡＵＬ送信のためのチャネルアクセスのための優先順位クラスの値が前記ＳＵＬ送信のためのチャネルアクセスのための優先順位クラスの値以上であることに基づいて、前記ＳＵＬ送信は、前記ＡＵＬ送信が終了した後にギャップなしで前記時間単位ｎから開始する、方法。
【請求項２】
前記時間単位ｎは、
前記ＡＵＬ送信のために設定された第１時間間隔が、前記ＳＵＬ送信のためにスケジューリングされた第２時間間隔と重畳する第１時間単位、及び、
前記ＡＵＬ送信のために設定された第３時間単位に続く第２時間単位
の一つである、請求項１に記載の方法。
【請求項３】
前記ＡＵＬ送信のためのチャネルアクセスのための前記優先順位クラスの値が前記ＳＵＬ送信のためのチャネルアクセスのための前記優先順位クラスの値以上でないことに基づいて、前記ＳＵＬ送信は、前記ＡＵＬ送信が終了した後にギャップの後で前記時間単位ｎから開始する、請求項１に記載の方法。
【請求項４】
前記ギャップは、一つ以上のシンボルを含む、請求項３に記載の方法。
【請求項５】
前記ＳＵＬ送信は、前記ＳＵＬ送信が前記ＳＵＬ送信のための前記ＣＡＰなしで実行されるように、前記ＡＵＬ送信が終了した後に前記ギャップなしで前記時間単位ｎから開始する、請求項１に記載の方法。
【請求項６】
前記ＡＵＬ送信は、第１ＤＣＩ（Downlink Control Information）に基づいて活性化され、
前記ＡＵＬ送信は、第２ＤＣＩに基づいて解除される、請求項１に記載の方法。
【請求項７】
前記第１ＤＣＩは、前記第１ＤＣＩの第１フィールドの値及び前記第２ＤＣＩの第１フィールドの値に基づいて前記第２ＤＣＩと区別され、
前記第１ＤＣＩの前記第１フィールド及び前記第２ＤＣＩの前記第１フィールドは、タイミングオフセットフィールドである、請求項６に記載の方法。
【請求項８】
前記第１ＤＣＩの第２フィールド及び前記第２ＤＣＩの第２フィールドは、同じ値を有し、
前記ＡＵＬ送信の確認応答のための第３ＤＣＩの第２フィールドは、前記第１ＤＣＩの前記第２フィールド及び前記第２ＤＣＩの前記第２フィールドと異なる値を有する、請求項６に記載の方法。
【請求項９】
前記第１ＤＣＩの前記第２フィールド、前記第２ＤＣＩの前記第２フィールド及び前記第３ＤＣＩの前記第２フィールドは、ＰＵＳＣＨ（Physical Uplink Shared CHannel）トリガーＡフィールドである、請求項８に記載の方法。
【請求項１０】
前記第１ＤＣＩ、前記第２ＤＣＩ及び前記第３ＤＣＩは、同じサイズを有する、請求項８に記載の方法。
【請求項１１】
前記第１ＤＣＩ、前記第２ＤＣＩ及び前記第３ＤＣＩは、Ｃ−ＲＮＴＩ（Cell-RNTI（Radio Network Temporary Identifier））と異なるＲＮＴＩによりスクランブルされる、請求項８に記載の方法。
【請求項１２】
無線通信システムにおいて上りリンク送信を実行するように設定される端末であって、
送信器と、
受信器と、
少なくとも一つのプロセッサと、
前記少なくとも一つのプロセッサと動作可能に接続可能であり、命令を格納する少なくとも一つのコンピュータメモリと、を含み、
前記命令は、前記少なくとも一つのプロセッサによって実行されたとき、
非免許帯域でＣＡＰ（Channel Access Procedure）を用いて時間単位ｎ（ｎは整数）の前に開始するＡＵＬ（Autonomous Uplink）送信を実行し、
前記非免許帯域で前記時間単位ｎから開始するＳＵＬ（Scheduled Uplink）送信を実行し、
前記ＡＵＬ送信の期間と前記ＳＵＬ送信の期間との合計は、前記ＡＵＬ送信のためのＭＣＯＴ（Maximum Channel Occupancy Time）を超過せず、
前記ＡＵＬ送信のためのチャネルアクセスのための優先順位クラスの値が前記ＳＵＬ送信のためのチャネルアクセスのための優先順位クラスの値以上であることに基づいて、前記ＳＵＬ送信は、前記ＡＵＬ送信が終了した後にギャップなしで前記時間単位ｎから開始する
ことを含む命令を実行する、端末。
【請求項１３】
無線通信システムにおいて上りリンク送信を実行するように設定される無線機器であって、
少なくとも一つのプロセッサと、
前記少なくとも一つのプロセッサと動作可能に接続可能であり、命令を格納する少なくとも一つのメモリと、を含み、
前記命令は、前記少なくとも一つのプロセッサによって実行されたとき、
非免許帯域で時間単位ＣＡＰ（echannel access procedure）前に開始するＡＵＬ（Autonomous Uplink）送信を実行し（ｎは整数）、
前記非免許帯域で前記時間単位ｎから開始するＳＵＬ（Scheduled Uplink）送信を実行し、
前記ＡＵＬ送信の期間と前記ＳＵＬ送信の期間との合計は、前記ＡＵＬ送信のためのＭＣＯＴ（Maximum Channel Occupancy Time）を超過せず、
前記ＡＵＬ送信のためのチャネルアクセスのための優先順位クラスの値が前記ＳＵＬ送信のためのチャネルアクセスのための優先順位クラスの値以上であることに基づいて、前記ＳＵＬ送信は、前記ＡＵＬ送信が終了した後にギャップなしで前記時間単位ｎから開始する
ことを含む命令を実行する、無線機器。
【発明の詳細な説明】
【技術分野】
【０００１】
以下の説明は無線通信システムに関し、非免許帯域を支援する無線通信システムにおいて端末が上りリンク信号を送信する方法及びそれを支援する装置に関する。
【背景技術】
【０００２】
無線アクセスシステムが音声やデータなどの種々の通信サービスを提供するために広範囲に展開されている。一般に、無線アクセスシステムは利用可能なシステムリソース（帯域幅、送信電力など）を共有して複数のユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００３】
なお、多数の通信機器がより大きな通信容量を要求することにより、既存のＲＡＴ（ｒａｄｉｏ  ａｃｃｅｓｓ  ｔｅｃｈｎｏｌｏｇｙ）に比べて向上したモバイルブロードバンド通信の必要性が高まっている。また、多数の機器及び物を接続していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考えられている。さらに信頼性及び遅延などに敏感なサービス／ＵＥを考慮した通信システムのデザインも考えられている。
【０００４】
このように向上したモバイルブロードバンド通信、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が論議されている。
【発明の概要】
【発明が解決しようとする課題】
【０００５】
本発明の目的は、非免許帯域を支援する無線通信システムにおいて端末が上りリンク信号を送信する方法及びそれを支援する装置を提供することにある。
【０００６】
本発明で遂げようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００７】
本発明は、非免許帯域を支援する無線通信システムにおいて端末が基地局に上りリンク信号を送信する方法及びそれを支援する装置を提供する。
【０００８】
本発明の一態様として、非免許帯域を支援する無線通信システムにおいて端末が基地局に上りリンク信号を送信する方法であって、時間領域において、活性化された自律的上りリンク（Ａｕｔｏｎｏｍｏｕｓ  Ｕｐｌｉｎｋ；ＡＵＬ）の送信直後に上りリンク送信をスケジュールする下りリンク制御情報（Ｄｏｗｎｌｉｎｋ  ｃｏｎｔｒｏｌ  ｉｎｆｏｒｍａｔｉｏｎ；ＤＣＩ）を受信し、該非免許帯域を介してＡＵＬ送信及び上りリンク送信を第１方法又は第２方法に基づいて行うことを含み、第１方法は、端末が上りリンク送信に先立って送信中（ｏｎｇｏｉｎｇ）のＡＵＬ送信を一定時間の間隔前に終了（ｔｅｒｍｉｎａｔｅ）した後、上りリンク送信を行う方法に対応し、第２方法は、端末がＡＵＬ送信及び上りリンク送信を連続して行う方法に対応する、非免許帯域における上りリンク信号の送信方法を提案する。
【０００９】
ここで、一定時間の間隔は、Ｎ（Ｎは自然数）シンボル間隔に対応する。
【００１０】
ここで、ＡＵＬ送信に対する優先順位クラス（ｐｒｉｏｒｉｔｙ  ｃｌａｓｓ）が上りリンク送信に対する優先順位クラスより大きいか又は等しく、ＡＵＬ送信及び上りリンク送信長さの和がＡＵＬ送信に対する優先順位クラスに対応する最大のチャネル占有時間（Ｍａｘｉｍｕｍ  Ｃｈａｎｎｅｌ  Ｏｃｃｕｐａｎｃｙ  Ｔｉｍｅ；ＭＣＯＴ）より小さい場合、端末は、第２方法に基づいてＡＵＬ送信及び上りリンク送信を行う。
【００１１】
上記構成において、端末が第１方法に基づいてＡＵＬ送信及び上りリンク送信を行う場合、端末は、ＡＵＬ送信のための第１チャネルアクセス手順（Ｃｈａｎｎｅｌ  Ａｃｃｅｓｓ  Ｐｒｏｃｅｄｕｒｅ；ＣＡＰ）に基づいてＡＵＬ送信を行い、上りリンク送信のための第２ＣＡＰに基づいて上りリンク送信を行う。
【００１２】
又は端末が第２方法に基づいてＡＵＬ送信及び上りリンク送信を行う場合、端末は、ＡＵＬ送信のためのチャネルアクセス手順（Ｃｈａｎｎｅｌ  Ａｃｃｅｓｓ  Ｐｒｏｃｅｄｕｒｅ；ＣＡＰ）に基づいてＡＵＬ送信及び上りリンク送信を連続して行う。
【００１３】
上記構成において、ＡＵＬ送信を活性化する第１ＤＣＩ及びＡＵＬ送信を解除（ｒｅｌｅａｓｅ）する第２ＤＣＩは、第１フィールドの値に基づいてＡＵＬ送信に対応する確認応答情報を含む第３ＤＣＩとは区別される。
【００１４】
この時、第１フィールドは、物理上りリンク共有チャネルトリガーＡ（Ｐｈｙｓｉｃａｌ  Ｕｐｌｉｎｋ  Ｓｈａｒｅｄ  Ｃｈａｎｎｅｌ  ｔｒｉｇｇｅｒ  Ａ；ＰＵＳＣＨ  ｔｒｉｇｇｅｒ  Ａ）フィールドに対応する。
【００１５】
また第１ＤＣＩは、第２フィールドの値に基づいて第２ＤＣＩとは区別される。この時、第２フィールドは、タイミングオフセット（ｔｉｍｉｎｇ  ｏｆｆｓｅｔ）フィールドに対応する。
【００１６】
この時、第１ＤＣＩ、第２ＤＣＩ及び第３ＤＣＩは同じサイズを有する。
【００１７】
また第１ＤＣＩ、第２ＤＣＩ及び第３ＤＣＩは、セル無線ネットワーク臨時識別子（Ｃｅｌｌ−ｒａｄｉｏ  Ｎｅｔｗｏｒｋ  Ｔｅｍｐｏｒａｒｙ  Ｉｄｅｎｔｉｆｉｅｒ；Ｃ−ＲＮＴＩ）とは異なる無線ネットワーク臨時識別子（ｒａｄｉｏ  Ｎｅｔｗｏｒｋ  Ｔｅｍｐｏｒａｒｙ  Ｉｄｅｎｔｉｆｉｅｒ；ＲＮＴＩ）によりスクランブルされる。
【００１８】
本発明の他の態様として、非免許帯域を支援する無線通信システムにおいて基地局に上りリンク信号を送信する端末であって、送信器と、受信器と、送信器及び受信器に接続されて動作するプロセッサと、を含み、該プロセッサは、時間領域において、活性化された自律的上りリンク（Ａｕｔｏｎｏｍｏｕｓ  Ｕｐｌｉｎｋ；ＡＵＬ）送信直後に上りリンク送信をスケジュールする下りリンク制御情報（Ｄｏｗｎｌｉｎｋ  ｃｏｎｔｒｏｌ  ｉｎｆｏｒｍａｔｉｏｎ；ＤＣＩ）を受信し、非免許帯域を介してＡＵＬ送信及び上りリンク送信を第１方法又は第２方法に基づいて行うように構成され、第１方法は、端末が上りリンク送信に先立って送信中（ｏｎｇｏｉｎｇ）のＡＵＬ送信を一定時間の間隔前に終了（ｔｅｒｍｉｎａｔｅ）した後、上りリンク送信を行う方法に対応し、第２方法は、端末がＡＵＬ送信及び上りリンク送信を連続して行う方法に対応する端末を提案する。
【００１９】
本発明のさらに他の態様として、非免許帯域を支援する無線通信システムにおいて端末が基地局に上りリンク信号を送信する方法であって、活性化された第１自律的上りリンク（Ａｕｔｏｎｏｍｏｕｓ  Ｕｐｌｉｎｋ；ＡＵＬ）送信を非免許帯域を介して行い、第１ＡＵＬ送信後、一定時間の間に上りリンク送信をスケジュールする上りリンクグラント又は確認応答情報を含む下りリンク制御情報（ｄｏｗｎｌｉｎｋ  ｃｏｎｔｒｏｌ  ｉｎｆｏｒｍａｔｉｏｎ；ＤＣＩ）を受信できない場合、全てのチャネルアクセス優先順位クラス（ｃｈａｎｎｅｌ  Ａｃｃｅｓｓ  ｐｒｉｏｒｉｔｙ  ｃｌａｓｓ）に対応する競争ウィンドウサイズ（Ｃｏｎｔｅｎｔｉｏｎ  Ｗｉｎｄｏｗ  Ｓｉｚｅ；ＣＷＳ）を増加させ、活性化された第２ＡＵＬ送信を増加されたＣＷＳに基づいて非免許帯域で行うことを含む、非免許帯域における上りリンク信号の送信方法を提案する。
【００２０】
この時、ＤＣＩは、第１ＡＵＬ送信に対する再送信をスケジュールする上りリンクグラント又は第１ＡＵＬ送信に対する確認応答情報を含むＤＣＩに対応する。
【００２１】
また一定時間は、１つ以上のサブフレームに対応する。
【００２２】
さらに第１ＡＵＬ送信又は第２ＡＵＬ送信が複数のセル内で行われる場合、複数のセル内における第１ＡＵＬ送信又は第２ＡＵＬ送信の開始位置（ｓｔａｒｔｉｎｇ  ｐｏｓｉｔｉｏｎ）は、同一に設定される。
【００２３】
上記構成において、端末は、第１ＡＵＬ送信のための第１チャネルアクセス手順（Ｃｈａｎｎｅｌ  Ａｃｃｅｓｓ  Ｐｒｏｃｅｄｕｒｅ；ＣＡＰ）に基づいて第１ＡＵＬ送信を行い、端末は、増加したＣＷＳが適用された第２ＡＵＬ送信のための第２ＣＡＰに基づいて第２ＡＵＬ送信を行う。
【００２４】
上記構成において、第１ＡＵＬ送信を活性化する第１ＤＣＩ及び第１ＡＵＬ送信を解除（ｒｅｌｅａｓｅ）する第２ＤＣＩは、第１フィールドの値に基づいて第１ＡＵＬ送信に対応する確認応答情報を含む第３ＤＣＩとは区別される。
【００２５】
この時、第１フィールドは、物理上りリンク共有チャネルトリガーＡ（Ｐｈｙｓｉｃａｌ  Ｕｐｌｉｎｋ  Ｓｈａｒｅｄ  Ｃｈａｎｎｅｌ  ｔｒｉｇｇｅｒ  Ａ；ＰＵＳＣＨ  ｔｒｉｇｇｅｒ  Ａ）フィールドに対応する。
【００２６】
また第１ＤＣＩは、第２フィールドの値に基づいて第２ＤＣＩとは区別される。この時、第２フィールドは、タイミングオフセット（ｔｉｍｉｎｇ  ｏｆｆｓｅｔ）フィールドに対応する。
【００２７】
この時、第１ＤＣＩ、第２ＤＣＩ及び第３ＤＣＩは、同じサイズを有する。
【００２８】
また第１ＤＣＩ、第２ＤＣＩ及び第３ＤＣＩは、セル無線ネットワーク臨時識別子（Ｃｅｌｌ−ｒａｄｉｏ  Ｎｅｔｗｏｒｋ  Ｔｅｍｐｏｒａｒｙ  Ｉｄｅｎｔｉｆｉｅｒ；Ｃ−ＲＮＴＩ）とは異なる無線ネットワーク臨時識別子（ｒａｄｉｏ  Ｎｅｔｗｏｒｋ  Ｔｅｍｐｏｒａｒｙ  Ｉｄｅｎｔｉｆｉｅｒ；ＲＮＴＩ）によりスクランブルされる。
【００２９】
本発明のさらに他の態様として、非免許帯域を支援する無線通信システムにおいて基地局に上りリンク信号を送信する端末であって、送信器と、受信器と、送信器及び受信器に接続されて動作するプロセッサと、を含み、該プロセッサは、活性化された第１自律的上りリンク（Ａｕｔｏｎｏｍｏｕｓ  Ｕｐｌｉｎｋ；ＡＵＬ）送信を非免許帯域を介して行い、第１ＡＵＬ送信後、一定時間の間に上りリンク送信をスケジュールする上りリンクグラント又は確認応答情報を含む下りリンク制御情報（ｄｏｗｎｌｉｎｋ  ｃｏｎｔｒｏｌ  ｉｎｆｏｒｍａｔｉｏｎ；ＤＣＩ）を受信できない場合、全てのチャネルアクセス優先順位クラス（ｃｈａｎｎｅｌ  Ａｃｃｅｓｓ  ｐｒｉｏｒｉｔｙ  ｃｌａｓｓ）に対応する競争ウィンドウサイズ（Ｃｏｎｔｅｎｔｉｏｎ  Ｗｉｎｄｏｗ  Ｓｉｚｅ；ＣＷＳ）を増加させ、活性化された第２ＡＵＬ送信を増加されたＣＷＳに基づいて非免許帯域で行うように構成される、端末を提案する。
【００３０】
上述した本発明の態様は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され、理解されるであろう。
【発明の効果】
【００３１】
本発明の実施例によれば、次のような効果がある。
【００３２】
本発明によれば、端末は自律的上りリンク（ＡＵＬ）の送信及びスケジュールされた上りリンクの送受信を効率的に行うことができる。
【００３３】
より具体的には、本発明によれば、端末は非免許帯域における信号送信のための競争的なチャネルアクセス手順及び他の送信ノードに対する干渉を最小化して、活性化されたＡＵＬ送信とＵＬグラントでスケジュールされた上りリンク送信を行うことができる。
【００３４】
また本発明によれば、ＡＵＬ送信を活性化／非活性化する又はＡＵＬ送信に対する確認応答情報を含む下りリンク制御情報（ｄｏｗｎｌｉｎｋ  ｃｏｎｔｒｏｌ  ｉｎｆｏｒｍａｔｉｏｎ）は、他の下りリンク制御情報とは区分される。
【００３５】
また本発明によれば、端末はＡＵＬ送信のための競争ウィンドウサイズ（ｃｏｎｔｅｎｔｉｏｎ  ｗｉｎｄｏｗ  ｓｉｚｅ）を保守的に調整することができる。
【００３６】
本発明の実施例から得られる効果は、以上で言及した効果に限定されず、言及していない他の効果は、以下の本発明の実施例に関する記載から、本発明の属する技術の分野における通常の知識を有する者にとって明確に導出され理解されるであろう。即ち、本発明を実施することに伴う意図していない効果も、本発明の実施例から当該技術の分野における通常の知識を有する者によって導出され得る。
【図面の簡単な説明】
【００３７】
以下に添付する図面は、本発明に関する理解を助けるためのものであり、詳細な説明と共に本発明に関する実施例を提供する。但し、本発明の技術的特徴は、特定の図面に限定されるものではなく、各図面で開示する特徴が互いに組み合わせられて新しい実施例として構成されてもよい。各図面における参照番号（ｒｅｆｅｒｅｎｃｅ  ｎｕｍｅｒａｌｓ）は構造的構成要素（ｓｔｒｕｃｔｕｒａｌ  ｅｌｅｍｅｎｔｓ）を意味する。
【００３８】
【図１】物理チャネル及びそれらを用いた信号送信方法を説明するための図である。
【図２】無線フレームの構造の一例を示す図である。
【図３】下りリンクスロットに対するリソースグリッド（ｒｅｓｏｕｒｃｅ  ｇｒｉｄ）を例示する図である。
【図４】上りリンクサブフレームの構造の一例を示す図である。
【図５】下りリンクサブフレームの構造の一例を示す図である。
【図６】本発明に適用可能なセルフサブフレームの構造（Ｓｅｌｆ−Ｃｏｎｔａｉｎｅｄ  ｓｕｂｆｒａｍｅ  ｓｔｒｕｃｔｕｒｅ）を示す図である。
【図７】ＴＸＲＵとアンテナ要素の代表的な接続方式を示す図である。
【図８】ＴＸＲＵとアンテナ要素の代表的な接続方式を示す図である。
【図９】本発明の一例によるＴＸＲＵ及び物理的アンテナの観点におけるハイブリッドビーム形成構造を簡単に示す図である。
【図１０】本発明の一例による下りリンク（Ｄｏｗｎｌｉｎｋ、ＤＬ）の送信過程において、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビームスウィーピング（Ｂｅａｍ  ｓｗｅｅｐｉｎｇ）動作を簡単に示す図である。
【図１１】非免許帯域を支援する無線通信システムにおけるＣＡ環境の一例を示す図である。
【図１２】本発明に適用可能な非免許帯域の送信のためのＣＡＰを説明する図である。
【図１３】本発明に適用可能な部分的ＴＴＩ（ｐａｒｔｉａｌ  ＴＴＩ）又は部分的サブフレームを示す図である。
【図１４】本発明によるＵＥのＡＵＬ送信動作を簡単に示す図である。
【図１５】本発明によるＵＥの競争ウィンドウサイズ（ＣＷＳ）を調整する動作を簡単に示す図である。
【図１６】本発明によるＵＥの競争ウィンドウサイズ（ＣＷＳ）を調整する動作を簡単に示す図である。
【図１７】本発明の一例において、ＵＥの動作を説明する図である。
【図１８】本発明の他の例において、ＵＥの動作を説明する図である。
【図１９】本発明の一例による端末が非免許帯域を介して上りリンク信号を送信する方法を示す図である。
【図２０】本発明の一例による端末が非免許帯域を介して上りリンク信号を送信する方法を示す図である。
【図２１】提案する実施例を具現化できる端末及び基地局の構成を示す図である。
【発明を実施するための形態】
【００３９】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００４０】
図面に関する説明において、本発明の要旨を曖昧にさせ得る手順又は段階などは記述を省略し、当業者のレベルで理解可能な程度の手順又は段階も記述を省略する。
【００４１】
明細書全体を通じて、ある部分がある構成要素を「含む（ｃｏｍｐｒｉｓｉｎｇ又はｉｎｃｌｕｄｉｎｇ）」とされているとき、これは、別に反対の記載がない限り、他の構成要素を除外するものではなく、他の構成要素をさらに含み得ることを意味する。また、明細書でいう“部”、“…器”、“モジュール”などの用語は、少なくとも１つの機能や動作を処理する単位を意味し、これは、ハードウェア、ソフトウェア、又はハードウェア及びソフトウェアの結合によって具現化することができる。また、「ある（ａ又はａｎ）」、「１つ（ｏｎｅ）」、「その（ｔｈｅ）」及び類似の関連語は、本発明を記述する文脈において（特に、以下の請求項の文脈において）本明細書に別に指示されたり文脈によって明らかに反駁されない限り、単数及び複数の両方を含む意味で使うことができる。
【００４２】
この明細書において本発明の実施例は基地局と移動局の間のデータ送受信関係を中心に説明されている。ここで、基地局は、移動局と通信を直接行うネットワークの終端ノード（ｔｅｒｍｉｎａｌ  ｎｏｄｅ）としての意味を有する。本文書において基地局によって行われるとされている特定動作は、場合によっては、基地局の上位ノード（ｕｐｐｅｒ  ｎｏｄｅ）によって行われてもよい。
【００４３】
即ち、基地局を含む複数のネットワークノード（ｎｅｔｗｏｒｋ  ｎｏｄｅ）からなるネットワークにおいて、移動局との通信のために行われる様々な動作は、基地局、又は基地局以外の他のネットワークノードで行うことができる。このとき、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に言い換えることができる。
【００４４】
また、本発明の実施例において、端末（Ｔｅｒｍｉｎａｌ）は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に言い換えることができる。
【００４５】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００４６】
本発明の実施例は、無線アクセスシステムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも１つに開示されている標準文書によってサポートすることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び３ＧＰＰ  ＴＳ  ３８．３３１の文書によってサポートすることができる。即ち、本発明の実施例のうち、説明していない自明な段階又は部分は、上記文書を参照して説明することができる。また、本文書に開示している用語はいずれも、上記標準文書によって説明することができる。
【００４７】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００４８】
また、本発明の実施例で使われる特定の用語は本発明の理解易さのために提供されるものであり、このような特定の用語の使用は本発明の技術的思想を逸脱しない範囲で他の形態に変更されてもよい。
【００４９】
以下、本発明の実施例を利用可能な無線アクセスシステムの一例として３ＧＰＰ  ＬＴＥ／ＬＴＥ−Ａシステムだけではなく、３ＧＰＰ  ＮＲシステムについて説明する。
【００５０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線アクセスシステムに適用することができる。
【００５１】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現化することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現化することができる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現化することができる。
【００５２】
ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）はＥ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）システムは３ＧＰＰ  ＬＴＥシステムを改良したシステムである。
【００５３】
本発明の技術的特徴に関する説明を明確にするために、本発明の実施例は３ＧＰＰ  ＬＴＥ／ＬＴＥ−Ａシステムだけではなく、３ＧＰＰ  ＮＲシステムを中心に述べられるが、ＩＥＥＥ  ８０２．１６ｅ／ｍシステムなどに適用されてもよい。
【００５４】
１．３ＧＰＰ  ＬＴＥ／ＬＴＥ  Ａシステム
【００５５】
１．１．物理チャネル及びこれを用いた信号送受信方法
【００５６】
無線アクセスシステムにおいて端末は下りリンク（ＤＬ：Ｄｏｗｎｌｉｎｋ）で基地局から情報を受信し、上りリンク（ＵＬ：Ｕｐｌｉｎｋ）で基地局に情報を送信する。基地局と端末とが送受信する情報は一般データ情報及び種々の制御情報を含み、基地局と端末とが送受信する情報の種類／用途によって様々な物理チャネルが存在する。
【００５７】
図１は、本発明の実施例で使用可能な物理チャネル及びそれらを用いた信号送信方法を説明するための図である。
【００５８】
電源が消えた状態で電源がついたり、新しくセルに進入したりした端末は、Ｓ１１段階で、基地局と同期を取るなどの初期セル探索（Ｉｎｉｔｉａｌ  ｃｅｌｌ  ｓｅａｒｃｈ）作業を行う。そのために、端末は基地局から主同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び副同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００５９】
その後、端末は基地局から物理放送チャネル（ＰＢＣＨ：Ｐｈｙｓｉｃａｌ  Ｂｒｏａｄｃａｓｔ  Ｃｈａｎｎｅｌ）信号を受信してセル内放送情報を取得することができる。
【００６０】
一方、端末は初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャネル状態を確認することができる。
【００６１】
初期セル探索を終えた端末は、Ｓ１２段階で、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下りリンク制御チャネル情報に対応する物理下りリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を取得することができる。
【００６２】
その後、端末は基地局への接続を完了するために、段階Ｓ１３〜段階Ｓ１６のようなランダムアクセス過程（Ｒａｎｄｏｍ  Ａｃｃｅｓｓ  Ｐｒｏｃｅｄｕｒｅ）を行うことができる。そのために、端末は物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）でプリアンブル（ｐｒｅａｍｂｌｅ）を送信し（Ｓ１３）、物理下りリンク制御チャネル及びそれに対応する物理下りリンク共有チャネルでプリアンブルに対する応答メッセージを受信することができる（Ｓ１４）。競合ベースのランダムアクセスでは、端末は、更なる物理ランダムアクセスチャネル信号の送信（Ｓ１５）、及び物理下りリンク制御チャネル信号及びそれに対応する物理下りリンク共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００６３】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００６４】
端末が基地局に送信する制御情報を総称して上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００６５】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００６６】
１．２．リソースの構造
【００６７】
図２は、本発明の実施例で用いられる無線フレームの構造を示す図である。
【００６８】
図２（ａ）にはタイプ１フレーム構造（ｆｒａｍｅ  ｓｔｒｕｃｔｕｒｅ  ｔｙｐｅ１）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムにも半二重（ｈａｌｆ  ｄｕｐｌｅｘ）ＦＤＤシステムにも適用可能である。
【００６９】
１無線フレーム（ｒａｄｉｏ  ｆｒａｍｅ）はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２個の連続したスロットで定義され、ｉ番目のサブフレームは、２ｉと２ｉ＋１に該当するスロットで構成される。すなわち、無線フレーム（ｒａｄｉｏ  ｆｒａｍｅ）は１０個のサブフレーム（ｓｕｂｆｒａｍｅ）で構成される。１サブフレームを送信するためにかかる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは時間領域において複数のＯＦＤＭシンボル又はＳＣ−ＦＤＭＡシンボルを含み、周波数領域において複数のリソースブロック（Ｒｅｓｏｕｒｃｅ  Ｂｌｏｃｋ）を含む。
【００７０】
１スロットは時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは下りリンクにおいてＯＦＤＭＡを用いるので、ＯＦＤＭシンボルは１シンボル区間（ｓｙｍｂｏｌ  ｐｅｒｉｏｄ）を表現するためのものである。ＯＦＤＭシンボルは１つのＳＣ−ＦＤＭＡシンボル又はシンボル区間ということができる。リソースブロック（ｒｅｓｏｕｒｃｅ  ｂｌｏｃｋ）はリソース割り当て単位であり、１つのスロットで複数の連続した副搬送波（ｓｕｂｃａｒｒｉｅｒ）を含む。
【００７１】
全二重ＦＤＤシステムでは各１０ｍｓ区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００７２】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００７３】
図２（ｂ）にはタイプ２フレーム構造（ｆｒａｍｅ  ｓｔｒｕｃｔｕｒｅ  ｔｙｐｅ２）を示す。タイプ２フレーム構造はＴＤＤシステムに適用される。１無線フレーム（ｒａｄｉｏ  ｆｒａｍｅ）はＴｆ＝３０７２００＊Ｔｓ＝１０ｍｓの長さを有し、１５３６００＊Ｔｓ＝５ｍｓの長さを有する２個のハーフフレーム（ｈａｌｆ−ｆｒａｍｅ）で構成される。各ハーフフレームは３０７２０＊Ｔｓ＝１ｍｓの長さを有する５個のサブフレームで構成される。ｉ番目のサブフレームは２ｉと２ｉ＋１に該当する各Ｔｓｌｏｔ＝１５３６０＊Ｔｓ＝０．５ｍｓの長さを有する２個のスロットで構成される。ここで、Ｔｓはサンプリング時間を表し、Ｔｓ＝１／（１５ｋＨｚ×２０４８）＝３．２５５２×１０−８（約３３ｎｓ）と表示される。
【００７４】
タイプ２フレームにはＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別なサブフレームを含む。ここで、ＤｗＰＴＳは、端末における初期セル探索、同期化又はチャネル推定に用いられる。ＵｐＰＴＳは、基地局におけるチャネル推定と端末との上り伝送同期化に用いられる。保護区間は、上りリンクと下りリンクとの間における、下りリンク信号の多重経路遅延によって上りリンクにおいて発生する干渉を除去するための区間である。
【００７５】
次の表１は、特別フレームの構成（ＤｗＰＴＳ／ＧＰ／ＵｐＰＴＳの長さ）を表す。
【００７６】
【表１】
0006915064.tif 000002
【００７７】
またＬＴＥ  Ｒｅｌ−１３システムにおいては、特別フレームの構成（ＤｗＰＴＳ／ＧＰ／ＵｐＰＴＳの長さ）が下記の表のようにＸ（追加的なＳＣ−ＦＤＭＡのシンボルの数、上位層パラメータｓｒｓ−ＵｐＰｔｓＡｄｄにより提供され、パラメータが設定されないと、Ｘは０である）を考慮して設定される構成が新しく追加されており、ＬＴＥ  Ｒｅｌ−１４システムにおいては、Ｓｐｅｃｉａｌ  ｓｕｂｆｒａｍｅ  ｃｏｎｆｉｇｕｒａｔｉｏｎ＃１０が新しく追加されている。ここで、ＵＥは、下りリンクにおける一般ＣＰのためのＳｐｅｃｉａｌ  ｓｕｂｆｒａｍｅ  ｃｏｎｆｉｇｕｒａｔｉｏｎｓ｛３，４，７，８｝及び下りリンクにおける拡張されたＣＰのためのＳｐｅｃｉａｌ  ｓｕｂｆｒａｍｅ  ｃｏｎｆｉｇｕｒａｔｉｏｎｓ｛２，３，５，６｝に対して２つの追加ＵｐＰＴＳ  ＳＣ−ＦＤＭＡシンボルが設定されることを期待しない。さらに、ＵＥは、下りリンクにおける一般ＣＰのためのＳｐｅｃｉａｌ  ｓｕｂｆｒａｍｅ  ｃｏｎｆｉｇｕｒａｔｉｏｎｓ｛１，２，３，４，６，７，８｝及び下りリンクにおける拡張されたＣＰのためのＳｐｅｃｉａｌ  ｓｕｂｆｒａｍｅ  ｃｏｎｆｉｇｕｒａｔｉｏｎｓ｛１，２，３，５，６｝に対して４つの追加ＵｐＰＴＳ  ＳＣ−ＦＤＭＡシンボルが設定されることを期待しない。（Ｔｈｅ  ＵＥ  ｉｓ  ｎｏｔ  ｅｘｐｅｃｔｅｄ  ｔｏ  ｂｅ  ｃｏｎｆｉｇｕｒｅｄ  ｗｉｔｈ  ２  ａｄｄｉｔｉｏｎａｌ  ＵｐＰＴＳ  ＳＣ−ＦＤＭＡ  ｓｙｍｂｏｌｓ  ｆｏｒ  ｓｐｅｃｉａｌ  ｓｕｂｆｒａｍｅ  ｃｏｎｆｉｇｕｒａｔｉｏｎｓ｛３，４，７，８｝  ｆｏｒ  ｎｏｒｍａｌ  ｃｙｃｌｉｃ  ｐｒｅｆｉｘ  ｉｎ  ｄｏｗｎｌｉｎｋ  ａｎｄ  ｓｐｅｃｉａｌ  ｓｕｂｆｒａｍｅ  ｃｏｎｆｉｇｕｒａｔｉｏｎｓ｛２，３，５，６｝  ｆｏｒ  ｅｘｔｅｎｄｅｄ  ｃｙｃｌｉｃ  ｐｒｅｆｉｘ  ｉｎ  ｄｏｗｎｌｉｎｋ  ａｎｄ  ４  ａｄｄｉｔｉｏｎａｌ  ＵｐＰＴＳ  ＳＣ−ＦＤＭＡ  ｓｙｍｂｏｌｓ  ｆｏｒ  ｓｐｅｃｉａｌ  ｓｕｂｆｒａｍｅ  ｃｏｎｆｉｇｕｒａｔｉｏｎｓ｛１，２，３，４，６，７，８｝  ｆｏｒ  ｎｏｒｍａｌ  ｃｙｃｌｉｃ  ｐｒｅｆｉｘ  ｉｎ  ｄｏｗｎｌｉｎｋ  ａｎｄ  ｓｐｅｃｉａｌ  ｓｕｂｆｒａｍｅ  ｃｏｎｆｉｇｕｒａｔｉｏｎｓ｛１，２，３，５，６｝  ｆｏｒ  ｅｘｔｅｎｄｅｄ  ｃｙｃｌｉｃ  ｐｒｅｆｉｘ  ｉｎ  ｄｏｗｎｌｉｎｋ）
【００７８】
【表２】
0006915064.tif 000003
【００７９】
図３は、本発明の実施例で利用可能な下りリンクスロットに対するリソースグリッド（ｒｅｓｏｕｒｃｅ  ｇｒｉｄ）を例示する図である。
【００８０】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００８１】
リソースグリッド上の各要素（ｅｌｅｍｅｎｔ）をリソース要素（ｒｅｓｏｕｒｃｅ  ｅｌｅｍｅｎｔ）といい、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に従属する。
【００８２】
図４には、本発明の実施例で利用可能な上りリンクサブフレームの構造を示す。
【００８３】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２個のスロットのそれぞれにおいて異なる副搬送波を占める。このようなＰＵＣＣＨに割り当てられたＲＢ対は、スロット境界（ｓｌｏｔ  ｂｏｕｎｄａｒｙ）で周波数ホッピング（ｆｒｅｑｕｅｎｃｙ  ｈｏｐｐｉｎｇ）する、という。
【００８４】
図５は、本発明の実施例で利用可能な下りリンクサブフレームの構造を示す図である。
【００８５】
図５を参照すると、サブフレームにおける一番目のスロットにおいてＯＦＤＭシンボルインデックス０から最大で３個までのＯＦＤＭシンボルが、制御チャネルが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。３ＧＰＰ  ＬＴＥで用いられる下りリンク制御チャネルの例に、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００８６】
ＰＣＦＩＣＨはサブフレームの一番目のＯＦＤＭシンボルで送信され、サブフレームにおいて制御チャネルの送信のために用いられるＯＦＤＭシンボルの数（すなわち、制御領域のサイズ）に関する情報を搬送する。ＰＨＩＣＨは、上りリンクに対する応答チャネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を搬送する。ＰＤＣＣＨで送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割り当て情報、下りリンクリソース割り当て情報、又は任意の端末グループに対する上りリンク送信（Ｔｘ）電力制御命令を含む。
【００８７】
２．新しい無線アクセス技術（Ｎｅｗ  Ｒａｄｉｏ  Ａｃｃｅｓｓ  Ｔｅｃｈｎｏｌｏｇｙ）システム
【００８８】
多数の通信機器がより大きな通信容量を要求することにより、既存の無線アクセス技術（ｒａｄｉｏ  ａｃｃｅｓｓ  ｔｅｃｈｎｏｌｏｇｙ、ＲＡＴ）に比べて向上した端末広帯域（Ｍｏｂｉｌｅ  Ｂｒｏａｄｂａｎｄ）通信の必要性が高まっている。また多数の機器及び物を接続していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）も必要となっている。さらに信頼性及び遅延などに敏感なサービス／ＵＥを考慮した通信システムのデザインが提示されている。
【００８９】
このように向上した端末広帯域通信（Ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ、ＵＲＬＬＣ（Ｕｌｔｒａ−Ｒｅｌｉａｌｂｅ  ａｎｄ  Ｌｏｗ  Ｌａｔｅｎｃｙ  Ｃｏｍｍｕｎｉｃａｔｉｏｎ）などを考慮した新しい無線アクセス技術であって、新しい無線アクセス技術システムが提案されている。以下、本発明では便宜上、該当技術をＮｅｗ  ＲＡＴ又はＮＲ（Ｎｅｗ  Ｒａｄｉｏ）と称する。
【００９０】
２．１．ニューマロロジー（Ｎｕｍｅｒｉｏｌｏｇｉｅｓ）
【００９１】
本発明が適用可能なＮＲシステムにおいては、以下の表のような様々なＯＦＤＭニューマロロジーが支援されている。この時、搬送波帯域幅部分（ｃａｒｒｉｅｒ  ｂａｎｄｗｉｄｔｈ  ｐａｒｔ）ごとのμ及びサイクリックプレフィックス（ｃｙｃｌｉｃ  ｐｒｅｆｉｘ）情報は、下りリンク（ＤＬ）又は上りリンク（ＵＬ）ごとに各々シグナリングされる。一例として、下りリンク搬送波帯域幅部分（ｄｏｗｎｌｉｎｋ  ｃａｒｒｉｅｒ  ｂａｎｄｗｉｄｔｈ  ｐａｒｔ）のためのμ及びサイクリックプレフィックス（ｃｙｃｌｉｃ  ｐｒｅｆｉｘ）情報は、上位層シグナリングＤＬ−ＢＷＰ−ｍｕ及びＤＬ−ＭＷＰ−ｃｐを通じてシグナリングされる。他の例として、上りリンク搬送波帯域幅部分（ｕｐｌｉｎｋ  ｃａｒｒｉｅｒ  ｂａｎｄｗｉｄｔｈ  ｐａｒｔ）のためのμ及びサイクリックプレフィックス（ｃｙｃｌｉｃ  ｐｒｅｆｉｘ）情報は、上位層シグナリングＵＬ−ＢＷＰ−ｍｕ及びＵＬ−ＭＷＰ−ｃｐを通じてシグナリングされる。
【００９２】
【表３】
0006915064.tif 000004
【００９３】
２．２．フレーム構造
【００９４】
下りリンク及び上りリンクの伝送は１０ｍｓの長さのフレームで構成される。フレームは１ｍｓの長さの１０個のサブフレームで構成される。この時、各々のサブフレームごとに連続するＯＦＤＭのシンボルの数は
0006915064.tif 000005
である。
【００９５】
各々のフレームは２つの同じサイズのハーフフレーム（ｈａｌｆ−ｆｒａｍｅ）で構成される。この時、各々のハーフフレームはサブフレーム０−４及びサブフレーム５−９で構成される。
【００９６】
副搬送波間隔（ｓｕｂｃａｒｒｉｅｒ  ｓｐａｃｉｎｇ）μに対して、スロットは１つのサブフレーム内において昇順に
0006915064.tif 000006
のようにナンバリングされ、１つのフレーム内において昇順に
0006915064.tif 000007
のようにナンバリングされる。この時、１つのスロット内に連続するＯＦＤＭのシンボルの数
0006915064.tif 000008
は、サイクリックプレフィックスによって以下の表のように決定される。１つのサブフレーム内の開始スロット
0006915064.tif 000009
は、同じサブフレーム内の開始ＯＦＤＭのシンボル
0006915064.tif 000010
と時間の次元で整列されている（ａｌｉｇｎｅｄ）。以下の表４は一般サイクリックプレフィックス（ｎｏｒｍａｌ  ｃｙｃｌｉｃ  ｐｒｅｆｉｘ）のためのスロットごと／フレームごと／サブフレームごとのＯＦＤＭのシンボルの数を示し、表５は拡張されたサイクリックプレフィックス（ｅｘｔｅｎｄｅｄ  ｃｙｃｌｉｃ  ｐｒｅｆｉｘ）のためのスロットごと／フレームごと／サブフレームごとのＯＦＤＭのシンボルの数を示す。
【００９７】
【表４】
0006915064.tif 000011
【００９８】
【表５】
0006915064.tif 000012
【００９９】
本発明が適用可能なＮＲシステムにおいては、上記のようなスロット構造であって、セルフスロット構造（Ｓｅｌｆ−Ｃｏｎｔａｉｎｅｄ  ｓｕｂｆｒａｍｅ  ｓｔｒｕｃｔｕｒｅ）が適用されている。
【０１００】
図６は本発明に適用可能なセルフサブフレーム構造（Ｓｅｌｆ−Ｃｏｎｔａｉｎｅｄ  ｓｕｂｆｒａｍｅ  ｓｔｒｕｃｔｕｒｅ）を示す図である。
【０１０１】
図６において、斜線領域（例えば、ｓｙｍｂｏｌ  ｉｎｄｅｘ＝０）は下りリンク制御（ｄｏｗｎｌｉｎｋ  ｃｏｎｔｒｏｌ）領域を示し、黒色領域（例えば、ｓｙｍｂｏｌ  ｉｎｄｅｘ＝１３）は上りリンク制御（ｕｐｌｉｎｋ  ｃｏｎｔｒｏｌ）領域を示す。その他の領域（例えば、ｓｙｍｂｏｌ  ｉｎｄｅｘ＝１〜１２）は下りリンクデータ伝送又は上りリンクデータ伝送のために使用される。
【０１０２】
このような構造により基地局及びＵＥは１つのスロット内でＤＬ伝送とＵＬ伝送を順次に行うことができ、１つのスロット内でＤＬデータを送受信し、これに対するＵＬ  ＡＣＫ／ＮＡＣＫも送受信することができる。結果として、この構造ではデータ伝送エラーの発生時にデータの再伝送までにかかる時間を短縮させることにより、最終データ伝達の遅延を最小化することができる。
【０１０３】
このようなセルフスロット構造においては、基地局とＵＥが送信モードから受信モードに、又は受信モードから送信モードに転換するために一定の時間の長さのタイムギャップ（ｔｉｍｅ  ｇａｐ）が必要である。このために、セルフスロット構造においてＤＬからＵＬに転換される時点の一部のＯＦＤＭシンボルは、ガード区間（ｇｕａｒｄ  ｐｅｒｉｏｄ、ＧＰ）として設定されることができる。
【０１０４】
以上ではセルフスロット構造がＤＬ制御領域及びＵＬ制御領域を全て含む場合を説明したが、制御領域はセルフスロット構造に選択的に含まれることができる。即ち、本発明によるセルフスロット構造は、図６に示したように、ＤＬ制御領域及びＵＬ制御領域を全て含む場合だけではなく、ＤＬ制御領域又はＵＬ制御領域のみを含む場合もある。
【０１０５】
一例として、スロットは様々なスロットフォーマットを有することができる。この時、各々のスロットのＯＦＤＭシンボルは下りリンク（‘Ｄ’と表す）、フレキシブル（‘Ｘ’と表す）及び上りリンク（‘Ｕ’と表す）に分類される。
【０１０６】
従って、下りリンクスロットにおいてＵＥは下りリンク送信が‘Ｄ’及び‘Ｘ’シンボルでのみ発生すると仮定できる。同様に、上りリンクスロットにおいてＵＥは上りリンク送信が‘Ｕ’及び‘Ｘ’シンボルでのみ発生すると仮定できる。
【０１０７】
２．３．アナログビーム形成（Ａｎａｌｏｇ  Ｂｅａｍｆｏｒｍｉｎｇ）
【０１０８】
ミリ波（Ｍｉｌｌｉｍｅｔｅｒ  Ｗａｖｅ、ｍｍＷ）では波長が短いので、同一面積に多数のアンテナ要素（ｅｌｅｍｅｎｔ）の設置が可能である。即ち、３０ＧＨｚ帯域において波長は１ｃｍであるので、５＊５ｃｍのパネルに０．５ｌａｍｂｄａ（波長）間隔で２次元（２−ｄｉｍｅｎｓｉｏｎ）配列する場合、合計１００個のアンテナ要素を設けることができる。これにより、ミリ波（ｍｍＷ）では多数のアンテナ要素を使用してビーム形成（ｂｅａｍｆｏｒｍｉｎｇ、ＢＦ）利得を上げてカバレッジを増加させるか、或いはスループット（ｔｈｒｏｕｇｈｐｕｔ）を向上させることができる。
【０１０９】
この時、アンテナ要素ごとに伝送パワー及び位相の調節ができるように、各々のアンテナ要素はＴＸＲＵ（ｔｒａｎｓｃｅｉｖｅｒ）を含む。これにより、各々のアンテナ要素は周波数リソースごとに独立的なビーム形成を行うことができる。
【０１１０】
しかし、１００個余りの全てのアンテナ要素にＴＸＲＵを設けることは費用面で実効性が乏しい。従って、１つのＴＸＲＵに多数のアンテナ要素をマッピングし、アナログ位相シフター（ａｎａｌｏｇ  ｐｈａｓｅ  ｓｈｉｆｔｅｒ）でビーム方向を調節する方式が考えられている。かかるアナログビーム形成方式では全帯域において１つのビーム方向のみを形成できるので、周波数選択的なビーム形成が難しいという短所がある。
【０１１１】
これを解決するために、デジタルビーム形成及びアナログビーム形成の中間形態として、Ｑ個のアンテナ要素より少ない数のＢ個のＴＸＲＵを有するハイブリッドビーム形成（ｈｙｂｒｉｄ  ＢＦ）が考えられる。この場合、Ｂ個のＴＸＲＵとＱ個のアンテナ要素の接続方式によって差はあるが、同時に伝送可能なビームの方向はＢ個以下に制限される。
【０１１２】
図７及び図８は、ＴＸＲＵとアンテナ要素（ｅｌｅｍｅｎｔ）の代表的な接続方式を示す図である。ここで、ＴＸＲＵ仮想化（ｖｉｒｔｕａｌｉｚａｔｉｏｎ）モデルは、ＴＸＲＵの出力信号とアンテナ要素の出力信号との関係を示す。
【０１１３】
図７はＴＸＲＵがサブアレイ（ｓｕｂ−ａｒｒａｙ）に接続された方式を示している。図７の場合、アンテナ要素は１つのＴＸＲＵのみに接続される。
【０１１４】
一方、図８はＴＸＲＵが全てのアンテナ要素に接続された方式を示している。図８の場合、アンテナ要素は全てのＴＸＲＵに接続される。この時、アンテナ要素が全てのＴＸＲＵに接続されるためには、図８に示したように、別の加算器が必要である。
【０１１５】
図７及び図８において、Ｗはアナログ位相シフター（ａｎａｌｏｇ  ｐｈａｓｅ  ｓｈｉｆｔｅｒ）により乗じられる位相ベクトルを示す。即ち、Ｗはアナログビーム形成の方向を決定する主要パラメータである。ここで、ＣＳＩ−ＲＳアンテナポートと複数のＴＸＲＵとのマッピングは１：１又は１：多である。
【０１１６】
図７の構成によれば、ビーム形成のフォーカシングが難しいという短所があるが、全てのアンテナ構成を安価に構成できるという長所がある。
【０１１７】
図８の構成によれば、ビーム形成のフォーカシングが容易であるという長所がある。但し、全てのアンテナ要素にＴＸＲＵが接続されるので、全体費用が増加するという短所がある。
【０１１８】
本発明が適用可能なＮＲシステムにおいて、複数のアンテナが使用される場合、デジタルビーム形成（Ｄｉｇｉｔａｌ  ｂｅａｍｆｏｒｍｉｎｇ）及びアナログビーム形成を結合したハイブリッドビーム形成（ｈｙｂｒｉｄ  ｂｅａｍｆｏｒｍｉｎｇ）方式が適用される。この時、アナログビーム形成（又はＲＦ（ｒａｄｉｏ  ｆｒｅｑｕｅｎｃｙ）ビーム形成）は、ＲＦ端でプリコーディング（又は組み合わせ（ｃｏｍｂｉｎｉｎｇ））を行う動作を意味する。またハイブリッドビーム形成において、ベースバンド（ｂａｓｅｂａｎｄ）端とＲＦ端は各々プリコーティング（又は組み合わせ）を行う。これによりＲＦチェーンの数とＤ／Ａ（Ｄｉｇｉｔａｌ  ｔｏ  ａｎａｌｏｇ）（又はＡ／Ｄ（ａｎａｌｏｇ  ｔｏ  ｄｉｇｉｔａｌ））コンバーターの数を減らしながらデジタルビーム形成に近接する性能を得られるという長所がある。
【０１１９】
説明の便宜上、ハイブリッドビーム形成の構造は、Ｎ個の送受信端（ｔｒａｎｓｃｅｉｖｅｒ  ｕｎｉｔ、ＴＸＲＵ）とＭ個の物理的アンテナで表すことができる。この時、送信端から伝送するＬ個のデータ層（ｄｉｇｉｔａｌ  ｌａｙｅｒ）に対するデジタルビーム形成は、Ｎ＊Ｌ（Ｌ  ｂｙ  Ｌ）行列で表される。その後、変換されたＮ個のデジタル信号はＴＸＲＵを介してアナログ信号に変換され、変換された信号に対してＭ＊Ｎ（Ｍ  ｂｙ  Ｎ）行列で表されるアナログビーム形成が適用される。
【０１２０】
図９は、本発明の一例によるＴＸＲＵ及び物理的アンテナ観点におけるハイブリッドビーム形成の構造を簡単に示す図である。この時、図９においてデジタルビームの数はＬ個であり、アナログビームの数はＮ個である。
【０１２１】
さらに、本発明が適用可能なＮＲシステムにおいては、基地局がアナログビーム形成をシンボル単位で変更できるように設計して、所定の地域に位置した端末に効率的なビーム形成を支援する方法が考えられる。さらに、図９に示したように、所定のＮ個のＴＸＲＵとＭ個のＲＦアンテナを１つのアンテナパネルに定義した時、本発明によるＮＲシステムにおいては、互いに独立したハイブリッドビーム形成が適用可能な複数のアンテナパネルを導入する案も考えられる。
【０１２２】
以上のように基地局が複数のアナログビームを活用する場合、端末ごとに信号の受信に有利なアナログビームが異なる。よって本発明が適用可能なＮＲシステムにおいては、基地局が所定のサブフレーム（ＳＦ）内でシンボルごとに異なるアナログビームを適用して（少なくとも同期信号、システム情報、ページング（ｐａｇｉｎｇ）など）信号を伝送することにより、全ての端末が受信機会を得るようにするビームスウィーピング（ｂｅａｍ  ｓｗｅｅｐｉｎｇ）動作が考えられている。
【０１２３】
図１０は本発明の一例による下りリンク（Ｄｏｗｎｌｉｎｋ、ＤＬ）送信過程において、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビームスウィーピング（Ｂｅａｍ  ｓｗｅｅｐｉｎｇ）動作を簡単に示す図である。
【０１２４】
図１０において、本発明が適用可能なＮＲシステムのシステム情報がブロードキャスティング（Ｂｒｏａｄｃａｓｔｉｎｇ）方式で伝送される物理的リソース（又は物理チャネル）を、ｘＰＢＣＨ（ｐｈｙｓｉｃａｌ  ｂｒｏａｄｃａｓｔ  ｃｈａｎｎｅｌ）と称する。この時、１つのシンボル内で互いに異なるアンテナパネルに属する複数のアナログビームは同時に伝送可能である。
【０１２５】
また図１０に示したように、本発明が適用可能なＮＲシステムにおいて、アナログビームごとのチャネルを測定するための構成であって、（所定のアンテナパネルに対応する）単一のアナログビームが適用されて伝送される参照信号（Ｒｅｆｅｒｅｎｃｅ  ｓｉｇｎａｌ、ＲＳ）であるビーム参照信号（Ｂｅａｍ  ＲＳ、ＢＲＳ）の導入が論議されている。ＢＲＳは複数のアンテナポットに対して定義され、ＢＲＳの各々のアンテナポットは単一のアナログビームに対応する。この時、ＢＲＳとは異なり、同期信号又はｘＰＢＣＨは、任意の端末がよく受信するようにアナログビームのグループ内の全てのアナログビームが適用されて伝送される。
【０１２６】
３．ＬＡＡ（Ｌｉｃｅｎｓｅｄ  Ａｓｓｉｓｔｅｄ  Ａｃｃｅｓｓ）システム
【０１２７】
以下、免許帯域（Ｌｉｃｅｎｓｅｄ  Ｂａｎｄ）であるＮＲ又はＬＴＥ帯域と非免許帯域（Ｕｎｌｉｃｅｎｓｅｄ  Ｂａｎｄ）のキャリアアグリゲーションの環境においてデータを送受信する方法について説明する。本発明の実施例において、ＬＡＡシステムはかかる免許帯域と非免許帯域のＣＡ状況を支援する通信システム（例：ＬＴＥシステム又はＮＲシステムなど）を意味する。ここで、非免許帯域としては、ＷｉＦｉ帯域又はブルートゥース（ＢＴ）帯域などが用いられる。
【０１２８】
この時、ＬＡＡとは、非免許帯域で動作するＬＴＥシステム又はＮＲシステムを意味する。またＬＡＡは、免許帯域との組み合わせにより非免許帯域においてデータを送受信する方式を意味することもできる。
【０１２９】
図１１は非免許帯域を支援する無線通信システムにおけるＣＡ環境の一例を示す図である。
【０１３０】
以下、説明の便宜上、ＵＥが２つのコンポーネントキャリア（ＣＣ：Ｃｏｍｐｏｎｅｎｔ  Ｃａｒｒｉｅｒ）を用いて免許帯域と非免許帯域の各々において無線通信を行うように設定された状況を仮定する。勿論、ＵＥに３つ以上のＣＣが構成された場合にも、以下に説明する方法を適用できる。
【０１３１】
本発明の実施例において、免許帯域の搬送波（ＬＣＣ：Ｌｉｃｅｎｓｅｄ  ＣＣ）は、主コンポーネントキャリア（Ｐｒｉｍａｒｙ  ＣＣ：ＰＣＣ又はＰセルとも呼ばれる）であり、非免許帯域の搬送波（Ｕｎｌｉｃｅｎｓｅｄ  ＣＣ：ＵＣＣ）は副コンポーネントキャリア（Ｓｅｃｏｎｄａｒｙ  ＣＣ：ＳＣＣ又はＳセルとも呼ばれる）である場合を仮定する。また本発明の実施例は、多数の免許帯域と多数の非免許帯域がキャリア結合方式により用いられる状況にも拡張して適用することができる。また本発明の提案方式は、３ＧＰＰ  ＬＴＥシステム、３ＧＰＰ  ＮＲシステムだけではなく、他の特定のシステムにも拡張して適用することができる。
【０１３２】
図１１は１つの基地局が免許帯域と非免許帯域を全て支援する場合を示している。即ち、ＵＥは免許帯域であるＰＣＣを介して制御情報及びデータを送受信し、また非免許帯域であるＳＣＣを介して制御情報及びデータを送受信することができる。しかし、図１１に示した状況は一例であり、１つのＵＥが多数の基地局と接続するＣＡ環境にも本発明の実施例を適用できる。
【０１３３】
例えば、ＵＥはマクロ基地局（Ｍ−ｅＮＢ又はＭ−ｇＮＢ：Ｍａｃｒｏ  ｅＮＢ又はＭａｃｒｏ  ｇＮＢ）とＰセルを構成し、スモール基地局（Ｓ−ｅＮＢ又はＳ−ｇＮＢ：Ｓｍａｌｌ  ｅＮＢ又はＳｍａｌｌ  ｇＮＢ）とＳセルを構成する。この時、マクロ基地局及びスモール基地局はバックホールネットワークにより接続されることができる。
【０１３４】
本発明の実施例において、非免許帯域は競争基盤の任意接続方式で動作する。この時、ＬＡＡのためのチャネルアクセス手順（ｃｈａｎｎｅｌ  Ａｃｃｅｓｓ  ｐｒｏｃｅｄｕｒｅｓ  ｆｏｒ  ＬＡＡ）は以下の通りである。
【０１３５】
３．１．下りリンクチャネルアクセス手順（Ｄｏｗｎｌｉｎｋ  ｃｈａｎｎｅｌ  Ａｃｃｅｓｓ  ｐｒｏｃｅｄｕｒｅ）
【０１３６】
ＬＡＡ  Ｓセル（又は非免許帯域）を運営する基地局は、ＬＡＡ  Ｓセル送信が行われるセルに対して、以下のような下りリンクチャネルアクセス手順（Ｃｈａｎｎｅｌ  Ａｃｃｅｓｓ  Ｐｒｏｃｅｄｕｒｅ；ＣＡＰ）を行う。
【０１３７】
３．１．１．ＰＤＳＣＨ／ＰＤＣＣＨ／ＥＰＤＣＣＨを含む送信のためのチャネルアクセス手順（ｃｈａｎｎｅｌ  ａｃｃｅｓｓ  ｐｒｏｃｅｄｕｒｅ  ｆｏｒ  ｔｒａｎｓｍｉｓｓｉｏｎ（ｓ）  ｉｎｃｌｕｄｉｎｇ  ＰＤＳＣＨ／ＰＤＣＣＨ／ＥＰＤＣＣＨ）
【０１３８】
基地局は遅延期間（ｄｅｆｅｒ  ｄｕｒａｔｉｏｎ）Ｔｄのスロット区間の間にチャネルが休止（ｉｄｌｅ）状態であるか否かをセンシングし、以下のステップ４でカウンターＮが０になった後、次のＬＡＡ  Ｓセル送信が行われる搬送波でＰＤＳＣＨ／ＰＤＣＣＨ／ＥＰＤＣＣＨを含む送信を行うことができる。この時、カウンターＮは以下の手順によって追加スロット区間（ａｄｄｉｔｉｏｎａｌ  Ｓｌｏｔ  ｄｕｒａｔｉｏｎ）のためのチャネルセンシングにより調整される：
【０１３９】
１）Ｎ＝Ｎｉｎｉｔと設定。ここで、Ｎｉｎｉｔは０からＣＷＰの間で均等に分布された任意の数である（ｒａｎｄｏｍ  ｎｕｍｂｅｒ  ｕｎｉｆｏｒｍｌｙ  ｄｉｓｔｒｉｂｕｔｅｄ  ｂｅｔｗｅｅｎ  ０  ａｎｄ  ＣＷＰ）。次いで、ステップ４に移る。
【０１４０】
２）Ｎ＞０であり、基地局がカウンターの減少を選択した場合、Ｎ＝Ｎ−１に設定。
【０１４１】
３）追加スロット区間のためのチャネルをセンシングする。この時、追加スロット区間が休止状態である場合、ステップ４に移る。そうではない場合は、ステップ５に移る。
【０１４２】
４）Ｎ＝０であると、該当手順を停止する。そうではないと、ステップ２に移る。
【０１４３】
５）追加遅延区間Ｔｄ内でビジー（ｂｕｓｙ）スロットが検出されるか又は追加遅延区間Ｔｄの全てのスロットが休止状態と検出されるまでチャネルをセンシング。
【０１４４】
６）追加遅延区間Ｔdの全てのスロット区間の間、該当チャネルが休止にセンシングされる場合、ステップ４に移る。そうではない場合は、ステップ５に移る。
【０１４５】
上述した基地局のＰＤＳＣＨ／ＰＤＣＣＨ／ＥＰＤＣＣＨを含む送信のためのＣＡＰを以下のように整理できる。
【０１４６】
図１２は本発明に適用可能な非免許帯域の送信のためのＣＡＰを説明する図である。
【０１４７】
下りリンクの送信に対して送信ノード（例えば、基地局）が非免許帯域セルであるＬＡＡ  Ｓセルで動作するためにチャネルアクセス仮定（ＣＡＰ）を開始する（Ｓ１２１０）。
【０１４８】
基地局はステップ１によって競争ウィンドウ（ＣＷ）内でバックオフカウンターＮを任意に選択できる。この時、Ｎの値は初期値Ｎｉｎｉｔに設定される（Ｓ１２２０）。Ｎｉｎｉｔは０乃至ＣＷの値のうち、任意の値に選択される。
【０１４９】
次いで、ステップ４によってバックオフカウンター値（Ｎ）が０であると（Ｓ１２３０；Ｙ）、基地局はＣＡＰ仮定を終了する（Ｓ１２３２）。その後、基地局はＰＤＳＣＨ／ＰＤＣＣＨ／ＥＰＤＣＣＨを含むＴｘバースト送信を行う（Ｓ１２３４）。一方、バックオフカウンター値が０ではないと（Ｓ１２３０；Ｎ）、基地局はステップ２によってバックオフカウンター値を１だけ減らす（Ｓ１２４０）。
【０１５０】
次いで、基地局はＬＡＡ  Ｓセルのチャネルが休止状態であるか否かを確認して（Ｓ１２５０）、チャネルが休止状態であると（Ｓ１２５０；Ｙ）、バックオフカウンター値が０であるか否かを確認する（Ｓ１２３０）。
【０１５１】
逆に、Ｓ１２５０の段階でチャネルが休止状態ではないと、即ち、チャネルがビジー状態であると（Ｓ１２５０；Ｎ）、基地局はステップ５に従ってスロット時間（例えば、９ｕｓｅｃ）より長い遅延期間（ｄｅｆｅｒ  ｄｕｒａｔｉｏｎ  Ｔｄ；２５ｕｓｅｃ以上）の間に該当チャネルが休止状態であるか否かを確認する（Ｓ１２６２）。遅延期間にチャネルが休止状態であると（Ｓ１２７０；Ｙ）、基地局は再びＣＡＰ過程を再開する。
【０１５２】
一例として、バックオフカウンター値Ｎｉｎｉｔが１０であり、バックオフカウンター値が５まで減少した後、チャネルがビジー状態であると判断されると、基地局は遅延期間の間にチャネルをセンシングして休止状態であるか否かを判断する。この時、遅延期間の間にチャネルが休止状態であると、基地局はバックオフカウンター値Ｎｉｎｉｔを設定せず、バックオフカウンター値５から（又はバックオフカウンター値を１減少させた後４から）再びＣＡＰ過程を行う。
【０１５３】
一方、遅延期間の間にチャネルがビジー状態であると（Ｓ１２７０；Ｎ）、基地局はＳ１２６０の段階を再び行って、新しい遅延期間の間にチャネルが休止状態であるか否かを再確認する。
【０１５４】
上記手順において、ステップ４の後、基地局がＬＡＡ  Ｓセル送信が行われる搬送波上でＰＤＳＣＨ／ＰＤＣＣＨ／ＥＰＤＣＣＨを含む送信を行わない場合、基地局は以下の条件を満たすと、搬送波上でＰＤＳＣＨ／ＰＤＣＣＨ／ＥＰＤＣＣＨを含む送信を行うことができる：
【０１５５】
基地局がＰＤＳＣＨ／ＰＤＣＣＨ／ＥＰＤＣＣＨを送信するように準備されており、少なくともスロット区間ＴＳｌの間に該当チャネルが休止にセンシングされる場合、及び送信前に直ちに遅延区間Ｔｄの全てのスロット区間の間にチャネルが休止にセンシングされる場合
【０１５６】
逆に、送信準備の完了後、基地局がチャネルをセンシングする時、スロット区間ＴＳｌの間にチャネルが休止にセンシングされないか、又は送信前に直ちに遅延区間Ｔｄのいずれかのスロット区間の間にチャネルが休止にセンシングされない場合は、基地局は遅延区間Ｔｄのスロット区間の間にチャネルが休止にセンシングされた後、ステップ１を進行する。
【０１５７】
この遅延区間ＴｄはｍＰ連続するスロット区間の直後に続く区間Ｔｆ（＝１６ｕｓ）で構成される。ここで、各スロット区間（ＴＳｌ）は９ｕｓであり、ＴｆはＴｆの開始地点に休止スロット区間（ＴＳｌ）を含む。
【０１５８】
もし基地局がスロット区間ＴＳｌの間にチャネルをセンシングし、スロット区間内の少なくとも４ｕｓの間に基地局により検出された電力がエネルギー検出閾値ＸＴｈｒｅｓｈより小さい場合、スロット区間ＴＳｌは休止と判断される。そうではない場合は、スロット区間Ｔｓ１はビジーと判断される。
【０１５９】
0006915064.tif 000013
は競争ウィンドウを示す。ここで、ＣＷｐ調整（ＣＷｐ  ａｄｊｕｓｔｍｅｎｔ）については３．１．３．で詳しく説明する。
【０１６０】
0006915064.tif 000014
及び
0006915064.tif 000015
は上述した手順のステップ１の前に選択される（ｂｅ  ｃｈｏｓｅｎ  ｂｅｆｏｒｅ  ｓｔｅｐ  １  ｏｆ  ｔｈｅ  ｐｒｏｃｅｄｕｒｅ  ａｂｏｖｅ）。
【０１６１】
0006915064.tif 000016
、
0006915064.tif 000017
、及び
0006915064.tif 000018
は基地局の送信に関連するチャネルアクセス優先順位クラス（ｃｈａｎｎｅｌ  ａｃｃｅｓｓ  ｐｒｉｏｒｉｔｙ  ｃｌａｓｓ）に基づいて決定される（以下の表６を参照）。
【０１６２】
0006915064.tif 000019
は後述する３．１．４．によって調整される。
【０１６３】
【表６】
0006915064.tif 000020
【０１６４】
上記手順において、Ｎ＞０である場合、基地局がＰＤＳＣＨ／ＰＤＣＣＨ／ＥＰＤＣＣＨを含まない発見信号送信（ｄｉｓｃｏｖｅｒｙ  ｓｉｇｎａｌ  ｔｒａｎｓｍｉｓｓｉｏｎ）を行った場合、基地局はこの発見信号送信と重畳するスロット区間の間にカウンターＮを減少させない。
【０１６５】
基地局はＬＡＡ  Ｓセル送信が行われる搬送波上で表６のＴｍｃｏｔ,ｐを超える区間のために（ｆｏｒ  ａ  ｐｅｒｉｏｄ  ｅｘｃｅｅｄｉｎｇ  Ｔｍｃｏｔ,ｐ）連続する送信を行わない。
【０１６６】
表６のｐ＝３及びｐ＝４において、搬送波を共有する他の技術の不在が長い区間の間に保証されれば（例：規定のレベルによって）（ｉｆ  ｔｈｅ  ａｂｓｅｎｃｅ  ｏｆ  ａｎｙ  ｏｔｈｅｒ  ｔｅｃｈｎｏｌｏｇｙ  ｓｈａｒｉｎｇ  ｔｈｅ  ｃａｒｒｉｅｒ  ｃａｎ  ｂｅ  ｇｕａｒａｎｔｅｅｄ  ｏｎ  ａ  ｌｏｎｇ  ｔｅｒｍ  ｂａｓｉｓ（ｅ．ｇ．、ｂｙ  ｌｅｖｅｌ  ｏｆ  ｒｅｇｕｌａｔｉｏｎ））、Ｔｍｃｏｔ,ｐは１０ｍｓと設定される。そうではない場合は、Ｔｍｃｏｔ,ｐは８ｍｓと設定される。
【０１６７】
３．１．２．発見信号送信を含み、ＰＤＳＣＨを含まない送信のためのチャネルアクセス手順（ｃｈａｎｎｅｌ  ａｃｃｅｓｓ  ｐｒｏｃｅｄｕｒｅ  ｆｏｒ  ｔｒａｎｓｍｉｓｓｉｏｎｓ  ｉｎｃｌｕｄｉｎｇ  ｄｉｓｃｏｖｅｒｙ  ｓｉｇｎａｌ  ｔｒａｎｓｍｉｓｓｉｏｎ（ｓ）  ａｎｄ  ｎｏｔ  ｉｎｃｌｕｄｉｎｇ  ＰＤＳＣＨ）
【０１６８】
基地局の送信区間が１ｍｓ以下である場合、基地局は少なくともセンシング区間Ｔｄｒｓ＝２５ｕｓの間に該当チャネルが休止にセンシングされた後、直ちにＬＡＡ  Ｓセル送信が行われる搬送波上で発見信号送信を含み、ＰＤＳＣＨを含まない送信を行うことができる。ここで、Ｔｄｒｓは１つのスロット区間Ｔｓl＝９ｕｓ直後に続く区間Ｔｆ（＝１６ｕｓ）で構成される。ＴｆはＴｆの開始地点に休止スロット区間（Ｔｓl）を含む。チャネルがスロット区間Ｔｄｒｓの間に休止にセンシングされた場合、チャネルはＴｄｒｓの間に休止であると判断される（ｂｅ  ｃｏｎｓｉｄｅｒｅｄ  ｔｏ  ｂｅ  ｉｄｌｅ）。
【０１６９】
３．１．３．競争ウィンドウの調整手順（Ｃｏｎｔｅｎｔｉｏｎ  ｗｉｎｄｏｗ  ａｄｊｕｓｔｍｅｎｔ  ｐｒｏｃｅｄｕｒｅ）
【０１７０】
基地局が搬送波上でチャネルアクセス優先順位クラスｐに関連するＰＤＳＣＨを含む送信を行う場合、基地局はこの送信のための３．１．１．に記載した手順のステップ１の前に（即ち、ＣＡＰを行う前に）続く手順を用いて競争ウィンドウ値ＣＷｐを維持及び調整する：
【０１７１】
１＞全ての優先順位クラス
0006915064.tif 000021
のために、
0006915064.tif 000022
と設定。
【０１７２】
２＞もし参照サブフレーム（ｒｅｆｅｒｅｎｃｅ  ｓｕｂｆｒａｍｅ）ｋ内のＰＤＳＣＨ送信に対応するＨＡＲＱ−ＡＣＫ値の少なくともＺ＝８０％がＮＡＣＫと決定される場合、全ての優先順位クラス
0006915064.tif 000023
のためのＣＷｐを次に高い許容値（ｎｅｘｔ  ｈｉｇｈｅｒ  ａｌｌｏｗｅｄ  ｖａｌｕｅ）に増加させ、ステップ２に残る（ｒｅｍａｉｎ  ｉｎ  ｓｔｅｐ  ２）。そうではない場合は、ステップ１に移る。
【０１７３】
即ち、参照サブフレームｋ内のＰＤＳＣＨ送信に対応するＨＡＲＱ−ＡＣＫ値がＮＡＣＫに決定される確率が少なくとも８０％である場合、基地局は各優先順位クラスに対して設定されたＣＷ値を各々許容された次の上位順位に増加させる。又は基地局は各優先順位クラスに対して設定されたＣＷ値を初期値として維持する。
【０１７４】
ここで、参照サブフレームｋは、少なくとも一部のＨＡＲＱ−ＡＣＫフィードバックが利用可能であると予想される、基地局により形成された搬送波上における最新送信の開始サブフレームである（Ｒｅｆｅｒｅｎｃｅ  ｓｕｂｆｒａｍｅ  Ｋ  ｉｓ  ｔｈｅ  ｓｔａｒｔｉｎｇ  ｓｕｂｆｒａｍｅ  ｏｆ  ｔｈｅ  ｍｏｓｔ  ｒｅｃｅｎｔ  ｔｒａｎｓｍｉｓｓｉｏｎ  ｏｎ  ｔｈｅ  ｃａｒｒｉｅｒ  ｍａｄｅ  ｂｙ  ｔｈｅ  ｅＮＢ、ｆｏｒ  ｗｈｉｃｈ  ａｔ  ｌｅａｓｔ  ｓｏｍｅ  ＨＡＲＱ−ＡＣＫ  ｆｅｅｄｂａｃｋ  ｉｓ  ｅｘｐｅｃｔｅｄ  ｔｏ  ｂｅ  ａｖａｉｌａｂｌｅ）。
【０１７５】
基地局は全ての優先順位クラス
0006915064.tif 000024
のためのＣＷｐ値を１回だけ、与えられた参照サブフレームｋに基づいて調整する。
【０１７６】
もし
0006915064.tif 000025
である場合、ＣＷｐ調整のための次に高い許容値（ｎｅｘｔ  ｈｉｇｈｅｒ  ａｌｌｏｗｅｄ  ｖａｌｕｅ）は  
0006915064.tif 000026
である。
【０１７７】
参照サブフレームｋ内のＰＤＳＣＨ送信に対応するＨＡＲＱ−ＡＣＫ値がＮＡＣＫと決定される確率（Ｚ）は以下の事項を考慮して決定される。
【０１７８】
−ＨＡＲＱ−ＡＣＫフィードバックが利用可能な基地局の送信がサブフレームｋの２番目のスロットで開始される場合、サブフレームｋ内のＰＤＳＣＨ送信に対応するＨＡＲＱ−ＡＣＫ値及びさらにサブフレームｋ＋１内のＰＤＳＣＨ送信に対応するＨＡＲＱ−ＡＣＫ値も使用される。
【０１７９】
−もしＨＡＲＱ−ＡＣＫ値がＬＡＡ  Ｓセルで送信された（Ｅ）ＰＤＣＣＨにより割り当てられた同一ＬＡＡ  Ｓセル上のＰＤＳＣＨ送信に対応する場合、
【０１８０】
−もし基地局によるＰＤＳＣＨ送信のためのＨＡＲＱ−ＡＣＫフィードバックが検出されないか、又は基地局が‘ＤＴＸ’、‘ＮＡＣＫ／ＤＴＸ’又は他の状態を検出した場合、それはＮＡＣＫとカウントされる（ｉｔ  ｉｓ  ｃｏｕｎｔｅｄ  ａｓ  ＮＡＣＫ）。
【０１８１】
−もしＨＡＲＱ−ＡＣＫ値がＬＡＡ  Ｓセルで送信された（Ｅ）ＰＤＣＣＨにより割り当てられた他のＬＡＡ  Ｓセル上のＰＤＳＣＨ送信に対応する場合、
【０１８２】
−もし基地局によるＰＤＳＣＨ送信のためのＨＡＲＱ−ＡＣＫフィードバックが検出されると、‘ＮＡＣＫ／ＤＴＸ’又は他の状態はＮＡＣＫとカウントされ、‘ＤＴＸ’状態は無視される。
【０１８３】
−もし基地局によるＰＤＳＣＨ送信のためのＨＡＲＱ−ＡＣＫフィードバックが検出されない場合、
【０１８４】
−基地局によりチャネル選択が適用されたＰＵＣＣＨフォーマット１（ＰＵＣＣＨ  ｆｏｒｍａｔ  １  ｗｉｔｈ  ｃｈａｎｎｅｌ  ｓｅｌｅｃｔｉｏｎ）が使用されると予想される場合は、‘非送信（ｎｏ  ｔｒａｎｓｍｉｓｓｉｏｎ）’に対応する‘ＮＡＣＫ／ＤＴＸ’状態はＮＡＣＫとカウントされ、‘非送信’に対応する‘ＤＴＸ’状態は無視される。そうではない場合は、ＰＤＳＣＨ送信のためのＨＡＲＱ−ＡＣＫは無視される。
【０１８５】
−もしＰＤＳＣＨ送信が２コードワードを有する場合、各コードワードのＨＡＲＱ−ＡＣＫ値は個々に考慮される。
【０１８６】
−ＭサブフレームにわたってバンドリングされたＨＡＲＱ−ＡＣＫ（ｂｕｎｄｌｅｄ  ＨＡＲＱ−ＡＣＫ  ａｃｒｏｓｓ  Ｍ  ｓｕｂｆｒａｍｅｓ）は、Ｍ  ＨＡＲＱ−ＡＣＫ応答として考慮される。
【０１８７】
もし基地局がＤＣＩ  ｆｏｒｍａｔ０Ａ／０Ｂ／４Ａ／４ＢのＰＤＣＣＨ／ＥＰＤＤＣＨ（ＰＤＣＣＨ／ＥＤＰＣＣＨ  ｗｉｔｈ  ＤＣＩ  ｆｏｒｍａｔ  ０Ａ／０Ｂ／４Ａ／４Ｂ）を含み、チャネルアクセス優先順位クラスｐに関連するＰＤＳＣＨを含まない送信を時間ｔ０から開始するチャネル上で送信する場合、基地局はこの送信のための３．１．１．に記載した手順のステップ１の以前に（即ち、ＣＡＰを行う前に）続く手順を用いて競争ウィンドウサイズＣＷｐを維持及び調整する：
【０１８８】
１＞全ての優先順位クラス
0006915064.tif 000027
のために、
0006915064.tif 000028
と設定。
【０１８９】
２＞もし時間区間ｔ０及びｔ０＋ＴＣＯの間、タイプ２のチャネルアクセス手順（ｔｙｐｅ  ２  ｃｈａｎｎｅｌ  ａｃｃｅｓｓ  ｐｒｏｃｅｄｕｒｅ、３．２．１．２．に記載）を用いたＵＥから基地局によりスケジュールされたＵＬ送信ブロックの１０％未満の受信に成功する場合、全ての優先順位クラス
0006915064.tif 000029
のためのＣＷｐを次に高い許容値（ｎｅｘｔ  ｈｉｇｈｅｒ  ａｌｌｏｗｅｄ  ｖａｌｕｅ）に増加させ、ステップ２に残る（ｒｅｍａｉｎ  ｉｎ  ｓｔｅｐ  ２）。そうではない場合は、ステップ１に移る。
【０１９０】
ここで、ＴＣＯは後述する３．２．１．により算出される。
【０１９１】
もし
0006915064.tif 000030
がＮｉｎｉｔを生成するためにＫ回連続して使用される場合、ただＮｉｎｉｔを生成するためにＫ回連続して使用された
0006915064.tif 000031
のための優先順位クラスｐに対するＣＷＰのみがＣＷｍｉｎ,ｐと再設定される。この時、Ｋは各優先順位クラス
0006915064.tif 000032
のために｛１、２、…、８｝の値のセットから基地局により選択される。
【０１９２】
３．１．４．エネルギー検出閾値の適応手順（Ｅｎｅｒｇｙ  ｄｅｔｅｃｔｉｏｎ  ｔｈｒｅｓｈｏｌｄ  ａｄａｐｔａｔｉｏｎ  ｐｒｏｃｅｄｕｒｅ）
【０１９３】
ＬＡＡ  Ｓセル送信が行われる搬送波にアクセスする基地局はエネルギー検出閾値（ＸＴｈｒｅｓｈ）を最大エネルギー検出閾値ＸＴｈｒｅｓｈ＿ｍａｘ以下に設定する。
【０１９４】
この時、最大エネルギー検出閾値ＸＴｈｒｅｓｈ＿ｍａｘは、以下のように決定される。
【０１９５】
−もし搬送波を共有する他の技術の不在が長い区間の間に保証されれば（例：既定のレベルにより）（ｉｆ  ｔｈｅ  ａｂｓｅｎｃｅ  ｏｆ  ａｎｙ  ｏｔｈｅｒ  ｔｅｃｈｎｏｌｏｇｙ  ｓｈａｒｉｎｇ  ｔｈｅ  ｃａｒｒｉｅｒ  ｃａｎ  ｂｅ  ｇｕａｒａｎｔｅｅｄ  ｏｎ  ａ  ｌｏｎｇ  ｔｅｒｍ  ｂａｓｉｓ（ｅ．ｇ．、ｂｙ  ｌｅｖｅｌ  ｏｆ  ｒｅｇｕｌａｔｉｏｎ））、
【０１９６】
−
0006915064.tif 000033
【０１９７】
−ここで、Ｘrは規定された場合、規定要求値（ｒｅｇｕｌａｔｏｒｙ  ｒｅｑｕｉｒｅｍｅｎｔｓ）で定義される最大エネルギー検出閾値（ｉｎ  ｄＢｍ）である。そうではない場合、
0006915064.tif 000034
【０１９８】
−ではない場合、
【０１９９】
−
0006915064.tif 000035
【０２００】
−ここで、各変数は以下のように定義される。
0006915064.tif 000036
【０２０１】
３．１．５．多重搬送波上の送信のためのチャネルアクセス手順（ｃｈａｎｎｅｌ  ａｃｃｅｓｓ  ｐｒｏｃｅｄｕｒｅ  ｆｏｒ  ｔｒａｎｓｍｉｓｓｉｏｎ（ｓ）  ｏｎ  ｍｕｌｔｉｐｌｅ  ｃａｒｒｉｅｒｓ）
【０２０２】
基地局は以下のタイプＡ又はタイプＢの手順のうちの１つによりＬＡＡ  Ｓセル送信が行われる多重搬送波にアクセスすることができる。
【０２０３】
３．１．５．１．タイプＡの多重搬送波のアクセス手順（ｔｙｐｅ  Ａ  ｍｕｌｔｉ−ｃａｒｒｉｅｒ  Ａｃｃｅｓｓ  ｐｒｏｃｅｄｕｒｅｓ）
【０２０４】
ここで開示する手順によって基地局は各搬送波  
0006915064.tif 000037
上のチャネルアクセスを行う。ここで、Ｃは基地局が送信しようとする（ｉｎｔｅｎｄ  ｔｏ  ｔｒａｎｓｍｉｔ）搬送波のセットであり、
0006915064.tif 000038
であり、ｑは基地局が送信しようとする搬送波の数である。
【０２０５】
上述した３．１．１．におけるカウンターＮ（即ち、ＣＡＰで考慮されるカウンターＮ）は、各搬送波
0006915064.tif 000039
ごとに決定され、この場合、各搬送波ごとのカウンターは
0006915064.tif 000040
と表示する。この時、
0006915064.tif 000041
は以下の３．１．５．１．１．又は３．１．５．１．２．により維持される。
【０２０６】
３．１．５．１．１．タイプＡ１（ｔｙｐｅ  Ａ1）
【０２０７】
３．１．１．におけるカウンターＮ（即ち、ＣＡＰで考慮されるカウンターＮ）は、各搬送波
0006915064.tif 000042
ごとに独立して決定され、各搬送波ごとのカウンターは
0006915064.tif 000043
と表示する。
【０２０８】
基地局がある１つの搬送波
0006915064.tif 000044
上の送信を中止した場合、もし搬送波を共有する他の技術の不在が長い区間の間に保証されれば（例：既定のレベルによって）（ｉｆ  ｔｈｅ  ａｂｓｅｎｃｅ  ｏｆ  ａｎｙ  ｏｔｈｅｒ  ｔｅｃｈｎｏｌｏｇｙ  ｓｈａｒｉｎｇ  ｔｈｅ  ｃａｒｒｉｅｒ  ｃａｎ  ｂｅ  ｇｕａｒａｎｔｅｅｄ  ｏｎ  ａ  ｌｏｎｇ  ｔｅｒｍ  ｂａｓｉｓ（ｅ．ｇ．、ｂｙ  ｌｅｖｅｌ  ｏｆ  ｒｅｇｕｌａｔｉｏｎ））、各搬送波ｃi（この時、ｃiはｃjとは異なる、
0006915064.tif 000045
）のために、
0006915064.tif 000046
の区間を待機した後、又は
0006915064.tif 000047
を再初期化（ｒｅｉｎｉｔｉａｌｉｓｉｎｇ）した後、休止スロットが検出されると、基地局は
0006915064.tif 000048
減少を再開することができる（ｒｅｓｕｍｅ）。
【０２０９】
３．１．５．１．２．タイプＡ２（ｔｙｐｅ  Ａ２）
【０２１０】
各搬送波
0006915064.tif 000049
ごとのカウンターＮは上述した３．１．１．により決定され、この時、各搬送波ごとのカウンターは
0006915064.tif 000050
と表示する。ここで、
0006915064.tif 000051
は最大のＣＷp値を有する搬送波を意味する。各搬送波
0006915064.tif 000052
のために、
0006915064.tif 000053
と設定される。
【０２１１】
基地局が
0006915064.tif 000054
が決定されたある１つの搬送波に対する送信を中断する場合、基地局は全ての搬送波のための
0006915064.tif 000055
を再初期化する（ｒｅｉｎｉｔｉａｌｉｓｅ）。
【０２１２】
３．１．５．２．タイプＢの多重搬送波のアクセス手順（ｔｙｐｅ  Ｂ  ｍｕｌｔｉ−ｃａｒｒｉｅｒ  ａｃｃｅｓｓ  ｐｒｏｃｅｄｕｒｅ）
【０２１３】
搬送波
0006915064.tif 000056
は基地局によって以下のように選択される。
【０２１４】
−基地局は多重搬送波
0006915064.tif 000057
上の各々の送信に先立って、上記Ｃから均等にランダムに
0006915064.tif 000058
を選択するか、又は
【０２１５】
−基地局は毎１秒毎に１回以上
0006915064.tif 000059
を選択しない。
【０２１６】
ここで、Ｃは基地局が送信しようとする（ｉｎｔｅｎｄ  ｔｏ  ｔｒａｎｓｍｉｔ）搬送波のセットであり、
0006915064.tif 000060
であり、ｑは基地局が送信しようとする搬送波の数である。
【０２１７】
搬送波
0006915064.tif 000061
上における送信のために、基地局は３．１．５．２．１．又は３．１．５．２．２．に記載した修訂事項（ｍｅｄｉｃａｔｉｏｎ）と共に、３．１．１．に記載した手順によって搬送波
0006915064.tif 000062
上のチャネルアクセスを行う。
【０２１８】
0006915064.tif 000063
である搬送波のうち、搬送波
0006915064.tif 000064
上における送信のために、
【０２１９】
各搬送波
0006915064.tif 000065
のために、基地局は搬送波
0006915064.tif 000066
上における送信の直前に（ｉｍｍｅｄｉａｔｅｌｙ  ｂｅｆｏｒｅ）少なくともセンシング区間（Ｓｅｎｓｉｎｇ  ｉｎｔｅｒｖａｌ）
0006915064.tif 000067
の間に搬送波
0006915064.tif 000068
をセンシングする。また、基地局は少なくともセンシング区間
0006915064.tif 000069
の間に搬送波
0006915064.tif 000070
が休止であることをセンシングした直後（ｉｍｍｅｄｉａｔｅｌｙ  ａｆｔｅｒ）、搬送波
0006915064.tif 000071
上で送信を行うことができる。与えられた区間
0006915064.tif 000072
内の搬送波
0006915064.tif 000073
上の休止センシングが行われる全ての時間区間の間にチャネルが休止にセンシングされる場合、搬送波
0006915064.tif 000074
は
0006915064.tif 000075
のための休止と考慮される。
【０２２０】
基地局は搬送波
0006915064.tif 000076
0006915064.tif 000077
上で表６のＴｍｃｏｔ,ｐを超える区間のために（ｆｏｒ  ａ  ｐｅｒｉｏｄ  ｅｘｃｅｅｄｉｎｇ  Ｔｍｃｏｔ,ｐ）連続する送信を行わない。ここで、Ｔｍｃｏｔ,ｐは搬送波
0006915064.tif 000078
のために使用されるチャネルアクセスパラメータを用いて決定される。
【０２２１】
３．１．５．２．１．タイプＢ１（ｔｙｐｅ  Ｂ１）
【０２２２】
単一のＣＷp値は搬送波セット
0006915064.tif 000079
のために維持される。
【０２２３】
搬送波
0006915064.tif 000080
上のチャネルアクセスのためのＣＷpを決定するために、上述した３．１．３．における手順のステップ２が以下のように修訂される。
【０２２４】
−全ての搬送波
0006915064.tif 000081
の参照サブフレームｋ内のＰＤＳＣＨ送信に対応するＨＡＲＱ−ＡＣＫ値の少なくとも
0006915064.tif 000082
がＮＡＣＫと決定される場合、全ての優先順位クラス
0006915064.tif 000083
のためのＣＷpを次に高い許容値（ｎｅｘｔ  ｈｉｇｈｅｒ  ａｌｌｏｗｅｄ  ｖａｌｕｅ）に増加させる。そうではない場合は、ステップ１に移る。
【０２２５】
３．１．５．２．２．タイプＢ２（Ｔｙｐｅ  Ｂ２）
【０２２６】
３．１．３．に記載した手順を用いてＣＷp値は各搬送波
0006915064.tif 000084
のために独立して維持される。搬送波
0006915064.tif 000085
のためのＮｉｎｉｔを決定するために、搬送波
0006915064.tif 000086
のＣＷｐ値が使用される。ここで、
0006915064.tif 000087
はセットＣ内の全ての搬送波のうち、最大のＣＷｐを有する搬送波である。
【０２２７】
３．２．上りリンクチャネルアクセス手順（Ｕｐｌｉｎｋ  ｃｈａｎｎｅｌ  ａｃｃｅｓｓ  ｐｒｏｃｅｄｕｒｅｓ）
【０２２８】
ＵＥ及び基地局のためのＵＬ送信をスケジュールする基地局は、ＬＡＡ  Ｓセル送信を行うチャネルへのアクセスのために以下の手順を行う。
【０２２９】
３．２．１．上りリンク送信のためのチャネルアクセス手順（ｃｈａｎｎｅｌ  ａｃｃｅｓｓ  ｐｒｏｃｅｄｕｒｅ  ｆｏｒ  ｕｐｌｉｎｋ  ｔｒａｎｓｍｉｓｓｉｏｎ（ｓ））
【０２３０】
ＵＥはＬＡＡ  ＳセルのＵＬ送信が行われる搬送波上にタイプ１又はタイプ２のＵＬチャネルアクセス手順によってアクセスできる。タイプ１のチャネルアクセス手順については以下の３．２．１．１．に詳しく説明する。タイプ２のチャネルアクセス手順については以下の３．２．１．２．に詳しく説明する。
【０２３１】
もしＰＵＳＣＨ送信をスケジュールするＵＬグラントがタイプ１のチャネルアクセス手順を指示する場合、ここでは特に言及しない限り、ＵＥはＰＵＳＣＨ送信を含む送信を行うためにタイプ１のチャネルアクセスを行う。
【０２３２】
もしＰＵＳＣＨ送信をスケジュールするＵＬグラントがタイプ２のチャネルアクセス手順を指示する場合は、特に言及しない限り、ＵＥはＰＵＳＣＨ送信を含む送信を行うためにタイプ２のチャネルアクセスを行う。
【０２３３】
ＰＵＳＣＨ送信を含まないＳＲＳ（Ｓｏｕｎｄｉｎｇ  Ｒｅｆｅｒｅｎｃｅ  Ｓｉｇｎａｌ）送信のために、ＵＥはタイプ１のチャネルアクセスを行う。ＵＬチャネルアクセス優先順位クラスｐ＝１はＰＵＳＣＨを含まないＳＲＳ送信のために利用される。
【０２３４】
【表７】
0006915064.tif 000088
【０２３５】
‘ＵＬ  ｃｏｎｆｉｇｕｒａｔｉｏｎ  ｆｏｒ  ＬＡＡ’フィールドがサブフレームｎのための‘ＵＬ  ｏｆｆｓｅｔ’ｌ及び‘ＵＬ  ｄｕｒａｔｉｏｎ’ｄを設定する場合、
【０２３６】
もしＵＥ送信の最後がサブフレームｎ＋ｌ＋ｄ−１内又は以前に発生すると、ＵＥはサブフレームｎ＋ｌ＋ｉ
0006915064.tif 000089
内の送信のためにタイプ２のチャネルアクセス手順を用いることができる。
【０２３７】
もしＵＥがＰＤＣＣＨ  ＤＣＩ  ｆｏｒｍａｔ０Ｂ／４Ｂを用いてサブフレームセット
0006915064.tif 000090
内のＰＵＳＣＨを含む送信を行うようにスケジュールされ、ＵＥがサブフレーム
0006915064.tif 000091
内の送信のためのチャネルアクセスをできない場合、ＵＥはＤＣＩ内に指示されたチャネルアクセスタイプによってサブフレーム
0006915064.tif 000092
内の送信を行うように試みる必要がある（Ｓｈａｌｌ  ａｔｔｅｍｐｔ  ｔｏ  ｍａｋｅ  ａ  ｔｒａｎｓｍｉｓｓｉｏｎ）。ここで、
0006915064.tif 000093
であり、ｗはＤＣＩ内に指示されたスケジュールサブフレームの数である。
【０２３８】
もしＵＥが１つ以上のＰＤＣＣＨ  ＤＣＩ  ｆｏｒｍａｔ０Ａ／０Ｂ／４Ａ／４Ｂを用いてサブフレームセット
0006915064.tif 000094
内のＰＵＳＣＨを含むギャップのない送信（ｔｒａｎｓｍｉｓｓｉｏｎ  ｗｉｔｈｏｕｔ  ｇａｐｓ  ｉｎｃｌｕｄｉｎｇ  ＰＵＳＣＨ）を行うようにスケジュールされ、ＵＥがタイプ１又はタイプ２のチャネルアクセス手順のうちの１つによる搬送波へのアクセス後にサブフレーム
0006915064.tif 000095
内の送信を行う場合、ＵＥはサブフレーム
0006915064.tif 000096
後に送信を続けることができる（ｍａｙ  ｃｏｎｔｉｎｕｅ  ｔｒａｎｓｍｉｓｓｉｏｎ  ｉｎ  ｓｕｂｆｒａｍｅ  ａｆｔｅｒ
0006915064.tif 000097
）。ここで、
0006915064.tif 000098
である。
【０２３９】
もしサブフレームｎ＋１内のＵＥ送信の開始がすぐサブフレーム内のＵＥ送信の終わりに従う場合（ｉｍｍｅｄｉａｔｅｌｙ  ｆｏｌｌｏｗ）、ＵＥはサブフレーム内の送信のために異なるチャネルアクセスタイプが指示されることを期待しない。
【０２４０】
もしＵＥが１つ以上のＰＤＣＣＨ  ＤＣＩ  ｆｏｒｍａｔ０Ａ／０Ｂ／４Ａ／４Ｂを用いてサブフレーム
0006915064.tif 000099
内のギャップのない送信（ｔｒａｎｓｍｉｓｓｉｏｎ  ｗｉｔｈｏｕｔ  ｇａｐｓ）を行うようにスケジュールされ、もしＵＥがサブフレーム
0006915064.tif 000100
0006915064.tif 000101
の間又は以前に送信を停止し（ｓｔｏｐ）、もしＵＥが送信を停止した後、ＵＥによって該当チャネルが連続して休止にセンシングされる場合、ＵＥはサブフレーム
0006915064.tif 000102
以後
0006915064.tif 000103
タイプ２のチャネルアクセス手順を用いて送信を行うことができる。もしＵＥが送信を停止した後、ＵＥによって該当チャネルが連続して休止にセンシングされない場合は、ＵＥはサブフレーム
0006915064.tif 000104
の後
0006915064.tif 000105
サブフレーム
0006915064.tif 000106
に対応するＤＣＩ内に指示されたＵＬチャネルアクセス優先順位クラスのタイプ１のチャネルアクセス手順を用いて送信を行うことができる。
【０２４１】
もしＵＥがＵＥグラントを受信し、ＤＣＩがタイプ１のチャネルアクセス手順を用いたサブフレームｎ内のＰＵＳＣＨ送信の開始を指示し、もしＵＥがサブフレームｎ以前にタイプ１のチャネルアクセス手順を続けて進行している場合（ｔｈｅ  ＵＥ  ｈａｓ  ａｎ  ｏｎｇｏｉｎｇ  ｔｙｐｅ  １  ｃｈａｎｎｅｌ  ａｃｃｅｓｓ  ｐｒｏｃｅｄｕｒｅ  ｂｅｆｏｒｅ  ｓｕｂｆｒａｍｅ  ｎ）、
【０２４２】
−もし進行中（ｏｎｇｏｉｎｇ）のタイプ１のチャネルアクセス手順のために使用されるＵＬチャネルアクセス優先順位クラス値ｐ１がＤＣＩ内に指示されたＵＬチャネルアクセス優先順位クラス値ｐ２以上である場合、ＵＥはＵＬグラントに応答して進行中のタイプ１のチャネルアクセス手順を用いて搬送波にアクセスすることによりＰＵＳＣＨ送信を行うことができる。
【０２４３】
−もし進行中（ｏｎｇｏｉｎｇ）のタイプ１のチャネルアクセス手順のために使用されるＵＬチャネルアクセス優先順位クラス値ｐ１がＤＣＩ内に指示されたＵＬチャネルアクセス優先順位クラス値ｐ２より小さい場合は、ＵＥは進行中のチャネルアクセス手順を中断する（ｔｅｒｍｉｎａｔｅ）。
【０２４４】
もしＵＥがサブフレームｎ内の搬送波セットＣ上で送信するようにスケジュールされ、もし搬送波セットＣ上のＰＵＳＣＨ送信をスケジュールするＵＬグラントがタイプ１のチャネルアクセス手順を指示し、もし搬送波セットＣ内の全ての搬送波のために同じ‘ＰＵＳＣＨ開始地点’が指示され、もし搬送波セットＣの搬送波周波数が予め設定された搬送波周波数セットのうちの１つのセットである場合、
【０２４５】
−ＵＥはタイプ２のチャネルアクセス手順を用いて搬送波
0006915064.tif 000107
上で送信を行うことができる。
【０２４６】
−もし搬送波
0006915064.tif 000108
上の
0006915064.tif 000109
ＵＥ送信の直前に（ｉｍｍｅｄｉａｔｅｌｙ  ｂｅｆｏｒｅ）搬送波
0006915064.tif 000110
上でタイプ２のチャネルアクセス手順が行われた場合、そして
【０２４７】
−もしＵＥがタイプ１のチャネルアクセス手順を用いて搬送波
0006915064.tif 000111
にアクセスしている場合
0006915064.tif 000112
、
【０２４８】
−搬送波セットＣ内のいずれか（ａｎｙ）の搬送波上のタイプ１のチャネルアクセス手順を行う前に、搬送波
0006915064.tif 000113
はＵＥによって搬送波セットＣから均等にランダムに選択される。
【０２４９】
基地局が３．１．１．に記載したチャネルアクセス手順による搬送波上の送信を行う場合（ｔｈｅ  ｂａｓｅ  ｓｔａｔｉｏｎ  ｈａｓ  ｔｒａｎｓｍｉｔｔｅｄ  ｏｎ  ｔｈｅ  ｃａｒｒｉｅｒ  ａｃｃｏｒｄｉｎｇ  ｔｏ  ｔｈｅ  ｃｈａｎｎｅｌ  ａｃｃｅｓｓ  ｐｒｏｃｅｄｕｒｅ  ｄｅｓｃｒｉｂｅｄ  ｉｎ  ｃｌａｕｓｅ  ３．１．１）、基地局はサブフレームｎ内の搬送波上のＰＵＳＣＨを含む送信をスケジュールするＵＬグラントのＤＣＩ内でタイプ２のチャネルアクセス手順を指示することができる。
【０２５０】
また基地局が３．１．１．に記載したチャネルアクセス手順による搬送波上の送信を行う場合（ｔｈｅ  ｂａｓｅ  ｓｔａｔｉｏｎ  ｈａｓ  ｔｒａｎｓｍｉｔｔｅｄ  ｏｎ  ｔｈｅ  ｃａｒｒｉｅｒ  ａｃｃｏｒｄｉｎｇ  ｔｏ  ｔｈｅ  ｃｈａｎｎｅｌ  Ａｃｃｅｓｓ  ｐｒｏｃｅｄｕｒｅ  ｄｅｓｃｒｉｂｅｄ  ｉｎ  ｃｌａｕｓｅ  ３．１．１）、基地局は‘ＵＬ  ｃｏｎｆｉｇｕｒａｔｉｏｎ  ｆｏｒ  ＬＡＡ’フィールドを用いてＵＥがサブフレームｎ内の搬送波上のＰＵＳＣＨを含む送信のためのタイプ２のチャネルアクセス手順を行えることを指示する。
【０２５１】
又はサブフレームｎがｔ０から開始してｔ０＋ＴＣＯで終わる時間区間内で発生する場合、基地局は搬送波上の
0006915064.tif 000114
の長さを有する基地局による送信に続くサブフレームｎ内で該当搬送波上のＰＵＳＣＨを含む送信をスケジュールすることができる。ここで、
0006915064.tif 000115
であり、各々の変数は以下のように定義される。
【０２５２】
−ｔ０：基地局が送信を開始する時間インスタント（ｔｉｍｅ  ｉｎｓｔａｎｔ）
【０２５３】
−Ｔｍｃｏｔ,ｐ：  ３．１．に従って基地局により決定される
【０２５４】
−Ｔｇ：ｔ０から開始される基地局のＤＬ送信及び基地局によりスケジュールされるＵＬ送信の間及び基地局によりスケジュールされたいずれか２つのＵＬ送信の間で発生する２５ｕｓを超える全てのギャップ区間の総区間
【０２５５】
もしＵＬ送信が連続してスケジュールされる場合、基地局はｔ０及びｔ０＋ＴＣＯ内の連続するサブフレームの間でＵＬ送信をスケジュールする。
【０２５６】
0006915064.tif 000116
の長さ内の搬送波上の基地局の送信に従う搬送波上のＵＬ送信のために、ＵＥはＵＬ送信のためにタイプ２のチャネルアクセス手順を行う。
【０２５７】
もし基地局がＤＣＩ内でＵＥのためにタイプ２のチャネルアクセス手順を指示した場合、基地局はＤＣＩ内のチャネルアクセスを得るために使用されるチャネルアクセス優先順位クラスを指示する。（Ｉｆ  ｔｈｅ  ｂａｓｅ  ｓｔａｔｉｏｎ  ｉｎｄｉｃａｔｅｓ  ｔｙｐｅ  ２  ｃｈａｎｎｅｌ  Ａｃｃｅｓｓ  ｐｒｏｃｅｄｕｒｅ  ｆｏｒ  ｔｈｅ  ＵＥ  ｉｎ  ｔｈｅ  ＤＣＩ、ｔｈｅ  ｂａｓｅ  ｓｔａｔｉｏｎ  ｉｎｄｉｃａｔｅｓ  ｔｈｅ  ｃｈａｎｎｅｌ  ａｃｃｅｓｓ  ｐｒｉｏｒｉｔｙ  ｃｌａｓｓ  ｕｓｅｄ  ｔｏ  ｏｂｔａｉｎ  Ａｃｃｅｓｓ  ｔｏ  ｔｈｅ  ｃｈａｎｎｅｌ  ｉｎ  ｔｈｅ  ＤＣＩ）
【０２５８】
３．２．１．１．タイプ１のＵＬチャネルアクセス手順（ｔｙｐｅ  １  ＵＬ  ｃｈａｎｎｅｌ  Ａｃｃｅｓｓ  ｐｒｏｃｅｄｕｒｅ）
【０２５９】
遅延区間Ｔｄのスロット区間の間にチャネルが休止であることをセンシングし、ステップ４でカウンターＮが０になった後、ＵＥはタイプ１のチャネルアクセス手順を用いた送信を行うことができる。この時、カウンターＮは以下の手順によって追加スロット区間のためのチャネルをセンシングすることにより調整される。
【０２６０】
１）Ｎ＝Ｎｉｎｉｔと設定。ここで、Ｎｉｎｉｔは０からＣＷp  の間で均等に分布された任意の数である（ｒａｎｄｏｍ  ｎｕｍｂｅｒ  ｕｎｉｆｏｒｍｌｙ  ｄｉｓｔｒｉｂｕｔｅｄ  ｂｅｔｗｅｅｎ  ０  ａｎｄ  ＣＷp）。次いで、ステップ４に移る。
【０２６１】
２）Ｎ＞０であり、ＵＥがカウンターの減少を選択した場合、Ｎ＝Ｎ−１と設定。
【０２６２】
３）更なるスロット区間のためのチャネルをセンシング。また追加スロット区間が休止である場合、ステップ４に移る。そうではない場合は、ステップ５に移る。
【０２６３】
４）Ｎ＝０であると、該当手順を停止する。そうではないと、ステップ２に移る。
【０２６４】
５）追加遅延区間Ｔd内のビジー（ｂｕｓｙ）スロットが検出されたか、又は追加遅延区間Ｔdの全てのスロットが休止と検出されるまでチャネルをセンシング。
【０２６５】
６）追加遅延区間Ｔdの全てのスロット区間の間にチャネルが休止にセンシングされる場合、ステップ４に移る。そうではない場合は、ステップ５に移る。
【０２６６】
整理すると、上述したＵＥのタイプ１ＵＬ  ＣＡＰは以下のように整理できる。
【０２６７】
上りリンク送信に対して送信ノード（例えば、ＵＥ）が非免許帯域セルであるＬＡＡ  Ｓセルで動作するために、チャネルアクセス過程（ＣＡＰ）を開始する（Ｓ１２１０）。
【０２６８】
ＵＥはステップ１によって競争ウィンドウ（ＣＷ）内でバックオフカウンターＮを任意に選択することができる。この時、Ｎの値は初期値Ｎｉｎｉｔに設定される（Ｓ１２２０）。Ｎｉｎｉｔは０乃至ＣＷpの間の値のうちの任意の値に選択される。
【０２６９】
次いで、ステップ４によってバックオフカウンター値（Ｎ）が０であると（Ｓ１２３０；Ｙ）、ＵＥはＣＡＰ過程を終了する（Ｓ１２３２）。その後、ＵＥはＴｘバースト送信を行う（Ｓ１２３４）。一方、バックオフカウンター値が０ではないと（Ｓ１２３０；Ｎ）、ＵＥはステップ２によってバックオフカウンター値を１だけ減らす（Ｓ１２４００）。
【０２７０】
次いで、ＵＥはＬＡＡ  Ｓセルのチャネルが休止状態であるか否かを確認して（Ｓ１２５０）、チャネルが休止状態であると（Ｓ１２５０；Ｙ）、バックオフカウンター値が０であるか否かを確認する（Ｓ１２３０）。
【０２７１】
逆に、Ｓ１２５０の段階でチャネルが休止状態ではないと、即ち、チャネルがビジー状態であると（Ｓ１２５０；Ｎ）、ＵＥはステップ５によってスロット時間（例えば、９ｕｓｅｃ）より長い遅延期間（ｄｅｆｅｒ  ｄｕｒａｔｉｏｎ  Ｔｄ；２５ｕｓｅｃ以上）の間に該当チャネルが休止状態であるか否かを確認する（Ｓ１２６２）。遅延期間にチャネルが休止状態であると（Ｓ１２７０；Ｙ）、ＵＥは再びＣＡＰ過程を再開することができる。
【０２７２】
一例として、バックオフカウンター値Ｎｉｎｉｔが１０であり、バックオフカウンター値が５まで減少した後、チャネルがビジー状態と判断されると、ＵＥは遅延期間の間にチャネルをセンシングして休止状態であるか否かを判断する。この時、遅延期間の間にチャネルが休止状態であると、ＵＥはバックオフカウンター値Ｎinitを設定せず、バックオフカウンター値５から（又はバックオフカウンター値を１減少させた後、４から）再びＣＡＰ過程を行う。
【０２７３】
逆に、遅延期間の間にチャネルがビジー状態であると（Ｓ１２７０；Ｎ）、ＵＥはＳ１２６０段階を再び行って新しい遅延期間の間にチャネルが休止状態であるか否かを再確認する。
【０２７４】
かかる手順において、上述した手順のステップ４の後にＵＥがＬＡＡ  Ｓセル送信が行われる搬送波上のＰＵＳＣＨを含む送信を行わない場合、ＵＥは以下の条件を満たすと、搬送波上のＰＵＳＣＨを含む送信を行うことができる。
【０２７５】
−ＵＥがＰＵＳＣＨを含む送信を行う準備ができており、少なくともスロット区間Ｔsl内の該当チャネルが休止にセンシングされる場合、及び
【０２７６】
−ＰＵＳＣＨを含む送信直前に（ｉｍｍｅｄｉａｔｅｌｙ  ｂｅｆｏｒｅ）遅延区間Ｔdの全てのスロット区間の間にチャネルが休止にセンシングされる場合、
【０２７７】
逆に、もしＵＥが送信を行う準備ができた後、このチャネルを最初にセンシングした時、スロット区間Ｔsl内のチャネルが休止にセンシングされないか、又はＰＵＳＣＨを含む意図した送信直前に遅延区間Ｔdのあるスロット区間の間に該当チャネルが休止にセンシングされない場合、ＵＥは遅延区間Ｔdのスロット区間の間に該当チャネルが休止にセンシングされた後、ステップ１に進む。
【０２７８】
この遅延区間Ｔdはｍp連続するスロット区間の直後に続く区間Ｔf（＝１６ｕｓ）で構成される。ここで、各スロット区間（Ｔsl）は９ｕｓであり、ＴｆはＴfの開始地点に休止スロット区間（Ｔsl）を含む。
【０２７９】
もしＵＥがスロット区間Ｔsl  の間にチャネルをセンシングし、スロット区間内に少なくとも４ｕｓの間にＵＥにより測定された電力がエネルギー検出閾値ＸＴｈｒｅｓｈ未満である場合、スロット区間Ｔｓlは休止と判断される（ｂｅ  ｃｏｎｓｉｄｅｒｅｄ  ｔｏ  ｂｅ  ｉｄｌｅ）。そうではない場合は、スロット区間Ｔslはビジーと判断される。
【０２８０】
0006915064.tif 000117
は競争ウィンドウ（ｃｏｎｔｅｎｔｉｏｎ  ｗｉｎｄｏｗ）を示す。ここで、ＣＷｐ調整（ＣＷｐ  ａｄｊｕｓｔｍｅｎｔ）については３．２．２．で詳しく説明する。
【０２８１】
0006915064.tif 000118
及び
0006915064.tif 000119
は上述した手順のステップ１の前に選択される（ｂｅ  ｃｈｏｓｅｎ  ｂｅｆｏｒｅ  ｓｔｅｐ  １  ｏｆ  ｔｈｅ  ｐｒｏｃｅｄｕｒｅ  ａｂｏｖｅ）。
【０２８２】
0006915064.tif 000120
、
0006915064.tif 000121
、及び
0006915064.tif 000122
はＵＥにシグナリングされたチャネルアクセス優先順位クラスに基づいて決定される（表７を参照）。
【０２８３】
0006915064.tif 000123
は後述する３．２．３．によって調整される。
【０２８４】
３．２．１．２．タイプ２のＵＬチャネルアクセス手順（ｔｙｐｅ  ２  ＵＬ  ｃｈａｎｎｅｌ  ａｃｃｅｓｓ  ｐｒｏｃｅｄｕｒｅ）
【０２８５】
もしＰＵＳＣＨを含む送信のためにＵＥがタイプ２チャネルアクセス手順を用いる場合、ＵＥは少なくともセンシング区間
0006915064.tif 000124
の間にチャネルが休止であることをセンシングした直後（ｉｍｍｅｄｉａｔｅｌｙ  ａｆｔｅｒ）、ＰＵＳＣＨを含む送信を行う。Ｔｓｈｏｒｔ＿ｕｌは１つのスロット区間
0006915064.tif 000125
の直後に（ｉｍｍｅｄｉａｔｅｌｙ  ｆｏｌｌｏｗｅｄ）区間
0006915064.tif 000126
のように構成される。ＴｆはＴｆの開始地点に休止スロット区間Ｔｓlを含む。もしスロット区間Ｔｓｈｏｒｔ＿ｕｌの間に休止にセンシングされた場合は、チャネルはＴｓｈｏｒｔ＿ｕｌの間に休止と判断される。
【０２８６】
３．２．２．競争ウィンドウの調整手順（Ｃｏｎｔｅｎｔｉｏｎ  ｗｉｎｄｏｗ  ａｄｊｕｓｔｍｅｎｔ  ｐｒｏｃｅｄｕｒｅ）
【０２８７】
もしＵＥが搬送波上でチャネルアクセス優先順位クラスｐに関連するタイプ１のチャネルアクセス手順を用いて送信を行う場合、ＵＥは送信のための３．２．１．１．に記載した手順のステップ１の前に（即ち、ＣＡＰを行う前に）続く手順を用いて競争ウィンドウ値ＣＷｐを維持及び調整する：
【０２８８】
−ＨＡＲＱ＿ＩＤ＿ｒｅｆに関連する少なくとも１つのＨＡＲＱプロセスのためのＮＤＩ（Ｎｅｗ  Ｄａｔａ  Ｉｎｄｉｃａｔｏｒ）値がトグル（ｔｏｇｇｌｅ）された場合、
【０２８９】
−全ての優先順位クラス
0006915064.tif 000127
のために、
0006915064.tif 000128
と設定。
【０２９０】
−そうではない場合は、全ての優先順位クラス
0006915064.tif 000129
のためのＣＷｐを次に高い許容値（ｎｅｘｔ  ｈｉｇｈｅｒ  ａｌｌｏｗｅｄ  ｖａｌｕｅ）に増加させる。
【０２９１】
ここで、ＨＡＲＱ＿ＩＤ＿ｒｅｆは参照サブフレームｎｒｅｆ内のＵＬ−ＳＣＨのＨＡＲＱプロセスＩＤである。参照サブフレームｎｒｅｆは以下のように決定される。
【０２９２】
−ＵＥがサブフレームｎgでＵＬグラントを受信した場合。ここで、サブフレームｎＷはＵＥがタイプ１のチャネルアクセス手順を用いてＵＬ−ＳＣＨを送信したサブフレームｎg−３前の最近サブフレームである。
【０２９３】
−もしＵＥがサブフレーム
0006915064.tif 000130
内でサブフレームｎ０から開始され、ギャップのないＵＬ−ＳＣＨを含む送信を行う場合、参照サブフレームｎｒｅｆはサブフレームｎ０である。
【０２９４】
−そうではない場合は、参照サブフレームｎｒｅｆはサブフレームｎＷである。
【０２９５】
もしＵＥがサブフレームセット
0006915064.tif 000131
内でＰＵＳＣＨを含み、ギャップのない送信をタイプ１のチャネルアクセス手順を用いて送信するようにスケジューリングされ、もしＵＥがサブフレームセット内でＰＵＳＣＨを含むいかなる送信も行うことができない場合は、ＵＥは全ての優先順位クラス
0006915064.tif 000132
のためにＣＷp値を変更せず維持することができる。
【０２９６】
もし最近スケジュールされた送信のための参照サブフレームもサブフレーム
0006915064.tif 000133
である場合、ＵＥは全ての優先順位クラス
0006915064.tif 000134
のためのＣＷp値を最近スケジュールされたタイプ１のチャネルアクセス手順を用いて、ＰＵＳＣＨを含む送信のためのＣＷp値と同一に維持することができる。
【０２９７】
もし
0006915064.tif 000135
である場合、ＣＷｐ調整のための次に高い許容値（ｎｅｘｔ  ｈｉｇｈｅｒ  ａｌｌｏｗｅｄ  ｖａｌｕｅ）は
0006915064.tif 000136
である。
【０２９８】
もし
0006915064.tif 000137
がＮｉｎｉｔを生成するためにＫ回連続して使用される場合、ただＮｉｎｉｔを生成するためにＫ回連続して使用された
0006915064.tif 000138
のための優先順位クラスｐに対するＣＷpのみをＣＷmin,pと再設定する。この時、Ｋは各優先順位クラス
0006915064.tif 000139
のために｛１、２、…、８｝の値のセットからＵＥにより選択される。
【０２９９】
３．２．３．エネルギー検出閾値の適応手順（Ｅｎｅｒｇｙ  ｄｅｔｅｃｔｉｏｎ  ｔｈｒｅｓｈｏｌｄ  ａｄａｐｔａｔｉｏｎ  ｐｒｏｃｅｄｕｒｅ）
【０３００】
ＬＡＡ  Ｓセル送信が行われる搬送波にアクセスするＵＥは、エネルギー検出閾値（ＸＴｈｒｅｓｈ）を最大エネルギー検出閾値ＸＴｈｒｅｓｈ＿ｍａｘ以下に設定する。
【０３０１】
この時、最大エネルギー検出閾値ＸＴｈｒｅｓｈ＿ｍａｘは以下のように決定される。
【０３０２】
−もしＵＥが上位層パラメータ‘ｍａｘＥｎｅｒｇｙＤｅｔｅｃｔｉｏｎＴｈｒｅｓｈｏｌｄ−ｒ１４’と共に設定される場合、
【０３０３】
−ＸＴｈｒｅｓｈ＿ｍａｘは上位層パラメータによりシグナリングされた値と同一に設定される。
【０３０４】
−そうではない場合は、
【０３０５】
−ＵＥは３．２．３．１．に記載した手順によってＸ’Ｔｈｒｅｓｈ＿ｍａｘを決定する。
【０３０６】
−もしＵＥが上位層パラメータｍａｘＥｎｅｒｇｙＤｅｔｅｃｔｉｏｎＴｈｒｅｓｈｏｌｄＯｆｆｓｅｔ−ｒ１４’と共に設定される場合は、
【０３０７】
−ＸＴｈｒｅｓｈ＿ｍａｘは上位層パラメータによりシグナリングされたオフセット値によって調整されたＸ’Ｔｈｒｅｓｈ＿ｍａｘに設定される。
【０３０８】
−そうではない場合は、
【０３０９】
−ＵＸは
0006915064.tif 000140
と設定する。
【０３１０】
３．２．３．１．デフォルト最大エネルギー検出閾値の算出手順（Ｄｅｆａｕｌｔ  ｍａｘｉｍｕｍ  ｅｎｅｒｇｙ  ｄｅｔｅｃｔｉｏｎ  ｔｈｒｅｓｈｏｌｄ  ｃｏｍｐｕｔａｔｉｏｎ  ｐｒｏｃｅｄｕｒｅ）
【０３１１】
もし上位層パラメータ‘ａｂ  ｓｅｎｃｅＯｆＡｎｙＯｔｈｅｒＴｅｃｈｎｏｌｏｇｙ−ｒ１４’がＴＲＵＥを指示する場合：
【０３１２】
−
0006915064.tif 000141
【０３１３】
−ここで、Ｘｒは規定された場合、規定要求値（ｒｅｇｕｌａｔｏｒｙ  ｒｅｑｕｉｒｅｍｅｎｔｓ）で定義される最大エネルギー検出閾値（ｉｎ  ｄＢｍ）である。そうではない場合、
0006915064.tif 000142
【０３１４】
−ではない場合：
【０３１５】
−
0006915064.tif 000143
【０３１６】
−ここで、各変数は以下のように定義される。
0006915064.tif 000144
【０３１７】
３．３．ＬＡＡシステムに適用可能なサブフレーム構造
【０３１８】
図１３は本発明に適用可能な部分的ＴＴＩ（ｐａｒｔｉａｌ  ＴＴＩ）又は部分的サブフレームを示す図である。
【０３１９】
リリース−１３ＬＡＡシステムでは、ＤＬ送信バーストの送信時にＭＣＯＴを最大限活用して連続する送信を支援するために、ＤｗＰＴＳにより定義される部分的ＴＴＩを定義する。部分的ＴＴＩ（又は部分的サブフレーム）は、ＰＤＳＣＨを送信するにおいて既存のＴＴＩ（例：１ｍｓ）より小さい長さだけ信号を送信する区間を意味する。
【０３２０】
本発明では説明の便宜上、開始部分的ＴＴＩ（Ｓｔａｒｔｉｎｇ  Ｐａｒｔｉａｌ  ＴＴＩ）又は開始部分的サブフレームは、サブフレーム内における前側の一部シンボルを空けた形態をいい、終了部分的ＴＴＩ（Ｅｎｄｉｎｇ  Ｐａｒｔｉａｌ  ＴＴＩ）又は終了部分的サブフレームは、サブフレーム内における後側の一部シンボルを空けた形態をいう（一方、完全なＴＴＩは一般ＴＴＩ（Ｎｏｒｍａｌ  ＴＴＩ）又は全体ＴＴＩ（Ｆｕｌｌ  ＴＴＩ）という）。
【０３２１】
図１３は上述した部分的ＴＴＩの様々な形態を示す図である。図１３において、１番目の図は終了部分的ＴＴＩ（又はサブフレーム）を示し、２番目の図は開始部分的ＴＴＩ（又はサブフレーム）を示す。また３番目の図はサブフレーム内における前側及び後側の一部シンボルを空けた形態で部分的ＴＴＩ（又はサブフレーム）を示している。ここで、一般ＴＴＩにおいて信号送信を除いた時間区間を送信ギャップ（ＴＸ  ｇａｐ）という。
【０３２２】
但し、図１３ではＤＬ動作を基準として説明したが、ＵＬ動作についても同様に適用できる。一例として、ＰＵＣＣＨ及び／又はＰＵＳＣＨが送信される形態も図１３に示した部分的ＴＴＩ構造を適用できる。
【０３２３】
４．提案する実施例
【０３２４】
以下、上記のような技術的思想に基づいて本発明で提案する構成について詳しく説明する。
【０３２５】
より多い通信機器がより大きな通信容量を要求することにより、無線アクセスシステムにおいて制限された周波数帯域の効率的な活用がもっと重要になっている。よって、３ＧＰＰＬＴＥ／ＮＲシステムのようなセルラー通信システムも、既存のＷｉＦｉシステムが主に使用する２．４ＧＨｚ帯域のような非免許帯域や新しく注目されている５ＧＨｚ及び６０ＧＨｚ帯域のような非免許帯域をトラフィックオフローディングに活用する案を支援する。
【０３２６】
上述したように、基本的に非免許帯域は、各通信ノード間の競争により無線送受信を行う方式を仮定しているので、各通信ノードが信号を送信する前にチャネルセンシングを行って該当チャネルで他の通信ノードが信号送信を行っていないことを確認する必要がある。
【０３２７】
このような動作をＬＢＴ（ｌｉｓｔｅｎ  ｂｅｆｏｒｅ  ｔａｌｋ）又はチャネルアクセス手順（ｃｈａｎｎｅｌ  ａｃｃｅｓｓ  ｐｒｏｃｅｄｕｒｅ；ＣＡＰ）という。特に、他の通信ノードが信号送信を行っているか否かを確認する動作をＣＳ（ｃａｒｒｉｅｒ  ｓｅｎｓｉｎｇ）といい、ＣＳにより他の通信ノードが信号送信を行っていないと判断された場合をＣＣＡ（ｃｌｅａｒ  ｃｈａｎｎｅｌ  ａｓｓｅｓｓｍｅｎｔ）が確認されたと定義する。
【０３２８】
本発明が適用可能なＬＴＥ／ＮＲシステムの基地局又はＵＥは、非免許帯域（以下、Ｕ−ｂａｎｄという）における信号送信のためにＬＢＴ又はＣＡＰを行う必要がある。また、ＬＴＥ／ＮＲシステムの基地局又はＵＥが信号を送信する場合、ＷｉＦｉなどの他の通信ノードもＬＢＴ又はＣＡＰを行って干渉を防ぐ必要がある。例えば、ＷｉＦｉ標準（８０１．１１ａｃ）でＣＣＡ閾値はｎｏｎ−ＷｉＦｉ信号について−６２ｄＢｍ、ＷｉＦｉ信号について−８２ｄＢｍと規定されている。従って、ＳＴＡやＡＰは−６２ｄＢｍ以上の電力でＷｉＦｉ以外の信号が受信されると、干渉を起こさないように信号送信しないことができる。
【０３２９】
本発明によれば、非免許帯域でＵＥの上りリンクデータ送信のために、まず基地局が非免許帯域上のＵＬグラント送信のためのＣＡＰ（又はＬＢＴ）に成功しなければならず、ＵＥもＵＬデータ送信のためのＣＡＰ（又はＬＢＴ）に成功しなければならない。即ち、基地局端と端末端における２回のＣＡＰ（又はＬＢＴ）が全部成功しないと、ＵＥがＵＬデータ送信を試みることができない。
【０３３０】
またＬＴＥシステムでは、ＵＬグラントからスケジュールされたＵＬデータ間の最小４ｍｓｅｃの遅延が必要とされるので、これにより該当時間の間に（例：遅延時間）非免許帯域で共存する他の送信ノードが先にアクセスすることによりスケジュールされたＵＬデータの送信が遅延されることができる。このため、非免許帯域でＵＬデータ送信の効率性を高める方法が様々に論議されている。
【０３３１】
よって、本発明ではＵＬグラント無しにＵＬデータを送信できる自律的なＵＬ送信（ａｕｔｏｎｏｍｏｕｓ  ＵＬ  ｔｒａｎｓｍｉｓｓｉｏｎ、以下、ａｕｔｏ＿Ｔｘ又はＡＵＬ送信という）方法について詳しく説明する。より具体的には、本発明ではＡＵＬ送信のための活性化（ａｃｔｉｖａｔｉｏｎ）及び／又はリリース（ｒｅｌｅａｓｅ）方法、ＣＡＰ（又はＬＢＴ）方法、送信電力調節方法などについて詳しく説明する。
【０３３２】
４．１．ＡＵＬ送信の活性化及び／又はリリース方法
【０３３３】
本発明によって非免許帯域でＡＵＬ送信を設定するにおいて、基地局はＬＴＥ  ｓｅｍｉ−ｐｅｒｓｉｓｔｅｎｔ  ｓｃｈｅｄｕｌｉｎｇ（ＳＰＳ）のようにＲＲＣ及び／又は上位層シグナリングにより一部情報（例：周期性（ｐｅｒｉｏｄｉｃｉｔｙ）、期間内にＡＵＬ送信用として有効なサブフレーム（ＳＦ）の数、ＤＭ−ＲＳシーケンス情報、変調及びコード体系（ｃｏｄｉｎｇ  ｓｃｈｅｍｅ）情報、ＨＡＲＱプロセスインデックスのうちの一部又は全部）を予め設定しておき、第１層シグナリング（Ｌ１  ｓｉｇｎａｌｉｎｇ）（例：ＤＣＩ）によりＡＵＬ送信を活性化及び／又は非活性化（又はリリース）することができる。
【０３３４】
図１４は本発明によるＵＥのＡＵＬ送信動作を簡単に示す図である。
【０３３５】
図１４に示したように、ＳＦ♯０（又はＳｌｏｔ＃０、以下では説明の便宜上、関連構成をＳＦ＃ｎと称する。但し、ＳＦ＃ｎはＳｌｏｔ＃Ｎとも解釈できる）において、基地局がＡＵＬ送信に対する活性化を行った場合、該当情報を受信したＵＥはＳＦ♯４から所定の周期（ｐｅｒｉｏｄ）及び長さ（ｄｕｒａｔｉｏｎ）である５ｍｓ周期及び２ｍｓの長さに基づいてＡＵＬ送信のためのＳＦを認知することができる。次いで、ＵＥが該当ＳＦに対してＬＢＴ（又はＣＡＰ）を行って成功した場合、ＵＥは更なるＵＬグラントがなくてもＵＬ送信を試みることができる。
【０３３６】
この時、長さ（ｄｕｒａｔｉｏｎ）情報は、Ｌ１シグナリングにより動的に（ｄｙｎａｍｉｃ）設定される。又は長さ（ｄｕｒａｔｉｏｎ）情報は、ＲＲＣシグナリングにより所定の長さ内で送信可能な最大ＳＦ数がＬ１シグナリングにより動的に設定されることにより動的に設定される。
【０３３７】
この時、設定された長さ（ｄｕｒａｔｉｏｎ）は、周期（又はｐｅｒｉｏｄ−Ｋ  ＳＦｓ又はｍｓ）より長く設定してはいけないという制約がある。一例として、周期が５ｍｓ（又は５ＳＦｓ）である場合、設定可能な最大の長さ（ｄｕｒａｔｉｏｎ）は５−Ｋ  ＳＦｓ又はｍｓ（例：ｋ＝１）である。
【０３３８】
またＡＵＬ送信に利用可能なＨＡＲＱプロセスインデックスの数が設定される。この時、期間内に送信が許容された最大ＳＦ数よりＡＵＬ送信に利用可能なＨＡＲＱプロセスインデックスの数が多い必要がある。一例として、特定の期間内に送信が許容された最大ＳＦ数が２つであり、ＡＵＬ送信用のＨＡＲＱプロセスインデックスの数が１つである場合を仮定する。この場合、ＵＥが該当期間内に同じＨＡＲＱプロセスインデックスを有するＳＦを複数個送信できるので、ＨＡＲＱ手順が効率的に動作しないことができる。
【０３３９】
参考として、従来のＬＴＥシステムにおいて、ＳＰＳを活性化及び／又はリリースするＤＣＩは各々、既存のＤＬ及びＵＬデータをスケジュールするＤＣＩと同じフォーマットを使用し、互いに異なるＲＮＴＩ（ｒａｄｉｏ  Ｎｅｔｗｏｒｋ  Ｔｅｍｐｏｒａｒｙ  Ｉｄｅｎｔｉｆｉｅｒ）によりＣＲＣ（ｃｙｃｌｉｃ  ｒｅｄｕｎｄａｎｃｙ  Ｃｈｅｃｋ）マスキングすることにより区分した。即ち、ＵＥはＣＲＣマスキングされた互いに異なるＲＮＴＩに基づいて該当ＤＣＩがＳＰＳの活性化及び／又はリリースを指示するＤＣＩであるか否かを区分することができる。即ち、ＳＰＳ−Ｃ−ＲＮＴＩによりＣＲＣ確認（ｃｈｅｃｋ）される場合、ＵＥは該当ＤＣＩがＳＰＳ用であることを認知することができる。
【０３４０】
以下、表８は‘Ｓｐｅｃｉａｌ  ｆｉｅｌｄｓ  ｆｏｒ  Ｓｅｍｉ−Ｐｅｒｓｉｓｔｅｎｔ  ｓｃｈｅｄｕｌｉｎｇ  ａｃｔｉｂａｔｉｏｎ  ＰＤＣＣＨ／ＥＰＤＣＣＨ  Ｖａｌｉｄａｔｉｏｎ’を示し、表９は‘Ｓｐｅｃｉａｌ  ｆｉｅｌｄｓ  ｆｏｒ  Ｓｅｍｉ−Ｐｅｒｓｉｓｔｅｎｔ  ｓｃｈｅｄｕｌｉｎｇ  Ｒｅｌｅａｓｅ  ＰＤＣＣＨ／ＥＰＤＣＣＨ  Ｖａｌｉｄａｔｉｏｎ’を示す。
【０３４１】
さらに、以下の表のようにＤＣＩ  ｆｏｒｍａｔによって特定のフィールド値を予め設定することにより、ＵＥは対応するＰＤＣＣＨ／ＥＰＤＣＣＨがＳＰＳ活性化及び／又はリリース用であるか否かについて有効性検査（ｖａｌｉｄａｔｉｏｎ）を行うことができる。またＳＰＳ活性化及び／又はリリース用のＤＣＩ内におけるＮＤＩ（ｎｅｗ  ｄａｔａ  ｉｎｄｉｃａｔｏｒ）値は‘０’と固定され、ＮＤＩフィールドも有効性検査用（ｖａｌｉｄａｔｉｏｎ）として活用できる。
【０３４２】
【表８】
0006915064.tif 000145
【０３４３】
【表９】
0006915064.tif 000146
【０３４４】
またＲｅＬ−１４ＬＴＥシステムにおいて、ＬＡＡ  ＳＣｅｌｌにおけるＵＬスケジューリングのために既存のＤＣＩ  ｆｏｒｍａｔ０／４の代わりに、新しいＤＣＩ  ｆｏｒｍａｔが導入される。
【０３４５】
より具体的には、ＤＣＩ  ｆｏｒｍａｔ０Ａ／０Ｂは、ＴＭ１（ｔｒａｎｓｍｉｓｓｉｏｎ  ｍｏｄｅ  １）又は１ＴＢ（ｔｒａｎｓｐｏｒｔ  ｂｌｏｃｋ）又は１ｃｗ（ｃｏｄｅｗｏｒｄ）送信が設定されたＵＥの（ＬＡＡ  ＳＣｅｌｌにおける）ＵＬスケジュール用として活用され、ＤＣＩ  ｆｏｒｍａｔ４Ａ／４Ｂは、ＴＭ２又は２ＴＢｓ又は２ＣＷＳの送信が設定されたＵＥの（ＬＡＡ  ＳＣｅｌｌにおける）ＵＬスケジュール用として活用される。この時、ＤＣＩ  ｆｏｒｍａｔ０Ａ／４Ａは単一ＳＦのみをスケジュールできるＤＣＩ  ｆｏｒｍａｔであり、ＤＣＩ  ｆｏｒｍａｔ０Ｂ／４Ｂは多重ＳＦ（例：１つ以上のＳＦ）をスケジュールできるＤＣＩ  ｆｏｒｍａｔである。
【０３４６】
この時、既存のＤＣＩ  ｆｏｒｍａｔ０／４に比べてＤＣＩ  ｆｏｒｍａｔ０Ａ／０Ｂ／４Ａ／４Ｂで新しく導入されたフィールドは以下の通りである。
【０３４７】
−ＰＵＳＣＨトリガーＡ：トリガーされていないスケジューリング（Ｎｏｎ−ｔｒｉｇｇｅｒｅｄ  ｓｃｈｅｄｕｌｉｎｇ）である場合は‘０’、トリガーされたスケジューリング（ｔｒｉｇｇｅｒｅｄ  ｓｃｈｅｄｕｌｉｎｇ）である場合は‘１’の値を有する。この時、トリガーされたスケジューリングとは、該当ＤＣＩにより実際ＰＵＳＣＨタイミングを知らせず、別に送信されるｃｏｍｍｏｎ  ＰＤＣＣＨによりＰＵＳＣＨタイミングが決定されるスケジューリング方式を意味する。
【０３４８】
−タイミングオフセット（Ｔｉｍｉｎｇ  ｏｆｆｓｅｔ）：４ビット幅（ｂｉｔ−ｗｉｄｔｈ）で構成される。フィールドはＳＦ＃ｎ＋４からＳＦ＃ｎ＋１９までのＰＵＳＣＨタイミングオフセットを指示する。
【０３４９】
−ＨＡＲＱプロセス数：非同期（Ａｓｙｎｃｈｒｏｎｏｕｓ）ＨＡＲＱ導入によりＵＬグラントでもシグナリングされる。
【０３５０】
−冗長バージョン（Ｒｅｄｕｎｄａｎｃｙ  ｖｅｒｓｉｏｎ）：非同期（Ａｓｙｎｃｈｒｏｎｏｕｓ）ＨＡＲＱ導入によってＵＬグラントでもシグナリングされる。
【０３５１】
−ＰＵＳＣＨ開始地点：フィールドはＳｌｏｔ♯０境界、Ｓｌｏｔ♯１境界及びＳｌｏｔ♯０とＳｌｏｔ♯１の境界の間の地点をＰＵＳＣＨ開始地点（ｓｔａｒｔｉｎｇ  ｐｏｓｉｔｉｏｎ）としてシグナリングすることができる。一般的には、フィールドは該当ＳＦ（又はスロット）内のＰＵＳＣＨ領域の開始時点（例：シンボルインデックス又はシンボル境界の間の特定の時点）を指示するフィールドである。
【０３５２】
−ＰＵＳＣＨ終了地点：フィールドはＰＵＳＣＨ送信時に最後の１つのシンボルを空にするか否かをシグナリングすることができる。一般的には、フィールドは該当ＳＦ（又はスロット）内のＰＵＳＣＨ領域の終了時点（例：シンボルインデックス又はシンボル境界の間の特定の時点）を指示するフィールドである。
【０３５３】
−チャネルアクセスタイプ（Ｃｈａｎｎｅｌ  Ａｃｃｅｓｓ  ｔｙｐｅ）：フィールドは非免許帯域に許容されたチャネルアクセス手順のタイプのうちの１つを指示するフィールドである。一例として、フィールドは、ランダムバックオフ基盤のタイプ１のチャネルアクセス、又は一定時間の間にのみＣＣＡを行って休止（ｉｄｌｅ）／ビジー（ｂｕｓｙ）を判別するタイプ２のチャネルアクセスのうちの１つを指示する。
【０３５４】
−チャネルアクセス優先順位クラス：フィールドは４つのチャネルアクセス優先順位クラスのうち、１つを指示する。フィールドにより指示される情報は、遅延期間及びＣＷＳなどの設定に活用される。
【０３５５】
−スケジュールされたＳＦｓの数：フィールドはＭｕｌｔｉ−ＳＦ（又はｍｕｌｔｉ−Ｓｌｏｔ）スケジューリングＤＣＩ（例：ＤＣＩ  ｆｏｒｍａｔ０Ｂ／４Ｂ）に存在するフィールドである。フィールドは所定のスケジュール可能な最大ＳＦ数（例：２から４のうち、１つがＲＲＣシグナリングにより設定される）以下の実際スケジュールされたＳＦ数を指示することができる。
【０３５６】
上記のような技術内容に基づいて本発明に提案する構成は以下の通りである。
【０３５７】
４．１．１．ＡＵＬ送信の検証（ｖａｌｉｄａｔｉｏｎ）方法
【０３５８】
既存のＤＣＩ  ｆｏｒｍａｔ０／４と同一のＤＣＩ  ｆｏｒｍａｔ０Ａ／０Ｂ／４Ａ／４Ｂ上のフィールド（例：ＴＰＣ（ｔｒａｎｓｍｉｓｓｉｏｎ  Ｐｏｗｅｒ  Ｃｏｎｔｒｏｌ）、ＤＭＲＳのＣＳ値、ＭＣＳ、リソース割り当て）は、既存のＳＰＳ活性化及び／又はリリースと同じ方法でＡＵＬ送信に対する活性化及び／又はリリースの検証用（ｖａｌｉｄａｔｉｏｎ）として活用される。さらに、上述した新しく追加されたフィールドも、以下の提案（又は以下の提案の一部）のようにＡＵＬ送信に対する活性化及び／又はリリースの検証用として活用できる。
【０３５９】
−ＰＵＳＣＨトリガーＡ：一般的には、非トリガースケジュールによりＡＵＬ送信がスケジュールされるという仮定下で、該当フィールドは（ＡＵＬ送信に対する活性化及び／又はリリースの検証のために）‘０’と固定される。
【０３６０】
−タイミングオフセット（Ｔｉｍｉｎｇ  ｏｆｆｓｅｔ）：ＡＵＬ送信に対するＰＵＳＣＨタイミングはＲＲＣ設定により設定されるので、このフィールドは（ＡＵＬ送信に対する活性化及び／又はリリースの検証（ｖａｌｉｄａｔｉｏｎ）のために特定の値（例：‘００００’又は‘１１１１’）に固定される。
【０３６１】
−ＨＡＲＱプロセス数：フィールドは（ＡＵＬ送信に対する活性化及び／又はリリースの検証のために）ＤＬ  ＳＰＳのように‘００００’に固定される。又は、フィールドはＡＵＬ送信用に設定されるＨＡＲＱプロセスインデックスの数及び／又は範囲をシグナリングするために活用される。この場合、フィールドは活性化のための検証用としては活用されない。一例として、ＨＡＲＱプロセス数を指示するフィールドが４を指示する場合、ＡＵＬ送信用に設定されたＨＡＲＱプロセスインデックスの数は４つであり、所定のＨＡＲＱプロセスインデックスの開始値Ｎによって実際にＨＡＲＱプロセスインデックスＮ／Ｎ＋１／Ｎ＋２／Ｎ＋３がＡＵＬ送信用として設定されることができる。
【０３６２】
−冗長バージョン（Ｒｅｄｕｎｄａｎｃｙ  ｖｅｒｓｉｏｎ）：フィールドは（ＡＵＬ送信に対する活性化及び／又はリリースの検証用として）ＤＬ  ＳＰＳのように‘００’に固定されることができる。又は、ＤＣＩ  ｆｏｒｍａｔ０Ｂ／４ＢのようにフィールドがＳＦごとに１ビットにのみ設定される場合、各ＳＦごとの１ビット情報は（ＡＵＬ送信に対する活性化及び／又はリリースの検証用として）‘０’に固定される。
【０３６３】
−ＰＵＳＣＨ開始地点：ＡＵＬ送信に対するＰＵＳＣＨ開始地点はＲＲＣにより設定されるか又は予め定義される。従って、フィールドは（ＡＵＬ送信に対する活性化及び／又はリリースの検証用として）特定の値（例：‘００’）に固定される。
【０３６４】
−ＰＵＳＣＨ終了地点：ＡＵＬ送信に対するＰＵＳＣＨ終了地点はＲＲＣにより設定されるか、又は予め定義される。従って、フィールドは（ＡＵＬ送信に対する活性化及び／又はリリースの検証用として）特定の値（例：‘０’又は‘１’）に固定される。
【０３６５】
−チャネルアクセスタイプ：基本的には、全てのＡＵＬ送信がｅＮＢのＣＯＴ（ｃｈａｎｎｅｌ  ｏｃｃｕｐａｎｃｙ  ｔｉｍｅ）内に含まれることができない。従って、タイプ１のチャネルアクセスがデフォルトチャネルアクセス手順（ｄｅｆａｕｌｔ  ｃｈａｎｎｅｌ  ａｃｃｅｓｓ  ｐｒｏｃｅｄｕｒｅ）により設定されることができる。よってフィールドは（ＡＵＬ送信に対する活性化及び／又はリリースの検証用として）‘０’に固定される。
【０３６６】
−チャネルアクセス優先順位クラス：４つのチャネルアクセス優先順位クラスのうちの１つがＲＲＣにより設定されるか、又は予め定義される。従って、フィールドは（ＡＵＬ送信に対する活性化及び／又はリリースの検証用として）特定の値（例：‘００’又は‘１１’）に固定される。
【０３６７】
−スケジュールされたＳＦｓの数：特定の期間内に許容されたＡＵＬ送信のＳＦ（又はスロット）の数はＲＲＣにより設定されるか又は予め定義される。従って、フィールドは（ＡＵＬ送信に対する活性化及び／又はリリースの検証用として）特定の値（例：‘０’又は‘００’）に固定される。
【０３６８】
さらに、非周期的ＳＲＳ（ａｐｅｒｉｏｄｉｃ  ＳＲＳ）をトリガーするフィールドも（ＡＵＬ送信に対する活性化及び／又はリリースの検証用として）特定の値（例：‘０’又は‘００’）に固定される。
【０３６９】
本発明に適用可能な一例として、ＡＵＬ送信に対応する基地局のＨＡＲＱフィードバックが導入され、該当ＨＡＲＱフィードバックのために新しく定義されたＤＣＩ（以下、説明の便宜上、ＨＡＲＱ  ＤＣＩという）とＡＵＬ送信の非活性化ＤＣＩが（ＵＥのＢＤ（Ｂｌｉｎｄ  Ｄｅｃｏｄｉｎｇ）回数を減らすために）同じサイズに定義される。具体的な例として、ＨＡＲＱ  ＤＣＩとＡＵＬ送信の非活性化ＤＣＩは、ＤＣＩ  ｆｏｒｍａｔ０Ａ（又は他のＤＣＩ  ｆｏｒｍａｔ）と同じサイズで定義される。
【０３７０】
この時、ＵＥは２つのＤＣＩ（ＨＡＲＱ  ＤＣＩとＡＵＬ送信の非活性化ＤＣＩ）に対して各々のＲＮＴＩが割り当てられることにより、２つのＤＣＩを区分することができる。又は、ＵＥは２つのＤＣＩ内の特定のフィールド（例：ＰＵＳＣＨトリガーＡ、タイミングオフセット、ＨＡＲＱプロセス数、冗長バージョン、ＰＵＳＣＨ開始地点、ＰＵＳＣＨ終了地点、チャネルアクセスタイプ、チャネルアクセス優先順位クラス、非周期的ＳＲＳをトリガーするフィールド）のうちの１つの指示内容に基づいて２つのＤＣＩを区分できる。一例として、２つのＤＣＩを区分するために、ＤＣＩ内の特定のフィールドの特定の状態はＨＡＲＱ  ＤＣＩ、他の特定の状態はＡＵＬ送信の非活性化ＤＣＩを指示することができる。具体的な例として、‘チャネルアクセスタイプ’フィールドが‘０’であるとＨＡＲＱ  ＤＣＩであり、‘１’であるとＡＵＬ送信の非活性化ＤＣＩであることを指示する。又は他のフィールド値が‘０’であるとＨＡＲＱ  ＤＣＩであり、‘１’であるとＡＵＬ送信の非活性化ＤＣＩであることを指示する。
【０３７１】
さらに、非活性化ＤＣＩについても該当ＤＣＩが活性化ＤＣＩであるか又は非活性化ＤＣＩであるかを区別する必要がある。
【０３７２】
このために、該当ＤＣＩが非活性化ＤＣＩであるか否かは、ＲＢ−ｉｎｔｅｒｌａｃｅ  ａｌｌｏｃａｔｉｏｎに活用されない特定の状態により指示できる。
【０３７３】
又は上記フィールド（例：ＰＵＳＣＨトリガーＡ、タイミングオフセット、ＨＡＲＱプロセス数、冗長バージョン、ＰＵＳＣＨ開始地点、ＰＵＳＣＨ終了地点、チャネルアクセスタイプ、チャネルアクセス優先順位クラス、非周期的ＳＲＳをトリガーするフィールド）のうちの１つが指示する値に基づいて、該当ＤＣＩが活性化ＤＣＩであるか又は非活性化ＤＣＩであるかが区別される。一例として、‘ＰＵＳＣＨ終了地点’フィールドが‘０’であると活性化ＤＣＩであり、‘１’であると非活性化ＤＣＩであることを指示する。又は、他のフィールドが‘０’であると活性化ＤＣＩであり、‘１’であると非活性化ＤＣＩであることを指示する。
【０３７４】
又は上記フィールド（例：ＰＵＳＣＨトリガーＡ、タイミングオフセット、ＨＡＲＱプロセス数、冗長バージョン、ＰＵＳＣＨ開始地点、ＰＵＳＣＨ終了地点、チャネルアクセスタイプ、チャネルアクセス優先順位クラス、非周期的ＳＲＳをトリガーするフィールド）のうちの１つが指示する値に基づいて、該当ＤＣＩがＨＡＲＱ  ＤＣＩ／活性化ＤＣＩ／非活性化ＤＣＩであることを区別できる。一例として、チャネルアクセス優先順位クラスを示す２ビットのフィールドを活用して、該当フィールドが‘００’であるとＨＡＲＱ  ＤＣＩ、‘０１’であると活性化ＤＣＩ、‘１０’であると非活性化ＤＣＩであることを指示する。又は、他のフィールドが‘００’であるとＨＡＲＱ  ＤＣＩ、‘０１’であると活性化ＤＣＩ、‘１０’であると非活性化ＤＣＩであることを指示する。
【０３７５】
又は既存のＤＣＩ  ｆｏｒｍａｔ０Ａ／０Ｂ／４Ａ／４Ｂのうちの１つと同一のサイズを維持したまま、２ビットのフォーマット指示フィールド（ｆｏｒｍａｔ  ｉｎｄｉｃａｔｏｒ  ｆｉｅｌｄ）を新しく構成することにより、該当ＤＣＩがＨＡＲＱ  ＤＣＩ／活性化ＤＣＩ／非活性化ＤＣＩであることを区別できる。一例として、２ビットのフォーマット指示フィールドが‘００’であるとＨＡＲＱ  ＤＣＩ、‘０１’であると活性化ＤＣＩ、‘１０’であると非活性化ＤＣＩであることを指示する。
【０３７６】
本発明に適用可能な他の例として、ＨＡＲＱ  ＤＣＩ内でＡＵＬ送信に対応する基地局のＨＡＲＱフィードバック情報だけではなく、ＭＣＳ（及びＰＭＩ（Ｐｒｅｃｏｄｉｎｇ  Ｍａｔｒｉｘ  Ｉｎｄｉｃａｔｏｒ））の値が指示される。
【０３７７】
この時、ＭＣＳ（及びＰＭＩ）がＨＡＲＱ  ＤＣＩに載せるか否か（及びＨＡＲＱプロセスインデックスごとにＭＣＳ及び／又はＰＭＩがシグナリングされるか否か）は別に設定される。
【０３７８】
また該当ＨＡＲＱ  ＤＣＩが既存のＤＣＩ  ｆｏｒｍａｔ０Ａ／０Ｂ／４Ａ／４Ｂのうちのいずれか１つ（以下、説明の便宜上、ＤＣＩ  ｆｏｒｍａｔ  Ｘという）と同じサイズを維持すると仮定した時、ＡＵＬ送信に割り当てられたＨＡＲＱプロセスインデックスの数及びＵＬ  ＭＩＭＯ支援有無によってＭＣＳ（及びＰＭＩ）がＨＡＲＱ  ＤＣＩに載せるか否かが決定される。即ち、ＨＡＲＱプロセスインデックスの数が（所定の）特定数以上であるか又はＴＭ２（又は２ＴＢ）送信が設定されたＵＥである場合、ＨＡＲＱフィードバックのみでＨＡＲＱ  ＤＣＩ構成が十分である。よって、この場合には、ＭＣＳ（及びＰＭＩ）がＨＡＲＱ  ＤＣＩに載せられないように設定することができる。逆に、ＨＡＲＱプロセスインデックスの数が（所定の）特定数未満であるか又はＴＭ２（又は２ＴＢ）送信が設定されていないＵＥの場合は、ＨＡＲＱフィードバックだけではなく、ＭＣＳ（及びＰＭＩ）が含まれても実質的に含まれる情報はＤＣＩ  ｆｏｒｍａｔ  Ｘのサイズより十分に小さい。この場合、ＭＣＳ（及びＰＭＩ）がＨＡＲＱ  ＤＣＩに載せるように設定できる。
【０３７９】
もしＨＡＲＱ  ＤＣＩ内にＭＣＳ（及びＰＭＩ）情報が含まれる場合、基本的にＳＦ＃ｎで受信したＨＡＲＱ  ＤＣＩ内に含まれたＭＣＳ（及びＰＭＩ）情報は、ＳＦ＃ｎ＋ｋ（例：ｋ＝４）以後にＡＵＬ送信用として設定された全てのＨＡＲＱプロセスインデックス上に適用できる。しかし、ＳＦ＃ｎ（又はＳＦ＃ｎ＋ｋ）時点までＴＸバッファでフラッシュ（ｆｌｕｓｈ）されない（又は再送信が進行中である）ＨＡＲＱプロセスインデックスに対して該当ＴＸバッファがフラッシュされるまでＵＥはＳＦ＃ｎで受信したＭＣＳ（及びＰＭＩ）情報を更新しないことができる。これは、ＲＢ−ｉｎｔｅｒｌａｃｅ  ａｌｌｏｃａｔｉｏｎ情報は、活性化ＤＣＩにより変更されるので、固定されたＲＢ数に対してＭＣＳのみを変更する場合、トランスポートブロックサイズ（ｔｒａｎｓｐｏｒｔ  ｂｌｏｃｋ  ｓｉｚｅ；ＴＢＳ）が変更されることができるためである。又はＳＦ＃ｎ（又はＳＦ＃ｎ＋ｋ）時点までＴＸバッファでフラッシュされない（又は再送信が進行中である）ＨＡＲＱプロセスインデックスについて、該当ＴＸバッファがフラッシュされるまでＵＥはＳＦ＃ｎで受信したＭＣＳ情報のうちのＴＢＳは維持したまま、シグナリングされたＭＣＳに対応する変調次数（ｍｏｄｕｌａｔｉｏｎ  ｏｒｄｅｒ）のみを更新して再送信を試みることができる。
【０３８０】
上述した様々な方法は、ＡＵＬ送信用に設定されたが、ＵＬグラントにより（再）送信が指示されたＨＡＲＱプロセスインデックスについても同様に適用できる。即ち、ＳＦ＃ｎ（又はＳＦ＃ｎ＋ｋ）時点までＡＵＬ送信用として設定されたが、ＵＬグラントにより（再）送信が指示されたＨＡＲＱプロセスインデックスについて、ＵＥはＳＦ＃ｎで受信したＭＣＳ（及びＰＭＩ）情報を更新しないことができる。又はＳＦ＃ｎ（又はＳＦ＃ｎ＋ｋ）時点までＡＵＬ送信用として設定されたが、ＵＬグラントに（再）送信が指示されたＨＡＲＱプロセスインデックスについて、ＵＥはＳＦ＃ｎで受信したＭＣＳ情報のうちのＴＢＳは維持したまま、シグナリングされたＭＣＳに対応する変調次数（ｍｏｄｕｌａｔｉｏｎ  ｏｒｄｅｒ）のみを更新して再送信を試みることができる。
【０３８１】
また、もしＨＡＲＱプロセスインデックスごとにＭＣＳ（及びＰＭＩ）が指示される場合、ＨＡＲＱプロセスインデックスごとに上述した規則が適用されることができる。
【０３８２】
４．１．２．Ｌ１シグナリング方法
【０３８３】
既存のＬＴＥシステムにおいてＤＣＩ  ｆｏｒｍａｔ０に対してのみＳＰＳ活性化及び／又はリリースを許容したことと同様に、ＬＡＡ  ＳＣｅｌｌでも、（ＤＣＩ  ｆｏｒｍａｔ４Ａ／４Ｂではない）ＤＣＩ  ｆｏｒｍａｔ０Ａ／０Ｂに対してのみＡＵＬ送信活性化及び／又はリリースを許容することができる。
【０３８４】
既存のＬＴＥシステムの場合、ＳＰＳ関連ＤＣＩはＰＣｅｌｌでのみ送信され、ＳＰＳデータもＰＣｅｌｌでのみ送信されるという制約がある。しかし、非免許帯域上にＡＵＬ送信を支援するためには、該当非免許帯域（例：ＬＡＡ  ＳＣｅｌｌ）をスケジュールするセルでＡＵＬ送信関連ＤＣＩも送信されることが必要である。
【０３８５】
この時、該当ＤＣＩは既存のＵＬスケジューリングＤＣＩと同じＤＣＩ  ｆｏｒｍａｔが使用されるので、ＣＲＣをマスキングするＲＮＴＩ値で区分される必要がある。一例として、ＡＵＬ送信の活性化及び／又はリリース及び／又はＡＵＬ送信の再送信を指示するＤＣＩは、該当ＵＥに設定された（Ｃ−ＲＮＴＩではない）別のＲＮＴＩによりＣＲＣスクランブルされることができる。
【０３８６】
ＵＬスケジューリングセルが非免許帯域である場合、基地局はＡＵＬ送信の活性化及び／又はリリース及び／又はＡＵＬ送信の再送信を指示するＤＣＩ送信のためにＤＬ  ＬＢＴ（又はＣＡＰ）を行う必要がある。従って、基地局がＬＢＴ（又はＣＡＰ）に失敗する場合は、基地局は該当ＤＣＩ送信を試みることができない。
【０３８７】
よって、該当ＤＣＩ送信の成功率を高めるために、ＵＬスケジューリングセルがＬＡＡ  ＳＣｅｌｌではない免許帯域セル（又はＰＣｅｌｌ）である場合に限ってＡＵＬ送信が許容されることができる。即ち、ＵＬスケジューリングセルが非免許帯域であるセルについてはＡＵＬ送信が許容されないことができる。又はＵＥはＵＬスケジューリングセルが非免許帯域であるセルに対してａｕｔｏ＿Ｔｘが設定されることを期待しないことができる。
【０３８８】
もしｍｕｌｔｉ−ＳＦ（又はｍｕｌｔｉ  Ｓｌｏｔ）  ｓｃｈｅｄｕｌｉｎｇ  ＤＣＩ（例：ＤＣＩ  ｆｏｒｍａｔ０Ｂ）によりＡＵＬ送信が活性化される時、スケジュールされたＳＦｓ（又はスロット）の数を指示するフィールドが指示する値だけのＳＦ（又はスロット）の数は、（Ｌ１シグナリング又は上位層シグナリングにより）設定された期間内に許容されたＡＵＬ送信用のＳＦ（又はスロット）の数を意味するか、又は設定されたＡＵＬ送信用のＳＦ数のうち、実際に送信可能な最大ＳＦ数を意味する。
【０３８９】
この時、スケジュールされたＳＦｓの数を指示するフィールドは、ＡＵＬ送信活性化の検証用としては活用されない。一例として、ＲＲＣシグナリングによりＡＵＬ送信の期間が５ｍｓと設定され、ＡＵＬ送信を活性化するＤＣＩにおいてスケジュールされたＳＦｓの数を２と指示する場合、これは５ｍｓ周期毎で２ｍｓの間に（例：ＳＦ＃ｎ／ｎ＋１／ｎ＋５／ｎ＋６…）ＡＵＬ送信が設定されることを意味する。この時、単一ＳＦ（又はスロット）  ｓｃｈｅｄｕｌｉｎｇ  ＤＣＩ（例：ＤＣＩ  ｆｏｒｍａｔ０Ａ）によりＡＵＬ送信が活性化されることは、設定された期間内に許容されたＡＵＬ送信用のＳＦ（又はスロット）数が１ＳＦであることを意味する。又は、ＲＲＣシグナリングによりＡＵＬ送信の周期は５ｍｓ、長さは３ｍｓに設定された状態でＡＵＬ送信を活性化するＤＣＩでスケジュールされたＳＦｓの数を２と指示する場合、該当３ｍｓの間に送信できる最大ＳＦ数は２に制限される。
【０３９０】
又は、ｍｕｌｔｉ−ＳＦ  ｓｃｈｅｄｕｌｉｎｇ  ＤＣＩのＤＣＩサイズが大きいので、安定した送信のために結合レベル（ａｇｇｒｅｇａｔｉｏｎ  ｌｅｖｅｌ）が大きい（Ｅ）ＰＤＣＣＨを介して該当ＤＣＩを送信することができ、ブロッキング確率（ｂｌｏｃｋｉｎｇ  ｐｒｏｂａｂｉｌｉｔｙ）が増加する可能性があることを考慮して、ｍｕｌｔｉ−ＳＦ  ｓｃｈｅｄｕｌｉｎｇ  ＤＣＩによってはＡＵＬ送信活性化及び／又はリリースが許容されないことができる。言い換えれば、単一ＳＦ（又はスロット）  ｓｃｈｅｄｕｌｉｎｇ  ＤＣＩに対してのみＡＵＬ送信活性化及び／又はリリースが許容されることができる。この時、連続するＳＦにわたってＡＵＬ送信の受信に失敗した基地局が該当ＡＵＬ再送信をｍｕｌｔｉ−ＳＦ  ｓｃｈｅｄｕｌｉｎｇ  ＤＣＩを介して指示することは許容される。ここで、該当ｍｕｌｔｉ−ＳＦ  ｓｃｈｅｄｕｌｉｎｇ  ＤＣＩはＡＵＬ送信用として設定された（Ｃ−ＲＮＴＩではない）別のＲＮＴＩによりＣＲＣスクランブルされ、ＮＤＩ値は１と設定されることができる。言い換えれば、ＵＥはｍｕｌｔｉ−ＳＦ  ｓｃｈｅｄｕｌｉｎｇ  ＤＣＩに対してＡＵＬ送信用として設定された（Ｃ−ＲＮＴＩではない）別のＲＮＴＩによりＣＲＣスクランブルされ、ＮＤＩ値が０であることは期待しない。
【０３９１】
既存のＬＴＥシステムにおいて、多い搬送波に対してキャリアアグリゲーション（ｃａｒｒｉｅｒ  ａｇｇｒｅｇａｔｉｏｎ）が行われる場合、多い搬送波によって（Ｅ）ＰＤＣＣＨ検出すべき端末具現化の複雑度を考慮して、セル／アグリゲーションレベルごとの（Ｅ）ＰＤＣＣＨブラインド検出（Ｂｌｉｎｄ  Ｄｅｔｅｃｔｉｏｎ；ＢＤ）の減少及び特定のＤＣＩのＢＤをスキップ（Ｓｋｉｐ）できるシグナリングが導入された。さらにＬＡＡ  ＵＬではＤＣＩ  ｆｏｒｍａｔごとにＢＤ減少及びスキップ可能なシグナリングが導入された。
【０３９２】
もし特定のＵＥがＡＵＬ送信の活性化及び／又はリリースなどの用途に許容されたＤＣＩ  ｆｏｒｍａｔ（例：ＤＣＩ  ｆｏｒｍａｔ０Ａ）に対してＢＤ回数が０に設定されたか又はＢＤ自体をスキップできるように設定された場合、該当ＡＵＬ送信自体は該当ＵＥに設定できないことができる。従って、ＡＵＬ送信が設定されたＵＥは、ＡＵＬ送信活性化及び／又はリリースなどの用途に許容されたＤＣＩ  ｆｏｒｍａｔ（例：ＤＣＩ  ｆｏｒｍａｔ０Ａ）に対してＢＤ回数が０に設定されるか、又はＢＤ自体をスキップできるように設定されたとしても、該当ＤＣＩ  ｆｏｒｍａｔに対するＢＤ回数が特定の値（例：１）又は既存のＢＤ値に対する特定の比率の値（例：０．５）に設定されることができる。
【０３９３】
又はＡＵＬ送信の活性化及び／又はリリースなどの用途に許容されたＤＣＩ  ｆｏｒｍａｔ（例：ＤＣＩ  ｆｏｒｍａｔ０Ａ）に対してＢＤ回数が０に設定されたか又はＢＤ自体をスキップできるように設定されたＵＥは、ＡＵＬ送信が設定されることを期待しないように設定できる。
【０３９４】
又はＡＵＬ送信の活性化及び／又はリリースなどの用途に許容されたＤＣＩ  ｆｏｒｍａｔが複数個ある時、ＡＵＬ送信が設定されたＵＥは、ＢＤ回数が特定の値（例：１）以上に割り当てられたＤＣＩ  ｆｏｒｍａｔのうち、所定の規則によって１つのＤＣＩ  ｆｏｒｍａｔでＡＵＬ送信の活性化及び／又はリリースされることを期待できる。
【０３９５】
４．１．３．他のＡＵＬ送信の活性化及び／又はリリース方法
【０３９６】
ＡＵＬ送信に必要な全てのパラメータ（例：周期性（ｐｅｒｉｏｄｉｃｉｔｙ）、期間内にＡＵＬ送信用として有効なＳＦ数、ＤＭ−ＲＳシーケンス情報、変調及びコード体系情報、ＨＡＲＱプロセスインデックス、リソース割り当てなど）は、ＲＲＣシグナリングにより設定され、Ｌ１シグナリング内の１ビットの情報のみでＡＵＬ送信の活性化及び／又はリリースを指示できる。
【０３９７】
具体的には、基地局はＵＥ（グループの）ｃｏｍｍｏｎ  ＤＣＩにより複数のＵＥに対して同時にＡＵＬ送信の活性化及び／又はリリースを指示するか、又は該当ＤＣＩ内のフィールドごとに連動するＵＥに個々に活性化及び／又はリリースを指示することができる。
【０３９８】
一例として、ＵＥ１とＵＥ２に共通にＡＵＬ送信の活性化及び／又はリリース用のＵＥグループ−ｃｏｍｍｏｎ  ＤＣＩが設定された場合、該当ＤＣＩは２ビット幅で構成されることができ、該当２ビットのうちの１番目はＵＥ１、２番目はＵＥ２に対するｕｔｏ＿Ｔｘ活性化及び／又はリリース用として設定されることができる。従って、ＵＥ１は該当ＤＣＩのうちの１番目のビット情報が‘１’であるとＡＵＬ送信の活性化（又は‘０’であるとＡＵＬ送信のリリース）と認知することができる。
【０３９９】
又は別のＲＲＣシグナリングによる設定なしに（又はＲＲＣシグナリングの助けなしに）Ａｕｔｏ＿Ｔｘ送信に必要な全てのパラメータ及びａｕｔｏ＿Ｔｘ活性化及び／又はリリースの有無は、Ｌ１シグナリング（例：ＤＣＩ  ｆｏｒｍａｔ０Ｂ）によってのみ指示されることができる。この時、提案したフィールドのうち、少なくともＤＭＲＳ  ＣＳ、ＭＣＳ、ＨＡＲＱプロセス数などのフィールドは、検証用として活用されないこともできる。また期間情報は一部のフィールド（例：ＲＶ）を再解釈して設定できる。
【０４００】
ＵＥ（グループ）ｃｏｍｍｏｎ  ＤＣＩによりＵＬ  ＳＦ（又はスロット又はシンボルグループ）がシグナリングされる。この場合、該当ＤＣＩによりシグナリングされたＵＬ  ＳＦ（又はスロット又はシンボルグループ）によってのみＡＵＬ送信が許容される。この時、ＡＵＬ送信に必要な全てのパラメータ（例：周期性（ｐｅｒｉｏｄｉｃｉｔｙ）、期間内にＡＵＬ送信用として有効なＳＦ数、ＤＭ−ＲＳシーケンス情報、変調及びコード体系（ｃｏｄｉｎｇ  ｓｃｈｅｍｅ）情報、ＨＡＲＱプロセスインデックス、リソース割り当てなど）は、ＲＲＣシグナリングにより予め設定されることができる。
【０４０１】
一例として、本発明が適用可能なＬＡＡシステムでは、基地局がＬＢＴ（又はチャネルアクセス手順）の後に確保した（又は占有した）ＣＯＴのうちの一部をＵＬ用としてＵＥに譲渡することができる（又はＵＬ用としてＵＥが活用するように指示することができる）。このために、基地局は該当ＵＬ  ＳＦに関する情報をｃｏｍｍｏｎ  ＰＤＣＣＨを介してシグナリングすることができ、ＵＥはｃｏｍｍｏｎ  ＰＤＣＣＨを介してシグナリングされたＵＬ  ＳＦに含まれたＵＬ送信を試みる場合、タイプ２のチャネルアクセスを活用してより高い確率で該当（非免許）チャネルにアクセスすることができる。
【０４０２】
かかる場合、ＡＵＬ送信の送信確率を高めるために、ａｕｔｏ＿ＴＸは該当ＵＬ  ＳＦ（即ち、基地局が予め確保したＣＯＴのうちの一部ＳＦ）に対してのみ許容される。ここで、指示されたＵＬ  ＳＦのうち、ＵＥによって実際ＡＵＬ送信が試みられるＳＦ領域はＵＥごとに異なるように（上位層シグナリングにより予め）設定されることができる。例えば、４つの連続するＳＦがＵＬ  ＳＦで設定された場合、ＵＥ１は最初の２ＳＦ、ＵＥ２は最後の１ＳＦでＡＵＬ送信が許容される。
【０４０３】
さらに、ＬＡＡシステムにおいて基地局はｃｏｍｍｏｎ  ＰＤＣＣＨ（基地局が予め確保したＣＯＴのうちの一部のＳＦを指示するＰＤＣＣＨ）を介してトリガーされたＰＵＳＣＨをトリガーできる１ビットのＰＵＳＣＨトリガーＢを送信することができる。もし該当ＰＵＳＣＨトリガーＢのフィールドがオン（ｏｎ）であると、ｃｏｍｍｏｎ  ＰＤＣＣＨを介して設定されたＵＬ  ＳＦのうちの大部分がトリガーされたＰＵＳＣＨにより満たされるので、この場合、ＡＵＬ送信までトリガーすることは好ましくない。従って、ｃｏｍｍｏｎ  ＰＤＣＣＨ内のＰＵＳＣＨトリガーＢがオフ（ｏｆｆ）である場合にのみ、指示されたＵＬ  ＳＦでＡＵＬ送信が許容される。
【０４０４】
ＵＬ送信効率を高めるために、ＡＵＬ送信リソースを過度に設定した場合は、実際にＵＬデータがない場合にスキップされるリソースであるにもかかわらず、基地局は信号送信を試みることが難しいことがある。
【０４０５】
従って、ＤＬデータ送信のためのリソース確保のために、基地局がｃｏｍｍｏｎ  ＰＤＣＣＨを介して次のＳＦのＤＬ  ＳＦを構成するシンボル数を指示する場合、次のＳＦに設定されたＡＵＬ送信リソースがある端末であっても、該当端末はＤＬ受信を試みることができる。
【０４０６】
また基地局がｃｏｍｍｏｎ  ＰＤＣＣＨを介して次の一連のＳＦのうちの特定のＳＦ又は特定ＳＦの一部のシンボル領域がＤＬであることをシグナリングする場合、該当ＳＦに設定されたＡＵＬ送信リソースがある端末であっても、端末はＤＬ受信を試みることができる。
【０４０７】
またＵＥ  ｓｐｅｃｉｆｉｃ  ＤＬ  ｓｃｈｅｄｕｌｉｎｇ  ＤＣＩによりＤＬデータが割り当てられた端末は、該当ＳＦに設定されたＡＵＬ送信リソースがあっても該当ＳＦでＤＬ信号受信を試みることができる。
【０４０８】
また、ＬＡＡシステムのＵＥは、ＲＳＳＩ（Ｒｅｃｅｉｖｅｄ  Ｓｉｇｎａｌ  Ｓｔｒｅｎｇｔｈ  Ｉｎｄｉｃａｔｏｒ）の測定結果を報告するために、特定期間／長さの間のＲＳＳＩ値を測定するためのリソースが設定される。該当リソースをＲＭＴＣ（ＲＳＳＩ  ｍｅａｓｕｒｅｍｅｎｔ  ｔｉｍｉｎｇ  ｃｏｎｆｉｇｕｒａｔｉｏｎ）と定義した時、ＲＭＴＣ区間と重畳するＳＦに設定されたＡＵＬ送信リソースがある端末であっても、該当端末はＡＵＬ送信を試みず、ＲＳＳＩ測定を行うことができる。
【０４０９】
４．１．４．ＡＵＬ送信用のＰＵＳＣＨ開始地点の設定方法
【０４１０】
互いに異なるＵＥの間のＡＵＬ送信ＰＵＳＣＨの開始位置（Ｓｔａｒｔｉｎｇ  ｐｏｓｉｔｉｏｎ）を整列するための方法として、ＰＵＳＣＨ開始位置はＲＲＣシグナリングにより設定されるか、又は活性化ＤＣＩ（又は基地局のＡＵＬ送信に対するＨＡＲＱフィードバック用のＤＣＩ）により指示されることができる。
【０４１１】
又は互いに異なるＵＥ間のＴＤＭ（Ｔｉｍｅ  Ｄｉｖｉｓｉｏｎ  Ｍｕｌｔｉｐｌｅｘｉｎｇ）のためにＵＥ間の開始位置が異なるように設定されることができる。このために、ＵＥごとに異なるＰＵＳＣＨ開始位置がＲＲＣシグナリングにより設定されるか、又は活性化ＤＣＩ（又は基地局のＡＵＬ送信に対するＨＡＲＱフィードバック用のＤＣＩ）により指示されることができ、所定の（ＵＥ特定の）規則によってＵＥごとに異なるようにＰＵＳＣＨ開始位置が決定されることができる。
【０４１２】
特に、同じＵＥの立場で複数のＬＡＡ  ＳＣｅｌｌによりＵＬ送信を行える場合（即ち、ＵＬ  ＣＡ状況で）、ＰＵＳＣＨ開始位置は合わせる必要がある。これは、もしＵＬ  ＬＡＡ  ＳＣｅｌｌごとにＰＵＳＣＨ開始地点が異なると仮定すると、同じＵＥは、あるセル上のＵＬ送信を行いながら他のセル上のＵＬ送信のためのＬＢＴ動作（即ち、ＤＬ動作）を行わなければならず、かかる動作は、該当ＵＥが多数のＲＦチェーンを保有する必要があるためである。従って、同じＵＥの立場で複数のＬＡＡ  ＳＣｅｌｌによりＵＬ送信を行える場合（即ち、ＵＬ  ＣＡ状況で）、該当ＵＥに対してＡＵＬ送信が複数のＵＬ  ＬＡＡ  ＳＣｅｌｌを介して設定されると、ＵＥは同じＳＦに対応するＡＵＬ送信用のＰＵＳＣＨ開始位置が常に同一であるように設定／指示されることを仮定できる。
【０４１３】
また所定の（ＵＥ特定の）規則によってＵＥごとに異なるようにＰＵＳＣＨ開始位置が決定されることができる。この場合、該当ＰＵＳＣＨ開始位置はあるパラメータ（例：セルインデックス、ＵＥ  ＩＤ、ＳＦインデックスなど）の関数により決定される。この時、あるパラメータとは、搬送波インデックス（ｃａｒｒｉｅｒ  ｉｎｄｅｘ）とは関係ないパラメータを意味する。
【０４１４】
４．２．ＬＢＴ（又はＣＡＰ）方法
【０４１５】
ＬＡＡシステムでは、以下の条件のうちの１つでも成立すると、ＵＥのタイプ２のチャネルアクセス後のＵＬ送信が許容される。
【０４１６】
−基地局が確保した（又は占有した）ＣＯＴ内にＵＬ送信が含まれる場合
【０４１７】
−タイプ１のチャネルアクセスが設定したマルチキャリア上の（同じＰＵＳＣＨ開始地点が指示された）ＵＬ  ＳＦに対して任意に選択した１つの搬送波を除いた残りの搬送波上のＵＬ  ＳＦの場合
【０４１８】
−ＤＬ送信後に続くＵＬ送信の間のギャップが一定時間（例：２５ｕｓ）以下である場合
【０４１９】
ＡＵＬ送信設定によるＵＬ送信の場合、周期的に送信候補ＵＬ  ＳＦ（又はスロット）が設定されることができる。従って、上記のような条件が常に満たされることは容易ではない。
【０４２０】
よって、本発明によれば、ＡＵＬ送信設定によるＵＬ送信のために、基本的にランダムバックオフ（ｒａｎｄｏｍ  ｂａｃｋｏｆｆ）基盤のタイプ１のチャネルアクセスが行われ、条件のうち、１つでも成立すると、タイプ２のチャネルアクセスが行われることが許容される。
【０４２１】
４．２．１．ＣＷＳ調節方法
【０４２２】
ランダムバックオフ基盤のチャネルアクセス手順（例：タイプ１のチャネルアクセス）の場合、ＵＥはＣＷＳ以内で１つの任意の数（ランダム数）を選び、チャネルが休止であるたびにその数を１ずつ減少して、０になると、始めて該当チャネルにアクセスすることができる。また、非免許帯域で競争する他のノードとの衝突確率を減らすために、ＵＥが送信したデータに対して基地局が受信に失敗する場合は、ＵＥはＣＷＳを増加させることにより他の送信ノードが同じ任意の数（ｒａｎｄｏｍ  ｎｕｍｂｅｒ）を選ぶ確率を下げる。
【０４２３】
より具体的には、ＬＡＡシステムにおいてＵＥがＵＬグラントをＳＦ＃ｎで受信した場合、ＵＥはｎ−３番目のＳＦ前の最新ＵＬ  ＳＦを含むＵＬ  Ｔｘバーストの１番目の（送信）ＳＦを参照サブフレーム（ｒｅｆｅｒｅｎｃｅ  ＳＦ）と設定し、該当ＵＬグラントで参照サブフレームに対応するＨＡＲＱプロセスＩＤに対して少なくとも１つのＴＢに対して初期送信が指示されると（又はＮＤＩ値がトグルされると）、ＣＷＳ値を初期化し、その他の場合にはＣＷＳ値を所定の順によって次の値に増加させる。
【０４２４】
本発明によれば、ＵＥがＡＵＬ送信のためのＬＢＴ（又はチャネルアクセス手順）を行うにおいて、ＣＷＳ値もＰＵＳＣＨにより調節されたＣＷＳ値をそのまま活用することができる。
【０４２５】
又はＡＵＬ送信のうち、参照サブフレームに対する再送信ＵＬグラントを受信した場合、ＵＥは全てのチャネルアクセス優先順位クラスに対応するＣＷＳ値を増加させることができる。この時、増加したＣＷＳ値はＵＬグラントを受信した後、ｋ  ｍｓ（例：ｋ＝４）に適用される。
【０４２６】
参照ＳＦはＵＬグラント（又はＨＡＲＱ  ＤＣＩ）を受信した時点を基準としてｋ１  ｍｓ（例：ｋ１＝４）の以前に送信が開始されたＵＬ送信バースト（又は連続するＡＵＬ送信）のうちの最初のＳＦを意味する。又は、ＵＬグラントを受信した場合とＨＡＲＱ  ＤＣＩを受信した場合によって、参照サブフレームが異なるように定義される。一例として、ＵＬグラントを受信した場合、参照ＳＦはＵＬグラントを受信した時点を基準としてｋ１  ｍｓ（例：ｋ１＝４）の以前に別のＵＬグラントによりスケジュールされて送信が開始された（タイプ１のチャネルアクセス手順以後に送信された）ＵＬ送信バーストのうちの最初のＳＦを意味することができる。他の例として、ＨＡＲＱ  ＤＣＩを受信した場合、参照サブフレームはＨＡＲＱ  ＤＣＩを受信した時点を基準としてｋ１  ｍｓ（例：ｋ１＝４）の以前に送信が開始された（タイプ１のチャネルアクセス手順後に送信された）連続するＡＵＬ送信（又はＡＵＬ送信に設定されたＨＡＲＱプロセスインデックスに対応するＵＬ送信バースト）のうちの最初のＳＦを意味する。
【０４２７】
また基地局がＡＵＬ送信に対する受信に成功した場合、基地局はこれを知らせる該当ＨＡＲＱプロセスインデックスに対応するＵＬグラントを送信しないことができる。従って、この場合、ＵＥがＣＷＳ値を初期化させる動作が必要である。
【０４２８】
よって、ＵＥが送信したＡＵＬ送信（又は連続するＡＵＬ送信のうち、最初の送信時点）後、Ｔ  ｍｓ（例：Ｔ＝１６又はＡＵＬ送信用に設定されたＨＡＲＱプロセスインデックスの数）の間に該当ＡＵＬ送信に対応する再送信ＵＬグラントがない場合（又は再送信ＵＬグラントが受信されない場合）、ＵＥは全てのチャネルアクセス優先順位クラスに対応するＣＷＳ値を初期化することができる。
【０４２９】
又はＵＥが送信したＡＵＬ送信後、Ｔ  ｍｓ（例：Ｔ＝１６又はＡＵＬ送信用に設定されたＨＡＲＱプロセスインデックスの数）の間に該当ＡＵＬ送信だけではなく、Ｔ  ｍｓの間に送信したＡＵＬ送信（及びＰＵＳＣＨ）に対する全ての再送信ＵＬグラントがない場合（又は再送信ＵＬグラントが受信されない場合）、ＵＥは全てのチャネルアクセス優先順位クラスに対応するＣＷＳ値を初期化することができる。
【０４３０】
またＵＥが送信したＡＵＬ送信ＳＦ（ｓ）（又は連続するＡＵＬ送信のうちの参照ＳＦ）の後、該当ＳＦ（ｓ）に対応する同じＨＡＲＱ  ＩＤが設定されたＡＵＬ送信が再度行われるまでかかる時間をＴ２ｍｓとした時、Ｔ２−ｋ２ｍｓ（例：ｋ２＝４）前に該当ＳＦ（ｓ）の再送信ＵＬグラントを受信できないと、ＵＥは全てのチャネルアクセス優先順位クラスに対応するＣＷＳ値を初期化させる。一例として、各ＳＦに対応するＨＡＲＱプロセスインデックスは予め決定されており、ＳＦ＃ｎでＡＵＬ送信後、ＳＦ＃ｎと同じＨＡＲＱプロセスインデックスが設定されたＳＦ♯（ｎ＋Ｔ２）からｋ２ｍｓ前まで（即ち、ＳＦ＃ｎ〜ＳＦ♯（ｎ＋Ｔ２）−ｋ２の間に）ＳＦ＃ｎに対する再送信ＵＬグラントを受信できない場合、ＵＥは全てのチャネルアクセス優先順位クラスに対応するＣＷＳ値を初期化することができる。
【０４３１】
又は提案したＴ  ｍｓとＴ２−ｋ２ｍｓのうち、最大値に対応する時間の間に参照サブフレームに対する再送信ＵＬグラントを受信できなかった場合、ＵＥは全てのチャネルアクセス優先順位クラスに対応するＣＷＳ値を初期化することができる。
【０４３２】
又は基地局がＡＵＬ送信に対する失敗を知らせるＤＣＩ（例：再送信ＵＬグラント又はＨＡＲＱ−ＡＣＫ情報が含まれたＤＣＩ）を送信しようとしたが、引き続きＬＢＴ（又はチャネルアクセス手順）に失敗して該当ＤＣＩを送信できないこともある。この場合、ＵＥがＣＷＳ値を増加させる記載（又は動作又はメカニズム）が必要である。
【０４３３】
このために、ＵＥが送信したＡＵＬ送信（又は連続するＡＵＬ送信のうちの最初の送信時点）後、Ｔ  ｍｓ（例：ＡＵＬ送信に対する基地局のＨＡＲＱ−ＡＣＫフィードバックがＴ  ｍｓ又はＴ−Ｋ（例：Ｋ＝４）ｍｓの間にない場合、該当ＡＵＬ送信に対する再送信がトリガーされることができる）の間に該当ＡＵＬ送信に対応するＤＣＩ（例：再送信ＵＬグラント又はＨＡＲＱ−ＡＣＫ情報を含むＤＣＩ）がない場合、ＵＥは全てのチャネルアクセス優先順位クラスに対応するＣＷＳ値を増加させることができる。
【０４３４】
また、ＵＥが送信したＡＵＬ送信後、Ｔ  ｍｓ（例：ＡＵＬ送信に対する基地局のＨＡＲＱ−ＡＣＫフィードバックがＴ  ｍｓ又はＴ−Ｋ（例：Ｋ＝４）ｍｓの間にない場合、該当ＡＵＬ送信に対する再送信がトリガーされることができる）の間に該当ＡＵＬ送信だけではなく、Ｔ  ｍｓの間に送信したＡＵＬ送信（及びＰＵＳＣＨ）に対する全てのＤＣＩ（例：再送信ＵＬグラント又はＨＡＲＱ−ＡＣＫ情報を含むＤＣＩ）がない場合は、ＵＥは全てのチャネルアクセス優先順位クラスに対応するＣＷＳ値を増加させることができる。
【０４３５】
基地局がＵＥのＡＵＬ送信に対するＨＡＲＱ−ＡＣＫ情報をＵＥに送信すると仮定する時、ＵＥは以下のように動作できる。
【０４３６】
まず、ＵＥが参照サブフレームのＨＡＲＱプロセスインデックスに対してＡＣＫを受信した場合、ＵＥは全てのチャネルアクセス優先順位クラスに対応するＣＷＳ値を初期化することができる。
【０４３７】
逆に、ＵＥが参照サブフレームのＨＡＲＱプロセスインデックスに対してＮＡＣＫ又はＤＴＸ（ＤＴＸとは、基地局が該当ＨＡＲＱプロセスインデックスに対応するＡＵＬ送信の受信に失敗したことを意味する。ＤＴＸはＨＡＲＱ−ＡＣＫ状態の１つであって、シグナリングされるか又はＨＡＲＱ−ＡＣＫ状態とは異なる情報（例：ＲＶ）とジョイントコーディング（ｊｏｉｎｔ  ｃｏｄｉｎｇ）されてシグナリングされる）を受信した場合、ＵＥは全てのチャネルアクセス優先順位クラスに対応するＣＷＳ値を増加させることができる。この時、増加した又は初期化されたＣＷＳ値はＵＥがＵＬグラントを受信した後、ｋ  ｍｓ（例：ｋ＝４）に適用される。
【０４３８】
ＵＥがＡＵＬ送信（及び／又はＵＬグラントによってスケジュールされたＵＬ送信）の最初のＳＦ（又は該当送信が終了するＳＦ）からＴ  ｍｓの間に（有効な）ＵＬグラント及びＨＡＲＱ  ＤＣＩを受信できない場合（又はＵＥがＴ  ｍｓの間にＵＬグラント及びＨＡＲＱ  ＤＣＩを受信したが、受信したＵＬグラント及びＨＡＲＱ  ＤＣＩが有効ではない場合）、ＵＥはＴ  ｍｓ以後に送信する（タイプ１のチャネルアクセス手順を行って送信する）ＡＵＬ送信（及び／又はＵＬグラントによってスケジュールされたＵＬデータ）に対して全ての優先順位クラスに対応するＣＷＳを増加させることができる。この時、以下の条件のうちのいずれか１つを満たすと、該当ＵＬグラント又はＨＡＲＱ  ＡＣＫは有効ではないＵＬグラント又は有効ではないＨＡＲＱ  ＤＣＩと見なされることができる。
【０４３９】
−ＡＵＬ送信（及び／又はＵＬグラントによりスケジュールされたＵＬ送信）の最初のＳＦ（又は該当送信が終了するＳＦ）からｋ２  ｍｓ（例：ｋ２＝３）以内に受信されたＵＬグラント及び／又はＨＡＲＱ  ＤＣＩ
【０４４０】
−該当送信の最初のＳＦ（又は最後のＳＦ）がＡＵＬ送信であり、ＡＵＬ送信後、Ｔ  ｍｓの間に（又はｋ２  ｍｓ以後からＴ  ｍｓ以内に）ＵＬグラントを受信した場合
【０４４１】
−該当送信の最初のＳＦ（又は最後のＳＦ）がＵＬグラントによりスケジュールされたＵＬ送信であり、ＵＬ送信の後、Ｔ  ｍｓの間に（又はｋ２  ｍｓ以後からＴ  ｍｓ以内に）（ＡＵＬ送信関連の）ＨＡＲＱ  ＤＣＩを受信した場合
【０４４２】
−該当送信の最初のＳＦ（又は最後のＳＦ）がＵＬグラントによりスケジュールされたＵＬ送信であり、ＵＬ送信後、Ｔ  ｍｓの間に（又はｋ２  ｍｓ以後からＴ  ｍｓ以内に）（ＡＵＬ送信関連の）ＨＡＲＱ  ＤＣＩを受信し、ＨＡＲＱ  ＤＣＩが最初のＳＦ（又は最後のＳＦ）に関連するＨＡＲＱプロセスインデックスに対応するＨＡＲＱ−ＡＣＫ情報を含まない場合
【０４４３】
−該当送信の最初のＳＦ（又は最後のＳＦ）がＵＬグラントによりスケジュールされたＵＬ送信であり、ＵＬ送信以後、Ｔ  ｍｓの間に（又はｋ２  ｍｓ以後からＴ  ｍｓ以内に）（ＡＵＬ送信関連の）ＨＡＲＱ  ＤＣＩを受信し、ＨＡＲＱ  ＤＣＩが最初のＳＦ（又は最後のＳＦ）に関連するＨＡＲＱプロセスインデックスに対応するＨＡＲＱ−ＡＣＫ情報を含むか、その情報がＮＡＣＫである場合
【０４４４】
また以下のようなケースによって、ＵＥは以下のようにＣＷＳを調整することができる。まず本発明で考慮するケースは以下の通りである。
【０４４５】
Ｃａｓｅ  １）ＵＥがＨＡＲＱ  ＤＣＩを受信したＳＦ＃ｎより４ＳＦ（即ち、ＳＦ＃ｎ−４）前に開始したＵＬ  Ｔｘバーストのうち、最初のＳＦに対応するＨＡＲＱプロセスインデックスがＡＵＬ送信用として設定されない場合
【０４４６】
Ｃａｓｅ  ２）ＵＥがＵＬグラントを受信したＳＦ＃ｎより４ＳＦ（即ち、ＳＦ＃ｎ−４）前に開始したＵＬ  Ｔｘバーストのうちの最初のＳＦがＡＵＬ送信である場合
【０４４７】
Ｃａｓｅ  ３）ＵＥがＨＡＲＱ  ＤＣＩを受信したＳＦ＃ｎより４ＳＦ（即ち、ＳＦ＃ｎ−４）前に開始したＵＬ  Ｔｘバーストのうち、最初のＳＦに対応するＨＡＲＱプロセスインデックスがＡＵＬ送信用に設定されたが、該当ＳＦがＵＬグラントによりスケジュールされ、ＨＡＲＱ  ＤＣＩに載せた該当ＨＡＲＱプロセスインデックスに対応するＨＡＲＱ−ＡＣＫ情報がＮＡＣＫである場合
【０４４８】
上述したＣａｓｅ  １（又はＣａｓｅ  ２  はＣａｓｅ  ３）の場合、ＵＥは全ての優先順位クラスのＣＷＳを増加又は維持することができる。
【０４４９】
また、Ｃａｓｅ  １、Ｃａｓｅ  ２又はＣａｓｅ  ３の場合、ＵＥはＣＷＳ調節のために上述した実施例より先立つ時間に位置する参照サブフレームを考慮できる。
【０４５０】
より具体的には、Ｃａｓｅ  １の場合、ＳＦ＃ｎ−４前に開始したＵＬ  Ｔｘバーストのうち、最初のＳＦに対応するＨＡＲＱプロセスインデックスがＡＵＬ送信用に設定されたＵＬ  ＴｘバーストのＳＦが参照サブフレームと定義されるか、又はＳＦ＃ｎ−４前に開始したＵＬ  Ｔｘバーストのうち、最初のＳＦに対応するＨＡＲＱプロセスインデックスがＡＵＬ送信用に設定され、ＵＬグラントによりスケジュールされないＵＬ  ＴｘバーストのＳＦが参照サブフレームと定義されることができる。
【０４５１】
またＣａｓｅ  ２の場合、ＳＦ＃ｎ−４前に開始したＵＬ  Ｔｘバーストのうち、最初のＳＦに対応するＨＡＲＱプロセスインデックスがＡＵＬ送信用に設定されないＵＬ  ＴｘバーストのＳＦが参照サブフレームと定義されるが、又はＳＦ＃ｎ−４前に開始したＵＬ  Ｔｘバーストのうち、最初のＳＦに対応するＨＡＲＱプロセスインデックスがＡＵＬ送信用に設定され、ＵＬグラントによりスケジュールされたＵＬ  ＴｘバーストのＳＦが参照サブフレームと定義されることができる。
【０４５２】
またＣａｓｅ  １の場合、ＳＦ＃ｎ−４前に開始したＵＬ  Ｔｘバーストのうち、最初のＳＦに対応するＨＡＲＱプロセスインデックスがＡＵＬ送信用に設定されたＵＬ  ＴｘバーストのＳＦが参照サブフレームと定義されるか、又はＳＦ＃ｎ−４前に開始したＵＬ  Ｔｘバーストのうち、最初のＳＦに対応するＨＡＲＱプロセスインデックスがＡＵＬ送信用に設定され、ＵＬグラントによりスケジュールされないＵＬ  ＴｘバーストのＳＦが参照サブフレームと定義されることができる。
【０４５３】
上述したように、ＡＵＬ送信（及び／又はＵＬグラントによりスケジュールされたＵＬ送信）の最初のＳＦ（又は該当送信が終了するＳＦ）からＴ  ｍｓの間に（有効な）ＵＬグラント及びＨＡＲＱ  ＤＣＩを受信できなかった場合（又はＴ  ｍｓの間にＵＬグラント及びＨＡＲＱ  ＤＣＩを受信したが、受信したＵＬグラント及びＨＡＲＱ  ＤＣＩが有効ではない場合）、ＵＥは最初のＳＦ（又は該当送信が終了するＳＦ）からＴ  ｍｓ後に送信する（タイプ１のチャネルアクセス手順を行って送信する）ＡＵＬ送信（及び／又はＵＬグラントによりスケジュールされたＵＬデータ）に対して全ての優先順位クラスに対応するＣＷＳを増加させることができる。
【０４５４】
より具体的には、ＵＥはＵＬ  Ｔｘバーストごとにタイマーを運用し、基準となるＳＦから（例：該当ＵＬ  Ｔｘバーストの最初のＳＦ又は該当送信が終了するＳＦ）ＳＦ単位（又はｍｓｅｃ単位）でタイマー値を増加させることができる。
【０４５５】
もしＵＥが（タイプ１のチャネルアクセス手順を行って送信する）ＡＵＬ送信（及び／又はＵＬグラントによってスケジュールされたＵＬデータ）に対してＬＢＴ（又はチャネルアクセス手順）を行うにおいて、値がＴ以上である（又はＴを超える）タイマーが１つでもある場合、ＵＥは全ての優先順位クラスに対応するＣＷＳを増加させるか、又は全ての優先順位クラスに対応するＣＷＳを維持することができる。次いで、ＵＥはＣＷＳを増加させた後、Ｔ以上であり（又はＴを超え）、かつ最大値を有するタイマーを初期化（ｒｅｓｅｔ）することができる。またＵＥが（有効な）ＵＬグラント及びＨＡＲＱ  ＤＣＩを受信した場合は、ＵＥは全てのタイマー値を０に初期化することができる。
【０４５６】
図１５及び図１６は本発明によるＵＥの競争ウィンドウサイズ（ＣＷＳ）を調整する動作を簡単に示す図である。
【０４５７】
一例として、図１５のように、ＵＥはＳＦ♯０（又はＳｌｏｔ＃０、以下、説明の便宜上、関連構成をＳＦ＃ｎと称する。但し、ＳＦ＃ｎはＳｌｏｔ＃ｎとも解釈される）で開始したＡＵＬ送信バーストからＴｉｍｅｒ＃１を増加させ、ＳＦ♯２で開始したＡＵＬバーストからＴｉｍｅｒ＃２を増加させて、ＳＦ♯６でＨＡＲＱ  ＤＣＩを発見（又は受信）すると、２つのタイマーを全て初期化する。
【０４５８】
他の例として、図１６のように、ＵＥはＳＦ♯０（又はＳｌｏｔ＃０、以下、説明の便宜上、関連構成をＳＦ＃Ｎと称する。但し、ＳＦ＃ＮはＳｌｏｔ＃Ｎとも解釈される）で開始したＡＵＬバーストからＴｉｍｅｒ＃１を増加させ、ＳＦ♯２で開始したＡＵＬバーストからＴｉｍｅｒ＃２を増加させる。その後、ＵＥがＳＦ♯１０でタイプ１のチャネルアクセス手順を行ってＡＵＬを送信しようとする場合、Ｔ＝８ｍｓであると、Ｔより大きいＴｉｍｅｒ＃１があるので、ＵＥはＣＷＳ値を増加させ、Ｔｉｍｅｒ＃１を初期化することができる。次いで、ＵＥがＳＦ♯１２でタイプ１のチャネルアクセス手順を行ってさらにＡＵＬを送信しようとする場合は、Ｔより大きいＴｉｍｅｒ＃２があるので、ＵＥはＣＷＳ値を増加させ（即ち、ＳＦ♯２のＡＵＬ送信のためのＣＷＳより２回増加させ）、Ｔｉｍｅｒ＃２を初期化することができる。
【０４５９】
本発明において、基地局はＡＵＬ送信のための特定のＨＡＲＱプロセス数を設定でき、ＡＵＬ送信用に割り当てられないＨＡＲＱプロセス数だけではなく、ＡＵＬ送信用に割り当てられたＨＡＲＱプロセス数に対応する上りリンク送信を動的にＵＬグラントによりスケジュールすることができる。また基地局がこのように動作することが許容される。
【０４６０】
一例として、１６個のＨＡＲＱプロセス数のうち、ＨＡＲＱ  ＩＤ＃０がＡＵＬ送信用に割り当てられても、基地局は該当ＨＡＲＱ  ＩＤ＃０に対応するＰＵＳＣＨを動的なＵＬグラントによりスケジュールすることができる。
【０４６１】
またＡＵＬ送信に対応する基地局のＨＡＲＱフィードバックが導入される。以下、説明の便宜上、該当ＨＡＲＱフィードバックのためのＤＣＩをＨＡＲＱ  ＤＣＩという。
【０４６２】
ＨＡＲＱ  ＤＣＩはＡＵＬ送信用に設定されたＨＡＲＱ  ＩＤに対応するＨＡＲＱ−ＡＣＫ情報が常に載せられるように設定される。もしＡＵＬ送信用に割り当てられたＨＡＲＱ  ＩＤに対応するＵＬ（再）送信が動的ＵＬグラントによりＳＦ＃ｎ送信がスケジュールされ、（該当ＳＦが参照ＳＦである場合）一定時間の後（例：ＳＦ＃ｎ＋３の後）ＨＡＲＱ  ＤＣＩを受信した場合は、ＵＥは該当ＨＡＲＱ  ＤＣＩ内に該当参照サブフレームのＨＡＲＱ  ＩＤに対応するＨＡＲＱ−ＡＣＫ情報を活用して以下のようにＣＷＳを調整することができる。
【０４６３】
この時、該当ＵＬ（再）送信は動的なＵＬグラントによりトリガーされるので、ＵＥは該当ＨＡＲＱ−ＡＣＫ情報をＣＷＳ調節（又は調整）に活用しない（Ｍｅｔｈｏｄ  １）。言い換えれば、ＵＥは該当ＨＡＲＱ−ＡＣＫ情報に関係なく、全ての優先順位クラスに対応するＣＷＳを維持することができる。
【０４６４】
またＵＥは該当ＨＡＲＱ  ＩＤに対応するＨＡＲＱ−ＡＣＫ情報のうち、ＡＣＫ情報のみを有効であると見なす（Ｍｅｔｈｏｄ  ２）。言い換えれば、ＵＥは該当ＨＡＲＱ  ＩＤに対応するＨＡＲＱ−ＡＣＫ情報がＡＣＫであると、全ての優先順位クラスに対応するＣＷＳ値を初期化し、ＮＡＣＫであると全ての優先順位クラスに対応するＣＷＳを維持する。
【０４６５】
またＡＵＬ送信用に割り当てられたＨＡＲＱ  ＩＤに対応するＵＬ（再）送信が動的ＵＬグラントによりＳＦ＃ｎ送信がスケジュールされ、（該当ＳＦが参照ＳＦである場合）一定時間後に（例：ＳＦ＃ｎ＋３後に）ＨＡＲＱ  ＤＣＩ及び該当ＨＡＲＱ  ＩＤに対応する動的ＵＬグラントを受信した場合、ＵＥはＨＡＲＱ  ＤＣＩ及び動的ＵＬグラントの時間順によって該当ＨＡＲＱ  ＤＣＩ内の該当参照サブフレームのＨＡＲＱ  ＩＤに対応するＨＡＲＱ−ＡＣＫ情報を活用して以下のようにＣＷＳを調節（又は調整）することができる。
【０４６６】
もし、先にＨＡＲＱ  ＤＣＩが受信され（例：ＳＦ＃ｎ＋４で受信）、動的ＵＬグラントが後に受信される場合（例：ＳＦ＃ｎ＋５で受信）、ＵＥは上述したＭｅｔｈｏｄ  １又はＭｅｔｈｏｄ  ２を適用してＣＷＳを調整する。
【０４６７】
逆に、先に動的ＵＬグラントが受信され（例：ＳＦ＃ｎ＋４で受信）、ＨＡＲＱ  ＤＣＩが後に受信される場合（例：ＳＦ＃ｎ＋５で受信）、ＵＥは該当ＨＡＲＱ  ＩＤに対応するＨＡＲＱ  ＤＣＩ上のＨＡＲＱ−ＡＣＫ情報が有効ではないと判断することができる。
【０４６８】
この時、ＵＥはＨＡＲＱ  ＤＣＩ上のＡＣＫ／ＮＡＣＫ情報とＵＬグラント上のＮＤＩトグル情報が異ならないと記載できる。
【０４６９】
又は２つの情報が互いに異なる場合は、ＵＥはＨＡＲＱ  ＤＣＩ情報又はＵＬグラント上のＮＤＩ情報のうちの１つを優先して考慮できる。
【０４７０】
一例として、ＵＥはＨＡＲＱ  ＤＣＩとＵＬグラントのうち、時間上、先行する情報を優先にするか、又は逆に後続する情報を優先にする。
【０４７１】
又はＵＥがＨＡＲＱ  ＤＣＩとＵＬグラントのうちのいずれかを優先するかは、ＨＡＲＱ  ＤＣＩ情報がＡＣＫ／ＮＡＣＫであるかによって異なるように設定される。一例として、ＨＡＲＱ  ＤＣＩがＡＣＫに対応する場合、ＵＥはＨＡＲＱ  ＤＣＩを優先にし（即ち、ＨＡＲＱ  ＤＣＩのＮＤＩは無条件トグルされたと見なす）、ＮＡＣＫに対応する場合は、ＵＬグラントを優先にすることができる。
【０４７２】
又はＵＥは保守的にＨＡＲＱ  ＤＣＩとＵＬグラントのうちの１つでも再送信を意味すると、再送信を行うことができる。具体的な例として、ＵＥは、ＨＡＲＱ  ＤＣＩがＡＣＫであり、ＵＬグラントがＮＤＩトグルである場合にのみ新しい送信（初期送信）と認知し、残りの場合には全て再送信と認知する。
【０４７３】
４．２．２．チャネルアクセス優先順位クラスの設定
【０４７４】
上述したように、ＬＡＡシステムにおいてＵＬチャネルアクセス優先順位クラスは４つが定義され、各優先順位クラスごとに遅延期間（ｄｅｆｅｒ  ｐｅｒｉｏｄ）、許容されたＣＷＳ値、許容された最大ＣＯＴなどが設定される。
【０４７５】
この時、ＡＵＬ送信のためのチャネルアクセス優先順位クラスの値は特定の値に固定されるか（例：優先順位クラス１）、又はＲＲＣシグナリングにより設定される。
【０４７６】
又はＡＵＬ送信のためのチャネルアクセス優先順位クラス値は、ＡＵＬ送信活性化ＤＣＩにより設定される。この場合、該当ＤＣＩ内の優先順位クラスを指示するフィールドは、ＡＵＬ送信活性化の検証用としては活用されない。
【０４７７】
また、ＡＵＬ送信のためのチャネルアクセス優先順位クラス値は、実際に送信するＳＦ（又はスロット）の数（又は送信時間）又は期間内に設定されたＡＵＬ送信の長さ（ｄｕｒａｔｉｏｎ）又は該長さ内に送信できる最大のＳＦ数によって決定される。一例として、ｐｅｒｉｏｄ内に設定されたＡＵＬ送信の長さ（ｄｕｒａｔｉｏｎ）（又は長さ内に送信可能な最大ＳＦの数）が３ｍｓである場合、表７に基づいてＡＵＬ送信のためのチャネルアクセス優先順位クラス値は該当長さより大きいか又は等しく、ＭＣＯＴ値が最も小さい優先順位クラス２に設定されることができる。又は、ＵＥに対してＡＵＬ送信の長さ（ｄｕｒａｔｉｏｎ）（又は長さ内に送信可能な最大ＳＦの数）が３ｍｓと設定されたが、ＵＥが１番目のＳＦに対してＬＢＴ（又はチャネルアクセス手順）に失敗して実際には２ＳＦのみを送信する場合、ＵＥはＡＵＬ送信のためのチャネルアクセス優先順位クラス値を優先順位クラス１と見なしてＬＢＴパラメータを設定することができる。
【０４７８】
又はＡＵＬ送信のためのチャネルアクセス優先順位クラス値は、ＡＵＬ送信の周期性（ｐｅｒｉｏｄｉｃｉｔｙ）により設定される。一例として、周期がＰ  ｍｓ以下である場合、ＵＥが頻繁にＬＢＴ（又はチャネルアクセス手順）を行って、競争する他の送信ノードより送信を試みる回数が多くなる。従って、かかる場合、ＡＵＬ送信のためのチャネルアクセス優先順位クラス値としては、相対的に大きい優先順位クラスが割り当てられる。他の例として、周期がＰ  ｍｓを超える場合、ＡＵＬ送信のためのチャネルアクセス優先順位クラス値としては相対的に小さい優先順位クラスが割り当てられる。本発明に適用可能な一例として、周期が１０ｍｓ未満である場合、ＡＵＬ送信のためのチャネルアクセス優先順位クラス値としては優先順位クラス３が割り当てられ、１０ｍｓ以上である場合は、ＡＵＬ送信のためのチャネルアクセス優先順位クラス値として優先順位クラス１が割り当てられることができる。より一般的には、周期がＸ未満である場合、ＡＵＬ送信のためのチャネルアクセス優先順位クラス値としては優先順位クラスＹが割り当てられ、ｐｅｒｉｏｄがＸ以上である場合は、ＡＵＬ送信のためのチャネルアクセス優先順位クラス値として優先順位クラスＺが割り当てられる。この時、Ｙ＞Ｚを満たすことができる。
【０４７９】
４．２．３．ＵＥ−ｉｎｉｔｉａｔｅｄ  ＣＯＴである場合のｒｅｍａｉｎｉｎｇ  ＣＯＴシグナリング方法
【０４８０】
Ｒｅｌ−１４  ｅＬＡＡシステムでは基地局が占有したＣＯＴ（ｃｈａｎｎｅｌ  ｏｃｃｕｐａｎｃｙ  ｔｉｍｅ）のうちの一部をＵＥに譲渡し、該当ＵＥに一定時間の間にのみチャネルが休止（ｉｄｌｅ）であると、送信を開始できるＬＢＴタイプ（Ｔｙｐｅ  ２  ｃｈａｎｎｅｌ  Ａｃｃｅｓｓ  ｐｒｏｃｅｄｕｒｅ）を指示する。これに対応して、ＣＯＴのうちの一部が譲渡されることを認知したＵＥは、タイプ１のチャネルアクセス手順（ＣＡＰ）をＵＬグラント上に指示されたとしてもＴｙｐｅ  ２  ＣＡＰに変更して（即ち、ＵＬグラント上に指示されたＴｙｐｅ  １  ＣＡＰではないｔｙｐｅ  ２  ＣＡＰを行って）ＵＬ送信を試みることができる。
【０４８１】
この時、ＵＥのＡＵＬ送信のために、ＵＥが自発的にチャネルアクセス優先順位クラスを選択するので、ＵＥがＬＢＴ後に占有したＣＯＴ値はＵＥのみが認知できる。従って、ＵＥがどのくらいＣＯＴを占有したか、又はＣＯＴがどのくらい残っているかに関する基地局へのシグナリングが必要である。従って、以下ではＵＥが占有したＣＯＴ値をシグナリングする方法について詳しく説明する。
【０４８２】
４．２．３．１．第１シグナリング方法
【０４８３】
ＵＥは、占有して残ったＣＯＴ値とそのうちどのくらい該当ＵＥが占有するかを基地局にシグナリングすることができる。一例として、ＵＥがＡＵＬ送信のためにタイプ１のＣＡＰを行った後、占有した（最大の）ＣＯＴ値が８ＳＦであり、ＵＥが今後３ＳＦの間にＡＵＬ送信を行う予定である場合、ＵＥは８と３の値を同時に基地局にシグナリングすることができる。またシグナリングは連続するＡＵＬ送信の間にカウントダウン（ｃｏｕｎｔ−ｄｏｗｎ）され、各ＳＦでシグナリングされる。よって、上記例示によれば、ＵＥは最近ＳＦで８と３の値をシグナリングし、ＡＵＬ送信を行う次のＳＦで７と２の値をシグナリングすることができる。
【０４８４】
４．２．３．２．第２シグナリング方法
【０４８５】
ＵＥはＡＵＬ送信が終了する時点（オフセット）と終了時点から残ったＣＯＴ値（ｄｕｒａｔｉｏｎ）を基地局にシグナリングすることができる。一例として、ＵＥがＡＵＬ送信のためにＴｙｐｅ  １のＣＡＰを行った後、ＳＦ＃ｎからＡＵＬ送信を開始する時、占有した（最大の）ＣＯＴ値が８ＳＦであり、ＵＥが今後３ＳＦの間にＡＵＬ送信を行う予定であると、ＵＥはオフセット値である３と長さの値である５を同時に基地局にシグナリングすることができる。またシグナリングは連続するＡＵＬ送信の間にオフセット値がカウントダウン（ｃｏｕｎｔ−ｄｏｗｎ）され、各ＳＦでシグナリングされる。よって、上記例示によれば、ＵＥは次のＡＵＬ送信ＳＦであるＳＦ＃ｎ＋１でオフセット値である２と長さの値である５を同時に基地局にシグナリングすることができる。
【０４８６】
この時、ＵＥのＣＯＴ関連シグナリングを受信した基地局は、ＵＥが占有するＡＵＬ送信の最後のＳＦからｋ（例：ｋ＝３）ＳＦ以後からＤＬ送信を開始できるという制約があり得る。また、基地局は複数のＵＥから該当ＣＯＴ関連シグナリングを受信することができる。この時、基地局は複数のＵＥのＣＯＴのうち、重畳する時間のみを（又は複数のＵＥのＣＯＴの和集合に該当する全ての時間を）ＵＥと共有するＣＯＴと見なして、該当時間内に送信するＤＬ送信のためのＬＢＴ（又はＣＡＰ）として一定時間の間にのみチャネルが休止（ｉｄｌｅ）であると、送信を開始できるＬＢＴ（又はＣＡＰ）を行うことができる。
【０４８７】
４．２．４．ＰＵＳＣＨとＡＵＬ送信が連続する場合におけるＬＢＴ方法
【０４８８】
図１７は本発明の一例によるＵＥの動作を説明する図である。
【０４８９】
図１７に示したように、５ｍｓ周期、２ｍｓの長さ（ｄｕｒａｔｉｏｎ）のＡＵＬ送信がＳＦ♯０（又はＳｌｏｔ＃０、以下、説明の便宜上、関連構成をＳＦ＃ｎと称する。但し、ＳＦ＃ＮはＳｌｏｔ＃Ｎとも解釈できる）に送信された活性化ＤＣＩによりトリガーされた場合（又はビットマップのような他の方法でＡＵＬ送信リソースが設定された場合）、ＳＦ♯８上のＵＬデータがスケジュールされることができる。
【０４９０】
もし非免許帯域上に設定されたＡＵＬ送信のＵＬ  ＳＦに対して常にＵＬデータを送信しなければならない場合、ＳＦ♯８をスケジュールする基地局の観点で基地局は３ｍｓのＣＯＴを考慮した優先順位クラス値をＵＬグラントで（又はＵＬグラントにより）指示することができる。
【０４９１】
但し、設定された全てのＡＵＬ送信ＳＦでＵＥがＵＬデータを送信することは、非免許帯域の動作上、非効率的である。これは、実際に送信するＵＬデータがＵＥバッファにない場合にもＵＥがＵＬ送信のためにＬＢＴ（又はＣＡＰ）を行い、一種のダミーデータを送信することは他のノードに干渉になるだけであり、システム性能向上には役に立たないためである。従って、設定されたＡＵＬ送信ＵＬ  ＳＦのうち、ＵＥが実際に送信するデータがある場合にのみ送信し、そうではない場合は、該当ＵＬ  ＳＦをスキップする（即ち、該当ＵＬ  ＳＦでＵＬ送信を行わない）動作が考慮される。
【０４９２】
もし、ＵＥが動作をスキップできれば、図１７の例示においてＳＦ♯８をスケジュールする基地局はＳＦ♯９及びＳＦ♯１０でＵＬデータが送信されるか否かを確信することが難しい。よって基地局は最大２ｍｓのＭＣＯＴが許容される優先順位クラス１をＵＬグラントで（又はＵＬグラントにより）指示できる。
【０４９３】
但し、上記のような場合、ＵＬグラントを受信したＵＥは優先順位クラス１に対応するＬＢＴパラメータを活用してＬＢＴ（又はＣＡＰ）に成功すると、（ＳＦ♯９及びＳＦ♯１０で送信するＵＬデータがあっても）ＳＦ♯８及びＳＦ♯９でのみＵＬ送信が可能であり、ＳＦ♯１０ではＵＬ送信が不可能である。以下、これを解決するための方法を提案する。
【０４９４】
（方法１）
【０４９５】
ＳＦ♯８に対するＵＬグラントにおいて優先順位クラス値が１と指示されたとしても、ＳＦ♯９及びＳＦ♯１０でＡＵＬ送信を試みるＵＥは最大３ｍｓのＭＣＯＴが保証される優先順位クラス２に該当するＬＢＴパラメータを活用してＬＢＴ（又はＣＡＰ）を試みることができる。
【０４９６】
（方法２）
【０４９７】
動的にスケジュールされたＰＵＳＣＨとＡＵＬ送信に設定されたＵＬ  ＳＦが連続しても、ＡＵＬ送信の開始前にＵＥは常に新しいＬＢＴ（又はＣＡＰ）を行うように設定できる。即ち、ＵＥがＳＦ♯８直前のＬＢＴ（又はＣＡＰ）に成功しても、ＳＦ♯８でＵＬ送信後に再度ＬＢＴ（又はＣＡＰ）を試みて成功した時点からＡＵＬ送信のためのＵＬ  ＳＦを送信することができる。これに対応して、基地局はＡＵＬ送信の最初のＳＦのＰＵＳＣＨ開始地点がＳＦ境界より後ろに続くように設定でき、この場合、ＳＦ境界から設定されたＰＵＳＣＨ開始地点の間のギャップの間にＵＥがＬＢＴ（又はＣＡＰ）に成功すると、ＵＥはＡＵＬ送信の最初のＳＦも成功的に送信することができる。
【０４９８】
（方法３）
【０４９９】
ＵＥは上記ＬＢＴ（又はＣＡＰ）に基づいて（ＵＬグラントで指示された）優先順位クラスに対応するＭＣＯＴだけのＵＬ  ＳＦを最大限送信した後、ＵＥは残りのａｕｔｏ＿Ｔｘ送信のために新しいＬＢＴ（又はＣＡＰ）を試みることができる。一例として、図１７に示したように、ＳＦ♯８からＵＬ送信を試みたＵＥの場合、ＵＬグラント上の指示された優先順位クラスが１であるので、２ｍｓの送信が最大限保証される。従って、ＵＥがＳＦ♯８及びＳＦ♯９でＵＬ送信を行った後、ＵＥは新しいＬＢＴ（又はＣＡＰ）を行って次のＡＵＬ送信用のＵＬ  ＳＦに対する送信を試みることができる。
【０５００】
上述した方法１乃至方法３は、所定のＡＵＬ送信リソースに先立ってタイミングギャップ無しにＰＵＳＣＨがスケジュールされる場合にも一般的に適用できる。一例として、図１７において基地局はＵＬグラントによりＳＦ♯９上のＰＵＳＣＨをスケジュールすることができる。この時、ＵＥが該当ＰＵＳＣＨとＳＦ♯１０上のＡＵＬ送信を送信する場合、上述した方法１乃至方法３を適用できる。
【０５０１】
ＵＥがＡＵＬ送信に対する優先順位クラスを該当ＵＥバッファに存在するＵＬデータの種類に基づいて決定する場合、上記のように所定のＡＵＬ送信リソースに先立ってタイミングギャップ無しにＰＵＳＣＨがスケジュールされることができる。この場合、該当ＰＵＳＣＨ（以下、説明の便宜上、ＳＵＬ（Ｓｃｈｅｄｕｌｅｄ  ＵＬ）という）のために指示された優先順位クラスとＡＵＬ送信のためにＵＥが決定した優先順位クラスの間の関係によって互いに異なる規則が適用される。
【０５０２】
より具体的には、ＵＬグラント上にＳＵＬのための優先順位クラスがＸと指示され、ＵＥがＡＵＬ送信のための優先順位クラスをＹと決定した場合を仮定する。
【０５０３】
この時、Ｘ＜Ｙである場合、より優先順位（ｐｒｉｏｒｉｔｙ）が低いＵＬデータトラフィックが伴われる構造であるので、ＵＥはＳＵＬを優先して送信した後、ＡＵＬ送信のためのＬＢＴ（又はＣＡＰ）を行うことができる。又は、ＵＥがＳＵＬのためのＬＢＴ（又はＣＡＰ）を行うにおいて、ＵＥは優先順位クラスＹ（又はＹ以上）に対応するＬＢＴパラメータ（例：遅延期間、最小ＣＷＳ、最大ＣＷＳなど）を活用してＬＢＴ（又はＣＡＰ）を行い、ＬＢＴ（又はＣＡＰ）に成功すると（優先順位クラスＹのＭＣＯＴより小さいと）、追加ＬＢＴ（又はＣＡＰ）無しに連続送信を行うことができる（又はＵＥに対して追加ＬＢＴのない連続送信を許容できる）。
【０５０４】
またＸ＝Ｙである場合、両方の優先順位が同一であるので、ＵＥに対してＳＵＬとＡＵＬ送信の送信時間の和が優先順位クラスＸに対応するＭＣＯＴより小さいと、追加ＬＢＴ（又はＣＡＰ）なしに連続送信が許容されることができる。もし、ＵＥに対してＳＵＬとＡＵＬ送信の送信時間の和が優先順位クラスＸに対応するＭＣＯＴより大きいと、ＵＥはＳＵＬを優先して送信を行った後、ＡＵＬ送信のためのＬＢＴ（又はＣＡＰ）を行うことができる。
【０５０５】
またＸ＞Ｙである場合は、より優先順位が高いＵＬデータトラフィックが伴われる構造であるので、ＳＵＬとＡＵＬ送信の送信時間の和が優先順位クラスＸに対応するＭＣＯＴより小さいと、ＵＥに対して追加ＬＢＴ（又はＣＡＰ）のない連続送信が許容される。また、両方の優先順位クラスが異なるので、ＵＥはＳＵＬを優先して送信を行った後、ＡＵＬ送信のためのＬＢＴ（又はＣＡＰ）を行うことができる。
【０５０６】
図１８は本発明による他の例においてＵＥの動作を説明する図である。
【０５０７】
図１７とは異なり、図１８のようにＡＵＬ送信後にＰＵＳＣＨがスケジュールされることができる。この時、基地局はＳＦ♯９（又はＳｌｏｔ＃９、以下、説明の便宜上の関連構成をＳＦ＃ｎと称する。但し、ＳＦ＃ＮはＳｌｏｔ＃Ｎとも解釈できる）及びＳＦ♯１０におけるＵＬ送信を確信できないので、ＳＦ♯１１におけるＵＬ送信をスケジュールするＵＬグラント上に（又はＵＬグラントにより）優先順位クラス１を指示することができる。
【０５０８】
この場合、ＵＥはＳＦ♯１１でＰＵＳＣＨがスケジュールできることを知らないまま、予めＳＦ♯９におけるＡＵＬ送信のためのＬＢＴ（又はＣＡＰ）を行うことができ、特にＬＢＴ（又はＣＡＰ）がＳＦ♯９からＳＦ♯１１まで３ｍｓ連続送信が許容されないＬＢＴ（又はＣＡＰ）であることができる。この時、上述した方法１のようにＵＥが３ｍｓ連続送信のために優先順位クラスを２に変更することもできるが、かかる動作はＵＥ具現化上、容易ではない。よって本発明ではかかる問題を解決するために、以下の方法を提案する。
【０５０９】
（方法Ａ）
【０５１０】
ＵＥはＳＦ♯１１におけるＵＬ送信を優先にして、ＳＦ♯１０の最後のｎ個のシンボルを常に空け、該当ｎ個のシンボルの間にＳＦ♯１１におけるＵＬ送信のための新しいＬＢＴ（又はＣＡＰ）を行うことができる。該当ｎ値は予め決められるか、又は別のシグナリングにより設定される。また該当するＮの値はＳＦ♯１１で指示された優先順位クラスに基づいて決定され、特に優先順位クラスが小さいほど小さく設定される。
【０５１１】
（方法Ｂ）
【０５１２】
ＵＥはＡＵＬ送信の送信を優先して、まずＳＦ♯１０におけるＵＬ送信を終了し、ＳＦ♯１１に対するＬＢＴ（又はＣＡＰ）を新しく開始することができる。
【０５１３】
ＵＥが方法Ａ又は方法Ｂのうち、どの方法を用いるか（又は行うか）は、上位層シグナリングにより設定される。
【０５１４】
又はＵＥに対して１４シンボルで構成された１ＳＦのうち、７シンボル以下の送信が設定された場合、ＵＥは方法Ｂを適用し、そうではない場合には、方法Ａを適用する。
【０５１５】
一例として、方法Ａ及び／又は方法Ｂは、ＵＬグラント時点とＡＵＬ送信の最初のＳＦの間隔がＹ  ｍｓ（例：Ｔ＝４）以下である場合のみに適用される。
【０５１６】
上述した方法Ａ及び方法Ｂは、ＵＥに対して所定のＡＵＬ送信リソースに後続してタイミングギャップ無しにＰＵＳＣＨがスケジュールされる場合に一般的に適用される。一例として、図１７で基地局がＵＬグラントによりＳＦ♯１０上のＰＵＳＣＨをスケジュールすることができ、ＵＥが該当ＰＵＳＣＨとＳＦ♯９上のＡＵＬ送信を行う場合は、ＵＥは方法Ａ又は方法Ｂを適用することができる。
【０５１７】
ＵＥがＡＵＬ送信に対する優先順位クラスを該当ＵＥのバッファに存在するＵＬデータの種類に基づいて決定する場合、上記のような所定のＡＵＬ送信リソースに続いてタイミングギャップ無しにＰＵＳＣＨがスケジュールされることができる。この時、該当ＰＵＳＣＨ（ＳＵＬ）のために指示された優先順位クラスとＡＵＬ送信のためにＵＥが決定した優先順位クラスの間の関係によって互いに異なる規則が適用されることができる。
【０５１８】
より具体的には、ＵＥがＡＵＬ送信のための優先順位クラスをＸと決定し、ＵＬグラント上にＳＵＬのための優先順位クラスがＹと指示された場合を仮定する。
【０５１９】
この時、Ｘ＜Ｙである場合、優先順位がより低いＵＬデータトラフィックが伴う構造であるので、ＵＥはＡＵＬ送信を優先にして送信を行った後、ＳＵＬ送信のためのＬＢＴ（又はＣＡＰ）を行う。又は、ＵＥはＳＵＬ送信を優先にして該当ＳＵＬのためのＬＢＴギャップを設けるために、ＡＵＬ送信を終了時点からｎ個のシンボル前の時点で予め終了することができる。またＵＥがＡＵＬ送信のためのＬＢＴ（又はＣＡＰ）を行うにおいて、ＵＥは優先順位クラスＹ（又はＹ以上）に対応するＬＢＴパラメータ（例：遅延期間、最小ＣＷＳ、最大ＣＷＳなど）を活用してＬＢＴ（又はＣＡＰ）を行い、ＬＢＴ（又はＣＡＰ）に成功すると、（優先順位クラスＹのＭＣＯＴより小さいと）、追加ＬＢＴ（又はＣＡＰ）無しに連続送信を行うことができる（又はＵＥに対して追加ＬＢＴのない連続送信が許容される）。
【０５２０】
また、Ｘ＝Ｙである場合、両方の優先順位が同一であるので、ＵＥに対してＳＵＬとＡＵＬ送信の送信時間の和が優先順位クラスＸに対応するＭＣＯＴより小さいと、追加ＬＢＴ（又はＣＡＰ）無しに連続送信が許容されることができる。もし、ＵＥに対してＳＵＬとＡＵＬ送信の送信時間の和が優先順位クラスＸに対応するＭＣＯＴより大きいと、ＵＥはＡＵＬ送信を優先にして送信を行った後、ＳＵＬ送信のためのＬＢＴ（又はＣＡＰ）を行うこともできる。又は、ＵＥは高いＳＵＬ送信を優先にして、該当ＳＵＬのためのＬＢＴギャップを設けるためにＡＵＬ送信を終了時点からｎ個のシンボル前の時点で予め終了することができる。
【０５２１】
またＸ＞Ｙである場合は、優先順位がより高いＵＬデータトラフィックが伴う構造であるので、ＳＵＬとＡＵＬ送信の送信時間の和が優先順位クラスＸに対応するＭＣＯＴより小さいと、ＵＥに対して追加ＬＢＴ（又はＣＡＰ）のない連続送信が許容される。また両方の優先順位クラスが異なるので、ＵＥはＡＵＬ送信を優先にして送信を行った後、ＳＵＬ送信のためのＬＢＴ（又はＣＡＰ）を行うことができる。又はＵＥはＳＵＬ送信を優先にして該当ＳＵＬのためのＬＢＴギャップを設けるためにＡＵＬ送信を終了時点からｎ個のシンボル前の時点で予め終了することができる。
【０５２２】
４．３．ＴＰＣ（Ｔｒａｎｓｍｉｔ  ｐｏｗｅｒ  ｃｏｎｔｒｏｌ）方法
【０５２３】
既存のＬＴＥシステムにおいて、ＳＰＳ  ＵＬ  ＳＦに対するＴＰＣは、ＵＬグラント上のＴＰＣフィールド及びＤＣＩ  ｆｏｒｍａｔ３／３Ａにより行われる。しかし、ＤＣＩ  ｆｏｒｍａｔ３／３ＡによるＴＰＣはＳＣｅｌｌに適用されないので、ＡＵＬ送信に対して閉ループ（ｃｌｏｓｅｄ  ｌｏｏｐ）によるＴＰＣ適用が容易ではない。以下、これを補完するＴＰＣ方法について詳しく説明する。
【０５２４】
４．３．１．第１ＴＰＣ方法
【０５２５】
ＵＥはＤＣＩ  ｆｏｒｍａｔ３／３ＡによるＰＵＳＣＨ  ＴＰＣをＰＣｅｌｌ（又はＰＳＣｅｌｌ）だけではなく、ＬＡＡ  ＳＣｅｌｌにも同時に適用できる。
【０５２６】
又はＵＥはＤＣＩ  ｆｏｒｍａｔ３／３ＡによるＰＵＳＣＨ  ＴＰＣをＡＵＬ送信が設定されたＬＡＡ  ＳＣｅｌｌのみに対して適用できる。
【０５２７】
又はＰＣｅｌｌ（又はＰＳＣｅｌｌ）とＬＡＡ  ＳＣｅｌｌが同じＴＡＧ（ｔｉｍｉｎｇ  ａｄｖａｎｃｅ  ｇｒｏｕｐ）に属する場合に限って、ＵＥはＤＣＩ  ｆｏｒｍａｔ３／３ＡによるＰＵＳＣＨ  ＴＰＣをＬＡＡ  ＳＣｅｌｌに適用することができる。
【０５２８】
４．３．２．第２ＴＰＣ方法
【０５２９】
本発明に適用可能な一例において、ＰＣｅｌｌ上の送信されるＤＣＩ  ｆｏｒｍａｔ３／３Ａ内のＬＡＡ  ＳＣｅｌｌに対するＴＰＣに対応するフィールドが新しく定義されることができる。
【０５３０】
一例として、Ｍ個のＴＰＣ命令（ｃｏｍｍａｎｄ）を含むＤＣＩ  ｆｏｒｍａｔ３／３Ａに対して、Ｍ１番目の命令はＵＥ１のＰＣｅｌｌのためのＴＰＣ命令、Ｍ２番目の命令はＵＥ１のＬＡＡ  ＳＣｅｌｌ#１のためのＴＣＰ命令、またＭ３番目の命令はＵＥ１のＬＡＡ  ＳＣｅｌｌ♯２のためのＴＰＣ命令に設定できる。この時、ＬＡＡ  ＳＣｅｌｌに対応するＴＰＣ命令は、該当ＵＥに設定された（またＡＵＬ送信が設された）多数のＬＡＡ  ＳＣｅｌｌに対して適用される。特徴的には、特定のＵＥに設定されたＬＡＡ  ＳＣｅｌｌに対応するＴＰＣ命令は１つであり、ＴＰＣ命令は該当ＵＥに設定された（またＡＵＬ送信が設定された）全てのＬＡＡ  ＳＣｅｌｌに対して共通適用できる。
【０５３１】
かかる方法は、ＰＣｅｌｌとＬＡＡ  ＳＣｅｌｌが異なるＴＡＧに属する場合に限って適用される。
【０５３２】
４．３．３．第３ＴＰＣ方法
【０５３３】
本発明に適用可能な他の例において、非免許帯域上（例：ＬＡＡ  ＳＣｅｌｌ上）に送信されるＴＰＣのためのＵＥ（グループ）ｃｏｍｍｏｎ  ＤＣＩが導入されることができる。このために、ＤＣＩ  ｆｏｒｍａｔ３／３Ａと同様にＭ個のＴＰＣ命令のうちのＵＥに特定位置のＴＰＣ命令が適用されるように予め規定されることができる。この時、該当ＵＥは該当ＴＰＣ命令を該当ＤＣＩが送信された（またＡＵＬ送信が設定された）ＬＡＡ  ＳＣｅｌｌにのみ適用するか、該当ＵＥは該当ＴＰＣ命令を設定された（またＡＵＬ送信が設定された）全てのＬＡＡ  ＳＣｅｌｌに対して共通に適用することができる。
【０５３４】
さらに、ＵＥがＡＵＬ送信用に設定されたＵＬ  ＳＦに対するＬＢＴ（又はＣＡＰ）を行うにおいて、チャネルアクセス優先順位クラスが予め設定された場合、優先順位クラス値が低いほど急なＵＬデータと考慮されて（又は認知されて）より高いパワーオフセット（ｐｏｗｅｒ  ｏｆｆｓｅｔ）値が設定される。一例として、優先順位クラス１の場合には、６ｄＢのパワーブースト（ｐｏｗｅｒ  ｂｏｏｓｔ）、優先順位クラス２の場合には、３ｄＢのパワーブーストが設定される。
【０５３５】
図１９は本発明の一例による端末が非免許帯域を介して上りリンク信号を送信する方法を示す流れ図である。
【０５３６】
端末は、時間領域において、活性化された自律的上りリンク（Ａｕｔｏｎｏｍｏｕｓ  Ｕｐｌｉｎｋ；ＡＵＬ）の送信直後、上りリンク送信をスケジュールする下りリンク制御情報（Ｄｏｗｎｌｉｎｋ  ｃｏｎｔｒｏｌ  ｉｎｆｏｒｍａｔｉｏｎ；ＤＣＩ）を受信する（Ｓ１９１０）。以下の説明では、説明の便宜上、ＤＣＩによりスケジュールされる上りリンク送信をＳＵＬ（Ｓｃｈｅｄｕｌｅｄ  Ｕｐｌｉｎｋ）送信という。
【０５３７】
次いで、端末は非免許帯域を介してＡＵＬ送信及びＳＵＬ送信を第１方法又は第２方法に基づいて行う（Ｓ１９２０）。
【０５３８】
一例として、端末が第１方法に基づいてＡＵＬ送信及びＳＵＬ送信を行う場合、端末はＳＵＬ送信に先立って送信中（ｏｎｇｏｉｎｇ）のＡＵＬ送信を一定時間の間隔前に終了（ｔｅｒｍｉｎａｔｅ）した後、ＳＵＬ送信を行う（Ｓ１９３０）。
【０５３９】
本発明において、一定時間の間隔としてＮ（Ｎは自然数）シンボルの間隔を適用できる。具体的には、Ｎシンボルとしては１シンボル、２シンボル又は１４シンボル（即ち、１サブフレーム又は１スロット）などを適用できる。
【０５４０】
また具体的には、端末が第１方法に基づいてＡＵＬ送信及びＳＵＬ送信を行う場合、端末はＡＵＬ送信のための第１チャネルアクセス手順（Ｃｈａｎｎｅｌ  Ａｃｃｅｓｓ  Ｐｒｏｃｅｄｕｒｅ；ＣＡＰ）に基づいてＡＵＬ送信を行い、ＳＵＬ送信のための第２ＣＡＰに基づいてＳＵＬ送信を行うことができる。
【０５４１】
他の例として、端末が第２方法に基づいてＡＵＬ送信及びＳＵＬ送信を行う場合、端末はＡＵＬ送信及びＳＵＬ送信を連続して行うことができる（Ｓ１９４０）。
【０５４２】
本発明において、端末は以下の条件を満たす場合、第２方法に基づいてＡＵＬ送信及びＳＵＬ送信を行うことができる。
【０５４３】
−ＡＵＬ送信に対する優先順位クラスがＳＵＬ送信に対する優先順位クラスより大きいか又は等しい。
【０５４４】
−ＡＵＬ送信及びＳＵＬ送信長さの和がＡＵＬ送信に対する優先順位クラスに対応する最大チャネル占有時間（Ｍａｘｉｍｕｍ  Ｃｈａｎｎｅｌ  Ｏｃｃｕｐａｎｃｙ  Ｔｉｍｅ；ＭＣＯＴ）より小さい。
【０５４５】
また具体的には、端末が第２方法に基づいてＡＵＬ送信及びＳＵＬ送信を行う場合、端末はＡＵＬ送信のためのチャネルアクセス手順（Ｃｈａｎｎｅｌ  Ａｃｃｅｓｓ  Ｐｒｏｃｅｄｕｒｅ；ＣＡＰ）に基づいてＡＵＬ送信及びＳＵＬ送信を連続して行うことができる。
【０５４６】
図２０は本発明の他の例による端末が非免許帯域を介して上りリンク信号を送信する方法を示す流れ図である。
【０５４７】
端末は活性化された第１自律的上りリンク（Ａｕｔｏｎｏｍｏｕｓ  Ｕｐｌｉｎｋ；ＡＵＬ）送信を非免許帯域を介して行う（Ｓ２０１０）。
【０５４８】
次いで、端末が第１ＡＵＬ送信後の一定時間の間に上りリンク送信をスケジュールする上りリンクグラント又は確認応答情報を含む下りリンク制御情報（ｄｏｗｎｌｉｎｋ  ｃｏｎｔｒｏｌ  ｉｎｆｏｒｍａｔｉｏｎ；ＤＣＩ）を受信できなかった場合、端末は全てのチャネルアクセス優先順位クラスに対応する競争ウィンドウサイズ（Ｃｏｎｔｅｎｔｉｏｎ  Ｗｉｎｄｏｗ  Ｓｉｚｅ；ＣＷＳ）を増加させる（Ｓ２０２０）。
【０５４９】
次いで、端末は活性化された第２ＡＵＬ送信を増加したＣＷＳに基づいて非免許帯域で行う（Ｓ２０３０）。
【０５５０】
ここで、ＤＣＩとは、第１ＡＵＬ送信に対する再送信をスケジュールする上りリンクグラント又は第１ＡＵＬ送信に対する確認応答情報を含むＤＣＩに対応する。
【０５５１】
また一定時間は１つ以上のサブフレームに対応する。
【０５５２】
さらに、第１ＡＵＬ送信又は第２ＡＵＬ送信が複数のセル内で行われる場合、複数のセル内の第１ＡＵＬ送信又は第２ＡＵＬ送信の開始位置は同一に設定される。
【０５５３】
上記構成において、
【０５５４】
端末は第１ＡＵＬ送信のための第１チャネルアクセス手順（Ｃｈａｎｎｅｌ  Ａｃｃｅｓｓ  Ｐｒｏｃｅｄｕｒｅ；ＣＡＰ）に基づいて第１ＡＵＬ送信を行い、端末は増加したＣＷＳが適用された第２ＡＵＬ送信のための第２ＣＡＰに基づいて第２ＡＵＬ送信を行う。
【０５５５】
図１９及び図２０に示した端末の非免許帯域を介する上りリンク送信方法において、特定のＡＵＬ送信（例：第１ＡＵＬ送信など）を活性化する第１ＤＣＩと特定のＡＵＬ送信（例：第１ＡＵＬ送信など）を解除（ｒｅｌｅａｓｅ）する第２ＤＣＩは、第１フィールド値に基づいて特定のＡＵＬ送信（例：第１ＡＵＬ送信など）に対応する確認応答情報を含む第３ＤＣＩと区別される。
【０５５６】
一例として、第１フィールドは３ＧＰＰ  ＴＳ  ３６．２１２標準に定義された物理上りリンク共有チャネルトリガーＡ（Ｐｈｙｓｉｃａｌ  Ｕｐｌｉｎｋ  Ｓｈａｒｅｄ  Ｃｈａｎｎｅｌ  ｔｒｉｇｇｅｒ  Ａ；ＰＵＳＣＨ  ｔｒｉｇｇｅｒ  Ａ）フィールドに対応する。他の例として、第１フィールドは３ＧＰＰ  ＴＳ  ３６．２１２標準に定義された他のフィールドに対応することができる。
【０５５７】
また第１ＤＣＩは第２フィールド値に基づいて第２ＤＣＩと区別される。一例として、第２フィールドは３ＧＰＰ  ＴＳ  ３６．２１２の標準に定義されているタイミングオフセット（ｔｉｍｉｎｇ  ｏｆｆｓｅｔ）フィールドに対応する。他の例として、第２フィールドは３ＧＰＰ  ＴＳ  ３６．２１２標準に定義された他のフィールドに対応することができる。
【０５５８】
上記構成において、第１ＤＣＩ、第２ＤＣＩ及び第３ＤＣＩは同じサイズを有する。
【０５５９】
また第１ＤＣＩ、第２ＤＣＩ及び第３ＤＣＩはセル無線ネットワーク臨時識別子（Ｃｅｌｌ−ｒａｄｉｏ  Ｎｅｔｗｏｒｋ  Ｔｅｍｐｏｒａｒｙ  Ｉｄｅｎｔｉｆｉｅｒ；Ｃ−ＲＮＴＩ）とは異なる無線ネットワーク臨時識別子（ｒａｄｉｏ  Ｎｅｔｗｏｒｋ  Ｔｅｍｐｏｒａｒｙ  Ｉｄｅｎｔｉｆｉｅｒ；ＲＮＴＩ）によりスクランブルされる。
【０５６０】
上述した提案方式に対する一例も本発明の具現化方法の１つとして含まれてもよく、一種の提案方式と見なし得ることは明白な事実である。また、上述した提案方式は独立して具現化されてもよく、一部の提案方式の組合せ（又は、併合）の形態で具現化されてもよい。上記提案方法適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０５６１】
５．装置構成
【０５６２】
図２１は提案する実施例を具現化できる端末及び基地局の構成を示す図である。図２１に示した端末及び基地局は、上述した端末と基地局の間で上りリンク信号の送受信方法の実施例を具現化するように動作する。
【０５６３】
端末（ＵＥ：Ｕｓｅｒ  Ｅｑｕｉｐｍｅｎｔ）１は、上りリンクでは送信端として動作し、下りリンクでは受信端として動作することができる。また、基地局（ｅＮＢ：ｅ−Ｎｏｄｅ  Ｂ又はｇＮＢ：ｎｅｗ  ｇｅｎｅｒａｔｉｏｎ  ＮｏｄｅＢ）１００は、上りリンクでは受信端として動作し、下りリンクでは送信端として動作することができる。
【０５６４】
即ち、端末及び基地局は、情報、データ及び／又はメッセージの送信及び受信を制御するためにそれぞれ、送信器（Ｔｒａｎｓｍｉｔｔｅｒ）１０，１１０及び受信器（Ｒｅｃｅｉｖｅｒ）２０，１２０を含むことができ、情報、データ及び／又はメッセージを送受信するためのアンテナ３０，１３０などを含むことができる。
【０５６５】
また、端末及び基地局はそれぞれ、上述した本発明の実施例を行うためのプロセッサ（Ｐｒｏｃｅｓｓｏｒ）４０，１４０、及びプロセッサの処理過程を一時的に又は持続的に記憶できるメモリ５０，１５０を含むことができる。
【０５６６】
上記のように構成された端末は以下のように動作する。
【０５６７】
一例として、端末１は受信器２０を介して、時間領域において、活性化された自律的上りリンク（Ａｕｔｏｎｏｍｏｕｓ  Ｕｐｌｉｎｋ；ＡＵＬ）送信直後の上りリンク送信をスケジュールする下りリンク制御情報（Ｄｏｗｎｌｉｎｋ  Ｃｏｎｔｒｏｌ  Ｉｎｆｏｒｍａｔｉｏｎ；ＤＣＩ）を受信する。次いで、端末１は送信器１０を用いて非免許帯域を介してＡＵＬ送信及び上りリンク送信を第１方法又は第２方法に基づいて行う。
【０５６８】
ここで、第１方法は端末が上りリンク送信に先立って送信中（ｏｎｇｏｉｎｇ）のＡＵＬ送信を一定時間の間隔前に終了（ｔｅｒｍｉｎａｔｅ）した後、上りリンク送信を行う方法に対応し、第２方法は端末がＡＵＬ送信及び上りリンク送信を連続して行う方法に対応する。
【０５６９】
他の例として、端末１は送信器１０を用いて活性化された第１自律的上りリンク（Ａｕｔｏｎｏｍｏｕｓ  Ｕｐｌｉｎｋ；ＡＵＬ）送信を非免許帯域を介して行う。次いで、端末１が第１ＡＵＬ送信後に一定時間の間に上りリンク送信をスケジュールする上りリンクグラント又は確認応答情報を含む下りリンク制御情報（Ｄｏｗｎｌｉｎｋ  Ｃｏｎｔｒｏｌ  Ｉｎｆｏｒｍａｔｉｏｎ；ＤＣＩ）を受信できない場合、端末１はプロセッサ４０を介して全てのチャネルアクセス優先順位クラス（ｃｈａｎｎｅｌ  ａｃｃｅｓｓ  ｐｒｉｏｒｉｔｙ）に対応する競争ウィンドウサイズ（Ｃｏｎｔｅｎｔｉｏｎ  Ｗｉｎｄｏｗ  Ｓｉｚｅ；ＣＷＳ）を増加させる。その後、端末１は送信器１０を用いて増加したＣＷＳに基づく活性化された第２ＡＵＬ送信を非免許帯域で行う。
【０５７０】
端末及び基地局に含まれた送信器及び受信器は、データ送信のためのパケット変復調機能、高速パケットチャネルコーディング機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャネル多重化機能を有することができる。また、図２１の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）ユニットをさらに含むことができる。
【０５７１】
一方、本発明において端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートＰＣ、スマート（Ｓｍａｒｔ）フォン、又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０５７２】
ここで、スマートフォンとは、移動通信端末機と個人携帯端末機の長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システムなど）のいずれにおいても作動し得る端末機のことを指す。
【０５７３】
本発明の実施例は、様々な手段によって具現化することができる。例えば、本発明の実施例は、ハードウェア、ファームウェア（ｆｉｒｍｗａｒｅ）、ソフトウェア、又はそれらの結合などによって具現化することができる。
【０５７４】
ハードウェアによる具現化の場合、本発明の実施例による方法は、１つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって具現化することができる。
【０５７５】
ファームウェアやソフトウェアによる具現化の場合、本発明の実施例による方法は、以上で説明した機能又は動作を行うモジュール、手順又は関数などの形態として具現化することができる。例えば、ソフトウェアコードは、メモリ５０，１５０に格納し、プロセッサ１４，１４０によって駆動することができる。上記メモリユニットは上記プロセッサの内部又は外部に設けられて、既に公知である様々な手段によって上記プロセッサとデータをやり取りすることができる。
【０５７６】
本発明は、本発明の技術的アイディア及び必須の特徴から逸脱しない範囲で他の特定の形態として具体化することができる。したがって、上記の詳細な説明はいずれの面においても制限的に解釈されてはならず、例示的なものとして考慮しなければならない。本発明の範囲は、添付する請求項の合理的解釈によって決定しなければならず、本発明の等価的範囲内における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０５７７】
本発明の実施例は、様々な無線アクセスシステムに適用することができる。様々な無線アクセスシステムの一例として３ＧＰＰ（３ｒｄ  Ｇｅｎｅｒａｔｉｏｎ  Ｐａｒｔｎｅｒｓｈｉｐ  Ｐｒｏｊｅｃｔ）又は３ＧＰＰ２システムなどがある。本発明の実施例は、上記様々な無線アクセスシステムの他、上記様々な無線アクセスシステムを応用した全ての技術分野にも適用することができる。さらに、提案した方法は、超高周波帯域を利用するｍｍＷａｖｅ通信システムにも適用することができる。
【図１】
0006915064.tif 000147
【図２】
0006915064.tif 000148
【図３】
0006915064.tif 000149
【図４】
0006915064.tif 000150
【図５】
0006915064.tif 000151
【図６】
0006915064.tif 000152
【図７】
0006915064.tif 000153
【図８】
0006915064.tif 000154
【図９】
0006915064.tif 000155
【図１０】
0006915064.tif 000156
【図１１】
0006915064.tif 000157
【図１２】
0006915064.tif 000158
【図１３】
0006915064.tif 000159
【図１４】
0006915064.tif 000160
【図１５】
0006915064.tif 000161
【図１６】
0006915064.tif 000162
【図１７】
0006915064.tif 000163
【図１８】
0006915064.tif 000164
【図１９】
0006915064.tif 000165
【図２０】
0006915064.tif 000166
【図２１】
0006915064.tif 000167